(57)【要約】【解決手段】方法は、第１ＰＨＹモードと第２ＰＨＹモードとのそれぞれに対応する第１データユニットおよび第２データユニットを生成する段階を含む。第１データユニットを生成する段階は、第１の情報ビットをＦＥＣエンコードする段階と、ＦＥＣエンコードされたビットを第１のコンスタレーションシンボルにマッピングする段階と、第１のコンスタレーションシンボルを含む第１ＯＦＤＭシンボルを生成する段階とを含む。第１のＯＦＤＭシンボルは、第１トーン間隔を用い、全体として第１帯域幅に亘る第１の数の非ゼロトーンを含む。第２データユニットを生成する段階は、第２の情報ビットをＦＥＣエンコードする段階と、ＦＥＣエンコードされたビットをブロックエンコードする段階と、ブロックエンコードされたビットを第２のコンスタレーションシンボルにマッピングする段階と、第２のコンスタレーションシンボルを含む第２のＯＦＤＭシンボルを生成する段階とを含む。第２のＯＦＤＭシンボルは、第１トーン間隔を用い、全体として第１帯域幅よりも小さい第２帯域幅に亘る第２の数の非ゼロトーンを含む。第２の数の非ゼロトーンは第１の数の非ゼロトーン未満である。【選択図】図１
2014523152.tif 000002
【特許請求の範囲】
【請求項１】
方法であり、
第１物理層モード（第１ＰＨＹモード）に対応する第１データユニットを生成する段階を備え、
前記第１データユニットを生成する段階は、
（ａ）第１の複数の情報ビットを順方向誤り訂正（ＦＥＣ）エンコードする段階と、
（ｂ）ＦＥＣエンコードされた前記第１の複数の情報ビットを第１の複数のコンスタレーションシンボルにマッピングする段階と、
（ｃ）前記第１の複数のコンスタレーションシンボルを含む第１の複数の直交周波数分割多重シンボル（ＯＦＤＭシンボル）を生成する段階と
を有し、
前記第１の複数のＯＦＤＭシンボルは、（ｉ）第１トーン間隔を用い、（ｉｉ）全体として第１帯域幅に亘る第１の数の非ゼロトーンを含み、
前記方法は、第２物理層モード（第２ＰＨＹモード）に対応する第２データユニットを生成する段階をさらに備え、
前記第２データユニットを生成する段階は、
（ａ）第２の複数の情報ビットをＦＥＣエンコードする段階と、
（ｂ）ＦＥＣエンコードされた前記第２の複数の情報ビットをブロックエンコードする段階と、
（ｃ）ブロックエンコードされた前記第２の複数の情報ビットを第２の複数のコンスタレーションシンボルにマッピングする段階と、
（ｄ）前記第２の複数のコンスタレーションシンボルを含む第２の複数のＯＦＤＭシンボルを生成する段階と
を有し、
前記第２の複数のＯＦＤＭシンボルは、（ｉ）前記第１トーン間隔を用い、（ｉｉ）全体として第２帯域幅に亘る第２の数の非ゼロトーンを含み、
前記非ゼロトーンの前記第２の数は前記非ゼロトーンの前記第１の数未満であり、
前記第２帯域幅は前記第１帯域幅よりも小さい、方法。
【請求項２】
前記ＦＥＣエンコードされた第２の複数の情報ビットをブロックエンコードする段階は、
前記第２の複数の情報ビットを、それぞれがｎ個の情報ビットから成る複数のブロックへパーティション化する段階と、
それぞれがｎ個の情報ビットから成るブロックをｍ回繰り返し、ｍ×ｎ個の情報ビットを生成する段階と
を含む、請求項１に記載の方法。
【請求項３】
前記第２データユニットを生成する段階は、前記ｍ×ｎ個の情報ビットをインターリービングする段階をさらに有する、請求項２に記載の方法。
【請求項４】
前記非ゼロトーンの前記第２の数は前記非ゼロトーンの前記第１の数の半分以下であり、
前記第２帯域幅は前記第１帯域幅の半分以下である、請求項１から３のいずれか１項に記載の方法。
【請求項５】
前記第１の複数のＯＦＤＭシンボルを生成する段階は、６４ポイントの離散逆フーリエ変換（ＩＤＦＴ）を利用する段階を含み、
前記第２の複数のＯＦＤＭシンボルを生成する段階は、（ｉ）６４ポイントのＩＤＦＴを用い、結果として得られるトーンの少なくとも半分をゼロ設定する段階、または、（ｉｉ）３２ポイントのＩＤＦＴを用いる段階を含む、請求項４に記載の方法。
【請求項６】
前記第１の複数の情報ビットをＦＥＣエンコードする段階は、複数の相対的なスループットレベルに対応する複数の変調符号化方式（ＭＣＳ）から選択される第１ＭＣＳに従って実行され、
前記ＦＥＣエンコードされた第１の複数の情報ビットを前記第１の複数のコンスタレーションシンボルにマッピングする段階は、前記第１ＭＣＳに従って実行され、
前記第２の複数の情報ビットをＦＥＣエンコードする段階は、前記複数の相対的なスループットレベルのうち最も低い相対的なスループットレベル以下の相対的なスループットレベルに対応する第２ＭＣＳに従って実行され、
前記ブロックエンコードされた前記第２の複数の情報ビットを前記第２の複数のコンスタレーションシンボルにマッピングする段階は、前記第２ＭＣＳに従って実行される、請求項１から５のいずれか１項に記載の方法。
【請求項７】
前記第１の複数の情報ビットの少なくとも一部は、前記第１データユニットのデータ部分に対応し、
前記第２の複数の情報ビットの少なくとも一部は、前記第２データユニットのデータ部分に対応する、請求項１から６のいずれか１項に記載の方法。
【請求項８】
前記第１の複数の情報ビットの他の一部は、前記第１データユニットのプリアンブルの信号フィールドに対応し、
前記第２の複数の情報ビットの他の一部は、前記第２データユニットのプリアンブルの信号フィールドに対応する、請求項７に記載の方法。
【請求項９】
前記第１の複数の情報ビットをＦＥＣエンコードする段階は、前記第１の複数の情報ビットを２値畳み込み符号（ＢＣＣ）エンコードする段階を含み、
前記第２の複数の情報ビットをＦＥＣエンコードする段階は、前記第２の複数の情報ビットをＢＣＣエンコードする段階を含む、請求項１から８のいずれか１項に記載の方法。
【請求項１０】
前記第１の複数の情報ビットをＦＥＣエンコードする段階は、前記第１の複数の情報ビットを低密度パリティチェック（ＬＤＰＣ）エンコードする段階を含み、
前記第２の複数の情報ビットをＦＥＣエンコードする段階は、前記第２の複数の情報ビットをＬＤＰＣエンコードする段階を含む、請求項１から９のいずれか１項に記載の方法。
【請求項１１】
前記第２の複数のコンスタレーションシンボルは前記第１の複数のコンスタレーションシンボルとは異なる、請求項１から１０のいずれか１項に記載の方法。
【請求項１２】
装置であり、
前記装置はネットワークインタフェースを備え、
前記ネットワークインタフェースは、第１物理層モード（第１ＰＨＹモード）に対応する第１データユニットを生成し、
前記ネットワークインタフェースは、
（ａ）第１の複数の情報ビットを順方向誤り訂正（ＦＥＣ）エンコードし、
（ｂ）ＦＥＣエンコードされた前記第１の複数の情報ビットを第１の複数のコンスタレーションシンボルにマッピングし、
（ｃ）前記第１の複数のコンスタレーションシンボルを含む第１の複数の直交周波数分割多重シンボル（ＯＦＤＭシンボル）を生成する
ことに少なくとも一部基づいて前記第１データユニットを生成し、
前記第１の複数のＯＦＤＭシンボルは、（ｉ）第１トーン間隔を用い、（ｉｉ）全体として第１帯域幅に亘る第１の数の非ゼロトーンを含み、
前記ネットワークインタフェースはさらに、第２物理層モード（第２ＰＨＹモード）に対応する第２データユニットを生成し、
前記ネットワークインタフェースは、
（ａ）第２の複数の情報ビットをＦＥＣエンコードし、
（ｂ）ＦＥＣエンコードされた前記第２の複数の情報ビットをブロックエンコードし、
（ｃ）ブロックエンコードされた前記第２の複数の情報ビットを第２の複数のコンスタレーションシンボルにマッピングし、
（ｄ）前記第２の複数のコンスタレーションシンボルを含む第２の複数のＯＦＤＭシンボルを生成する
ことに少なくとも一部基づいて前記第２データユニットを生成し、
前記第２の複数のＯＦＤＭシンボルは、（ｉ）前記第１トーン間隔を用い、（ｉｉ）全体として第２帯域幅に亘る第２の数の非ゼロトーンを含み、
前記非ゼロトーンの前記第２の数は前記非ゼロトーンの前記第１の数未満であり、
前記第２帯域幅は前記第１帯域幅よりも小さい、装置。
【請求項１３】
前記ネットワークインタフェースは少なくとも、
前記第２の複数の情報ビットを、それぞれがｎ個の情報ビットから成る複数のブロックへパーティション化し、
それぞれがｎ個の情報ビットから成るブロックをｍ回繰り返し、ｍ×ｎ個の情報ビットを生成する
ことにより、前記ＦＥＣエンコードされた第２の複数の情報ビットをブロックエンコードする、請求項１２に記載の装置。
【請求項１４】
前記ネットワークインタフェースはさらに、前記ｍ×ｎ個の情報ビットをインターリービングすることにより前記第２データユニットを生成する、請求項１３に記載の装置。
【請求項１５】
前記非ゼロトーンの前記第２の数は前記非ゼロトーンの前記第１の数の半分以下であり、
前記第２帯域幅は前記第１帯域幅の半分以下である、請求項１２から１４のいずれか１項に記載の装置。
【請求項１６】
前記ネットワークインタフェースは、
少なくとも、６４ポイントの離散逆フーリエ変換（ＩＤＦＴ）を用いることにより前記第１の複数のＯＦＤＭシンボルを生成し、
少なくとも、（ｉ）６４ポイントのＩＤＦＴを用い、結果として得られるトーンの少なくとも半分をゼロ設定すること、または、（ｉｉ）３２ポイントのＩＤＦＴを用いることにより前記第２の複数のＯＦＤＭシンボルを生成する、
請求項１５に記載の装置。
【請求項１７】
前記ネットワークインタフェースは、
複数の相対的なスループットレベルに対応する複数の変調符号化方式（ＭＣＳ）から選択される第１ＭＣＳに従って、前記第１の複数の情報ビットをＦＥＣエンコードし、
前記ＦＥＣエンコードされた第１の複数の情報ビットを、前記第１ＭＣＳに従って前記第１の複数のコンスタレーションシンボルにマッピングし、
前記複数の相対的なスループットレベルのうち最も低い相対的なスループットレベル以下の相対的なスループットレベルに対応する第２ＭＣＳに従って、前記第２の複数の情報ビットをＦＥＣエンコードし、
前記ブロックエンコードされた前記第２の複数の情報ビットを、前記第２ＭＣＳに従って前記第２の複数のコンスタレーションシンボルにマッピングする、
請求項１２から１６のいずれか１項に記載の装置。
【請求項１８】
前記第１の複数の情報ビットの少なくとも一部は、前記第１データユニットのデータ部分に対応し、
前記第２の複数の情報ビットの少なくとも一部は、前記第２データユニットのデータ部分に対応する、請求項１２から１７のいずれか１項に記載の装置。
【請求項１９】
前記第１の複数の情報ビットの他の一部は、前記第１データユニットのプリアンブルの信号フィールドに対応し、
前記第２の複数の情報ビットの他の一部は、前記第２データユニットのプリアンブルの信号フィールドに対応する、請求項１８に記載の装置。
【請求項２０】
前記ネットワークインタフェースは、
少なくとも、前記第１の複数の情報ビットを２値畳み込み符号（ＢＣＣ）エンコードすることにより前記第１の複数の情報ビットをＦＥＣエンコードし、
少なくとも、前記第２の複数の情報ビットをＢＣＣエンコードすることにより前記第２の複数の情報ビットをＦＥＣエンコードする、
請求項１２から１９のいずれか１項に記載の装置。
【請求項２１】
前記ネットワークインタフェースは、
少なくとも、前記第１の複数の情報ビットを低密度パリティチェック（ＬＤＰＣ）エンコードすることにより前記第１の複数の情報ビットをＦＥＣエンコードし、
少なくとも、前記第２の複数の情報ビットをＬＤＰＣエンコードすることにより前記第２の複数の情報ビットをＦＥＣエンコードする、
請求項１２から２０のいずれか１項に記載の装置。
【請求項２２】
前記第２の複数のコンスタレーションシンボルは前記第１の複数のコンスタレーションシンボルとは異なる、請求項１２から２１のいずれか１項に記載の装置。
【請求項２３】
方法であり、
第１物理層モード（第１ＰＨＹモード）に対応する第１データユニットを生成する段階を備え、
前記第１データユニットを生成する段階は、
（ａ）複数の相対的なスループットレベルに対応する複数の変調符号化方式（ＭＣＳ）から選択される第１ＭＣＳに従って、一部が前記第１データユニットのデータ部分に対応し、他の一部が前記第１データユニットのプリアンブルの信号フィールドに対応する第１の複数の情報ビットを順方向誤り訂正（ＦＥＣ）エンコードする段階と、
（ｂ）ＦＥＣエンコードされた前記第１の複数の情報ビットを、前記第１ＭＣＳに従って第１の複数のコンスタレーションシンボルにマッピングする段階と、
（ｃ）前記第１の複数のコンスタレーションシンボルを含む第１の複数の直交周波数分割多重シンボル（ＯＦＤＭシンボル）を生成する段階と
を有し、
前記第１の複数のＯＦＤＭシンボルは、（ｉ）第１トーン間隔を用い、（ｉｉ）全体として第１帯域幅に亘る第１の数の非ゼロトーンを含み、
前記方法は、第２物理層モード（第２ＰＨＹモード）に対応する第２データユニットを生成する段階をさらに備え、
前記第２データユニットを生成する段階は、
（ａ）前記複数の相対的なスループットレベルのうち最も低い相対的なスループットレベル以下の相対的なスループットレベルに対応する第２ＭＣＳに従って、一部が前記第２データユニットのデータ部分に対応し、他の一部が前記第２データユニットのプリアンブルの信号フィールドに対応する第２の複数の情報ビットをＦＥＣエンコードする段階と、
（ｂ）ＦＥＣエンコードされた前記第２の複数の情報ビットをそれぞれがｎ個の情報ビットから成る複数のブロックにパーティション化する段階と、
（ｃ）それぞれがｎ個の情報ビットから成るブロックを２回繰り返し、２×ｎ個の情報ビットを生成する段階と、
（ｄ）パーティション化され繰り返された前記第２の複数の情報ビットを、前記第２ＭＣＳに従って第２の複数のコンスタレーションシンボルにマッピングする段階と、
（ｅ）前記第２の複数のコンスタレーションシンボルを含む第２の複数のＯＦＤＭシンボルを生成する段階と
を有し、
前記第２の複数のＯＦＤＭシンボルは、（ｉ）前記第１トーン間隔を用い、（ｉｉ）全体として第２帯域幅に亘る第２の数の非ゼロトーンを含み、
前記非ゼロトーンの前記第２の数は前記非ゼロトーンの前記第１の数の半分以下であり、
前記第２帯域幅は前記第１帯域幅の半分以下である、方法。
【請求項２４】
前記第１の複数のＯＦＤＭシンボルを生成する段階は、６４ポイントの離散逆フーリエ変換（ＩＤＦＴ）を用いる段階を含み、
前記第２の複数のＯＦＤＭシンボルを生成する段階は、（ｉ）６４ポイントのＩＤＦＴを用い、結果として得られるトーンの少なくとも半分をゼロ設定する段階、または、（ｉｉ）３２ポイントのＩＤＦＴを用いる段階を含む、請求項２３に記載の方法。
【請求項２５】
前記第１の複数の情報ビットをＦＥＣエンコードする段階は、前記第１の複数の情報ビットを２値畳み込み符号（ＢＣＣ）エンコードする段階を含み、
前記第２の複数の情報ビットをＦＥＣエンコードする段階は、前記第２の複数の情報ビットをＢＣＣエンコードする段階を含む、請求項２３または２４に記載の方法。
【請求項２６】
装置であり、
前記装置はネットワークインタフェースを備え、
前記ネットワークインタフェースは第１物理層モード（第１ＰＨＹモード）に対応する第１データユニットを生成し、
前記ネットワークインタフェースは、
（ａ）複数の相対的なスループットレベルに対応する複数の変調符号化方式（ＭＣＳ）から選択される第１ＭＣＳに従って、一部が前記第１データユニットのデータ部分に対応し、他の一部が前記第１データユニットのプリアンブルの信号フィールドに対応する第１の複数の情報ビットを順方向誤り訂正（ＦＥＣ）エンコードし、
（ｂ）ＦＥＣエンコードされた前記第１の複数の情報ビットを、前記第１ＭＣＳに従って第１の複数のコンスタレーションシンボルにマッピングし、
（ｃ）前記第１の複数のコンスタレーションシンボルを含む第１の複数の直交周波数分割多重シンボル（ＯＦＤＭシンボル）を生成する
ことに少なくとも一部基づいて前記第１データユニットを生成し
前記第１の複数のＯＦＤＭシンボルは、（ｉ）第１トーン間隔を用い、（ｉｉ）全体として第１帯域幅に亘る第１の数の非ゼロトーンを含み、
前記ネットワークインタフェースは、第２物理層モード（第２ＰＨＹモード）に対応する第２データユニットを生成し、
前記ネットワークインタフェースは、
（ａ）前記複数の相対的なスループットレベルのうち最も低い相対的なスループットレベル以下の相対的なスループットレベルに対応する第２ＭＣＳに従って、一部が前記第２データユニットのデータ部分に対応し、他の一部が前記第２データユニットのプリアンブルの信号フィールドに対応する第２の複数の情報ビットをＦＥＣエンコードし、
（ｂ）ＦＥＣエンコードされた前記第２の複数の情報ビットをそれぞれがｎ個の情報ビットから成る複数のブロックにパーティション化し、
（ｃ）それぞれがｎ個の情報ビットから成るブロックを２回繰り返し、２×ｎ個の情報ビットを生成し、
（ｄ）パーティション化され繰り返された前記第２の複数の情報ビットを、前記第２ＭＣＳに従って第２の複数のコンスタレーションシンボルにマッピングし、
（ｅ）前記第２の複数のコンスタレーションシンボルを含む第２の複数のＯＦＤＭシンボルを生成する
ことに少なくとも一部基づいて前記第２データユニットを生成し、
前記第２の複数のＯＦＤＭシンボルは、（ｉ）前記第１トーン間隔を用い、（ｉｉ）全体として第２帯域幅に亘る第２の数の非ゼロトーンを含み、
前記非ゼロトーンの前記第２の数は前記非ゼロトーンの前記第１の数の半分以下であり、
前記第２帯域幅は前記第１帯域幅の半分以下である、装置。
【請求項２７】
前記ネットワークインタフェースは、
少なくとも、６４ポイントの離散逆フーリエ変換（ＩＤＦＴ）を用いることにより前記第１の複数のＯＦＤＭシンボルを生成し、
少なくとも、（ｉ）６４ポイントのＩＤＦＴを用い、結果として得られるトーンの少なくとも半分をゼロ設定すること、または、（ｉｉ）３２ポイントのＩＤＦＴを用いることにより前記第２の複数のＯＦＤＭシンボルを生成する、
請求項２６に記載の装置。
【請求項２８】
前記ネットワークインタフェースは、
少なくとも、前記第１の複数の情報ビットを２値畳み込み符号（ＢＣＣ）エンコードすることにより前記第１の複数の情報ビットをＦＥＣエンコードし、
少なくとも、前記第２の複数の情報ビットをＢＣＣエンコードすることにより前記第２の複数の情報ビットをＦＥＣエンコードする、
請求項２６または２７に記載の装置。
【請求項２９】
方法であり、
第１物理層モード（第１ＰＨＹモード）に対応する第１データユニットの第１プリアンブルを生成する段階を備え、
前記第１プリアンブルを生成する段階は、
第１期間を有し、繰り返しの第１シーケンスを含む第１ショートトレーニングフィールド（第１ＳＴＦ）を生成する段階と、
前記第１ＳＴＦに続く第１ロングトレーニングフィールド（第１ＬＴＦ）を生成する段階と、
前記第１ＬＴＦに続く第１信号フィールド（第１ＳＩＧフィールド）を生成する段階と
を有し、
前記第１ＳＩＧフィールドは、
前記第１データユニットを解釈するための情報を提供し、
前記第１データユニットが前記第１ＰＨＹモードに対応することを受信機に対して示すべく第１変調技術に従って変調された第１直交周波数分割多重シンボル（第１ＯＦＤＭシンボル）を含み、
前記第１ＯＦＤＭシンボルは、
（ｉ）前記第１ＬＴＦが開始した後、第１時間間隔をおいて開始し、
（ｉｉ）前記第１ＬＴＦが開始した後、第２時間間隔をおいて終了し、
前記方法は、前記第１ＰＨＹモードと異なる第２物理層モード（第２ＰＨＹモード）に対応する第２データユニットの第２プリアンブルを生成する段階をさらに備え、
前記第２プリアンブルを生成する段階は、前記第１期間より長い第２期間を有する、前記繰り返しの第１シーケンスと異なる繰り返しの第２シーケンスを含む第２ＳＴＦを生成する段階を有し、
前記繰り返しの第２シーケンスの周期は、前記繰り返しの第１シーケンスの周期と等しく、
前記第２プリアンブルを生成する段階は、前記第２ＳＴＦに続く第２ロングトレーニングフィールド（第２ＬＴＦ）を生成する段階をさらに有し、
前記第２ＬＴＦは第２直交周波数分割多重シンボル（第２ＯＦＤＭシンボル）を含み、
前記第２ＯＦＤＭシンボルは、
前記第２データユニットが前記第２ＰＨＹモードに対応することを受信機に対して示すべく、前記第１変調技術と異なる第２変調技術に従って変調され、
前記第２プリアンブルの、
（ｉ）前記第２ＬＴＦが開始した後、第３時間間隔をおいて開始し、
（ｉｉ）前記第２ＬＴＦが開始した後、第４時間間隔をおいて終了する
一の位置を少なくとも部分的に占有し、
前記第３時間間隔は前記第１時間間隔と等しく、
前記第４時間間隔は前記第２時間間隔に等しい、方法。
【請求項３０】
前記第１変調技術は、（ｉ）二位相偏移変調（ＢＰＳＫ）と（ｉｉ）四位相偏移変調（ｑｕａｔｅｒｎａｒｙ  ｂｉｎａｒｙ  ｐｈａｓｅ  ｓｈｉｆｔ  ｋｅｙｉｎｇ）（ＱＢＰＳＫ）とのうち一方であり、
前記第２変調技術は（ｉ）ＢＰＳＫと（ｉｉ）ＱＢＰＳＫとのうち他方である、請求項２９に記載の方法。
【請求項３１】
前記第２ＯＦＤＭシンボルは、前記第２ＬＴＦが開始した後、前記第３時間間隔をおいて開始し、前記第２ＬＴＦが開始した後、前記第４時間間隔をおいて終了する、請求項２９に記載の方法。
【請求項３２】
前記第１プリアンブルを生成する段階は、前記第１ＳＩＧフィールドに続く第２信号フィールド（第２ＳＩＧフィールド）を生成する段階をさらに有し、
前記第２ＳＩＧフィールドは、（ｉ）前記第１データユニットがシングルユーザデータユニットであることを受信機に対して示すべく第３変調技術、または、（ｉｉ）前記第３変調技術とは異なる、前記第１データユニットがマルチユーザデータユニットであることを受信機に対して示すべく第４変調技術に従って変調された第３直交周波数分割多重シンボル（第３ＯＦＤＭシンボル）を含む、請求項２９に記載の方法。
【請求項３３】
前記第３変調技術は、（ｉ）二位相偏移変調（ＢＰＳＫ）と（ｉｉ）四位相偏移変調（ＱＢＰＳＫ）とのうち一方であり、
前記第４変調技術は、（ｉ）ＢＰＳＫと（ｉｉ）ＱＢＰＳＫとのうち他方である、請求項３２に記載の方法。
【請求項３４】
前記第１プリアンブルは、前記第１ＯＦＤＭシンボルの直前の第１ガードインターバルを含み、
前記第２プリアンブルは、前記第２ＯＦＤＭシンボルの直前の第２ガードインターバルを含む、請求項２９に記載の方法。
【請求項３５】
前記第１ガードインターバルの期間は前記第２ガードインターバルの期間に等しい、請求項３４に記載の方法。
【請求項３６】
装置であり、
前記装置はネットワークインタフェースを備え、
前記ネットワークインタフェースは、第１物理層モード（第１ＰＨＹモード）に対応する第１データユニットの第１プリアンブルを生成し、
前記ネットワークインタフェースは、
第１期間を有し、繰り返しの第１シーケンスを含む第１ショートトレーニングフィールド（第１ＳＴＦ）を生成し、
前記第１ＳＴＦに続く第１ロングトレーニングフィールド（第１ＬＴＦ）を生成し、
前記第１ＬＴＦに続く第１信号フィールド（第１ＳＩＧフィールド）を生成する
ことに少なくとも一部基づいて前記第１プリアンブルを生成し、
前記第１ＳＩＧフィールドは、
前記第１データユニットを解釈するための情報を提供し、
前記第１データユニットが前記第１ＰＨＹモードに対応することを受信機に対して示すべく第１変調技術に従って変調された第１直交周波数分割多重シンボル（第１ＯＦＤＭシンボル）を含み、
前記第１ＯＦＤＭシンボルは、
（ｉ）前記第１ＬＴＦが開始した後、第１時間間隔をおいて開始し、
（ｉｉ）前記第１ＬＴＦが開始した後、第２時間間隔をおいて終了し、
前記ネットワークインタフェースは、前記第１ＰＨＹモードと異なる第２物理層モード（第２ＰＨＹモード）に対応する第２データユニットの第２プリアンブルをさらに生成し、
前記ネットワークインタフェースは、前記第１期間より長い第２期間を有する、前記繰り返しの第１シーケンスと異なる繰り返しの第２シーケンスを含む第２ＳＴＦを生成することに少なくとも一部基づいて前記第２プリアンブルを生成し、
前記繰り返しの第２シーケンスの周期は、前記繰り返しの第１シーケンスの周期と等しく、
前記ネットワークインタフェースはさらに、前記第２ＳＴＦに続く第２ロングトレーニングフィールド（第２ＬＴＦ）を生成することに少なくとも一部基づいて前記第２プリアンブルを生成し、
前記第２ＬＴＦは第２直交周波数分割多重シンボル（第２ＯＦＤＭシンボル）を含み、
前記第２ＯＦＤＭシンボルは、
前記第２データユニットが前記第２ＰＨＹモードに対応することを受信機に対して示すべく、前記第１変調技術と異なる第２変調技術に従って変調され、
前記第２プリアンブルの、
（ｉ）前記第２ＬＴＦが開始した後、第３時間間隔をおいて開始し、
（ｉｉ）前記第２ＬＴＦが開始した後、第４時間間隔をおいて終了する
一の位置を少なくとも部分的に占有し、
前記第３時間間隔は前記第１時間間隔と等しく、
前記第４時間間隔は前記第２時間間隔に等しい、装置。
【請求項３７】
前記第１変調技術は、（ｉ）二位相偏移変調（ＢＰＳＫ）と（ｉｉ）四位相偏移変調（ＱＢＰＳＫ）とのうち一方であり、
前記第２変調技術は、（ｉ）ＢＰＳＫと（ｉｉ）ＱＢＰＳＫとのうち他方である、請求項３６に記載の装置。
【請求項３８】
前記第２ＯＦＤＭシンボルは、前記第２ＬＴＦが開始した後、前記第３時間間隔をおいて開始し、前記第２ＬＴＦが開始した後、前記第４時間間隔をおいて終了する、請求項３６に記載の装置。
【請求項３９】
前記ネットワークインタフェースは、前記第１プリアンブルを生成することの一部として、前記第１ＳＩＧフィールドに続く第２信号フィールド（第２ＳＩＧフィールド）を生成し、
前記第２ＳＩＧフィールドは、（ｉ）前記第１データユニットがシングルユーザデータユニットであることを受信機に対して示すべく第３変調技術、または、（ｉｉ）前記第３変調技術とは異なる、前記第１データユニットがマルチユーザデータユニットであることを受信機に対して示すべく第４変調技術に従って変調された第３直交周波数分割多重シンボル（第３ＯＦＤＭシンボル）を含む、請求項３６に記載の装置。
【請求項４０】
前記第３変調技術は、（ｉ）二位相偏移変調（ＢＰＳＫ）と（ｉｉ）四位相偏移変調（ＱＢＰＳＫ）とのうち一方であり、
前記第４変調技術は、（ｉ）ＢＰＳＫと（ｉｉ）ＱＢＰＳＫとのうち他方である、請求項３９に記載の装置。
【請求項４１】
前記ネットワークインタフェースは、
前記第１プリアンブルを生成することの一部として、前記第１ＯＦＤＭシンボルの直前の第１ガードインターバルを含め、
前記第２プリアンブルを生成することの一部として、前記第２ＯＦＤＭシンボルの直前の第２ガードインターバルを含める、
請求項３６に記載の装置。
【請求項４２】
前記第１ガードインターバルの期間は前記第２ガードインターバルの期間に等しい、請求項４１に記載の装置。
【請求項４３】
方法であり、
第１物理層モード（第１ＰＨＹモード）に対応する第１データユニットの第１プリアンブルを生成する段階を備え、
前記第１プリアンブルを生成する段階は、
第１ロングトレーニングフィールド（第１ＬＴＦ）を生成する段階と、
前記第１ＬＴＦに続く第１信号フィールド（第１ＳＩＧフィールド）を生成する段階と
を有し、
前記第１ＳＩＧフィールドは、
前記第１データユニットを解釈するための情報を提供し、
前記第１データユニットが前記第１ＰＨＹモードに対応することを受信機に対して示すべく第１変調技術に従って変調された第１直交周波数分割多重シンボル（第１ＯＦＤＭシンボル）を含み、
前記第１ＯＦＤＭシンボルは、
（ｉ）前記第１ＬＴＦが開始した後、第１時間間隔をおいて開始し、
（ｉｉ）前記第１ＬＴＦが開始した後、第２時間間隔をおいて終了し、
前記第１プリアンブルを生成する段階は、前記第１ＳＩＧフィールドに続く第２信号フィールド（第２ＳＩＧフィールド）を生成する段階をさらに有し、
前記第２ＳＩＧフィールドは、
前記第１データユニットを解釈するための情報を提供し、
（ｉ）前記第１データユニットがシングルユーザデータユニットであることを受信機に対して示すべく第２変調技術、または（ｉｉ）前記第２変調技術とは異なる、前記第１データユニットがマルチユーザデータユニットであることを受信機に対して示すべく第３変調技術に従って変調された第２直交周波数分割多重シンボル（第２ＯＦＤＭシンボル）を含み、
前記方法は、前記第１ＰＨＹモードと異なる第２物理層モード（第２ＰＨＹモード）に対応する第２データユニットの第２プリアンブルを生成する段階をさらに備え、
前記第２プリアンブルを生成する段階は、第２ロングトレーニングフィールド（第２ＬＴＦ）を生成する段階をさらに有し、
前記第２ＬＴＦは第３直交周波数分割多重シンボル（第３ＯＦＤＭシンボル）を含み、
前記第３ＯＦＤＭシンボルは、
前記第２データユニットが前記第２ＰＨＹモードに対応することを受信機に対して示すべく、前記第１変調技術と異なる第４変調技術に従って変調され、
前記第２プリアンブルの、
（ｉ）前記第２ＬＴＦが開始した後、第３時間間隔をおいて開始し、
（ｉｉ）前記第２ＬＴＦが開始した後、第４時間間隔をおいて終了する
一の位置を少なくとも部分的に占有し、
前記第３時間間隔は前記第１時間間隔と等しく、
前記第４時間間隔は前記第２時間間隔に等しい、方法。
【請求項４４】
前記第１変調技術は、（ｉ）二位相偏移変調（ＢＰＳＫ）と（ｉｉ）四位相偏移変調（ＱＢＰＳＫ）とのうち一方であり、
前記第４変調技術は、（ｉ）ＢＰＳＫと（ｉｉ）ＱＢＰＳＫとのうち他方であり、
前記第２変調技術は、（ｉ）ＢＰＳＫと（ｉｉ）ＱＢＰＳＫとのうち一方であり、
前記第３変調技術は、（ｉ）ＢＰＳＫと（ｉｉ）ＱＢＰＳＫとのうち他方である、請求項４３に記載の方法。
【請求項４５】
前記第３ＯＦＤＭシンボルは、前記第２ＬＴＦが開始した後、前記第３時間間隔をおいて開始し、前記第２ＬＴＦが開始した後、前記第４時間間隔をおいて終了する、請求項４３に記載の方法。
【請求項４６】
装置であり、
前記装置はネットワークインタフェースを備え、
前記ネットワークインタフェースは、第１物理層モード（第１ＰＨＹモード）に対応する第１データユニットの第１プリアンブルを生成し、
前記ネットワークインタフェースは、
第１ロングトレーニングフィールド（第１ＬＴＦ）を生成し、
前記第１ＬＴＦに続く第１信号フィールド（第１ＳＩＧフィールド）を生成する
ことに少なくとも一部基づいて前記第１プリアンブルを生成し、
前記第１ＳＩＧフィールドは、
前記第１データユニットを解釈するための情報を提供し、
前記第１データユニットが前記第１ＰＨＹモードに対応することを受信機に対して示すべく第１変調技術に従って変調された第１直交周波数分割多重シンボル（第１ＯＦＤＭシンボル）を含み、
前記第１ＯＦＤＭシンボルは、
（ｉ）前記第１ＬＴＦが開始した後、第１時間間隔をおいて開始し、
（ｉｉ）前記第１ＬＴＦが開始した後、第２時間間隔をおいて終了し、
前記ネットワークインタフェースはさらに、前記第１ＳＩＧフィールドに続く第２信号フィールド（第２ＳＩＧフィールド）を生成することに少なくとも一部基づいて前記第１プリアンブルを生成し、
前記第２ＳＩＧフィールドは、
前記第１データユニットを解釈するための情報を提供し、
（ｉ）前記第１データユニットがシングルユーザデータユニットであることを受信機に対して示すべく第２変調技術、または（ｉｉ）前記第２変調技術とは異なる、前記第１データユニットがマルチユーザデータユニットであることを受信機に対して示すべく第３変調技術に従って変調された第２直交周波数分割多重シンボル（第２ＯＦＤＭシンボル）を含み、
前記ネットワークインタフェースは、前記第１ＰＨＹモードと異なる第２物理層モード（第２ＰＨＹモード）に対応する第２データユニットの第２プリアンブルをさらに生成し、
前記ネットワークインタフェースは、第２ロングトレーニングフィールド（第２ＬＴＦ）を生成することに少なくとも一部基づいて前記第２プリアンブルを生成し、
前記第２ＬＴＦは第３直交周波数分割多重シンボル（第３ＯＦＤＭシンボル）を含み、
前記第３ＯＦＤＭシンボルは、
前記第２データユニットが前記第２ＰＨＹモードに対応することを受信機に対して示すべく、前記第１変調技術と異なる第４変調技術に従って変調され、
前記第２プリアンブルの、
（ｉ）前記第２ＬＴＦが開始した後、第３時間間隔をおいて開始し、
（ｉｉ）前記第２ＬＴＦが開始した後、第４時間間隔をおいて終了する
一の位置を少なくとも部分的に占有し、
前記第３時間間隔は前記第１時間間隔と等しく、
前記第４時間間隔は前記第２時間間隔に等しい、装置。
【請求項４７】
前記第１変調技術は、（ｉ）二位相偏移変調（ＢＰＳＫ）と（ｉｉ）四位相偏移変調（ＱＢＰＳＫ）とのうち一方であり、
前記第４変調技術は、（ｉ）ＢＰＳＫと（ｉｉ）ＱＢＰＳＫとのうち他方であり、
前記第２変調技術は、（ｉ）ＢＰＳＫと（ｉｉ）ＱＢＰＳＫとのうち一方であり、
前記第３変調技術は、（ｉ）ＢＰＳＫと（ｉｉ）ＱＢＰＳＫとのうち他方である、請求項４６に記載の装置。
【請求項４８】
前記第３ＯＦＤＭシンボルは、前記第２ＬＴＦが開始した後、前記第３時間間隔をおいて開始し、前記第２ＬＴＦが開始した後、前記第４時間間隔をおいて終了する、請求項４６に記載の装置。
【請求項４９】
第１物理層モード（第１ＰＨＹモード）に準拠するデータユニットと、前記第１ＰＨＹモードと異なる第２物理層モード（第２ＰＨＹモード）に準拠するデータユニットとを生成し、送信されるようにする、前記第１ＰＨＹモードに準拠する前記データユニットを送信するために、それぞれが第１帯域幅を有する複数のチャネルを用いる通信システムにおける方法であり、
前記第１ＰＨＹモードに準拠する第１データユニットを生成する段階を備え、
前記第１データユニットを生成する段階は、第１シリーズの直交周波数分割多重シンボル（ＯＦＤＭシンボル）を生成する段階を有し、
前記方法は、
前記複数のチャネルのうち一のチャネルを介して前記第１データユニットが送信されるようにする段階と、
前記第２ＰＨＹモードに準拠する第２データユニットを生成する段階と
をさらに備え、
前記第２データユニットを生成する段階は、第２シリーズのＯＦＤＭシンボルを生成する段階を有し、
前記第２シリーズのＯＦＤＭシンボルの少なくとも一部は、（ｉ）下縁のガードトーンよりも多くの上縁のガードトーン、または、（ｉｉ）上縁のガードトーンよりも多くの下縁のガードトーンを含み、
前記方法は、前記第２データユニットを送信するための周波数帯域を決定する段階をさらに備え、
前記周波数帯域は、前記第１帯域幅をｎ≧２である整数ｎにより除算して得られる帯域幅に等しい第２帯域幅を有し、
前記第２データユニットを送信するための前記周波数帯域を決定する段階は、
（ｉ）前記第２シリーズのＯＦＤＭシンボルの前記少なくとも一部が下縁のガードトーンよりも多くの上縁のガードトーンを含む場合、前記複数のチャネルのうち１以上のチャネルのそれぞれの最も低い副帯域を、または、
（ｉｉ）前記第２シリーズのＯＦＤＭシンボルの前記少なくとも一部が上縁のガードトーンよりも多くの下縁のガードトーンを含む場合、前記複数のチャネルのうち前記１以上のチャネルのそれぞれの最も高い副帯域を
除外する段階を有し、
前記複数のチャネルのうち各チャネルの各副帯域は前記第２帯域幅を有し、
前記方法は、決定された前記周波数帯域を介して前記第２データユニットが送信されるようにする段階をさらに備える、方法。
【請求項５０】
前記整数ｎは２に等しい、請求項４９に記載の方法。
【請求項５１】
前記第１シリーズのＯＦＤＭシンボルを生成する段階は、６４ポイントの高速逆フーリエ変換（ＩＤＦＴ）を利用する段階を含み、
前記第２シリーズのＯＦＤＭシンボルを生成する段階は、３２ポイントのＩＤＦＴを利用する段階を含む、請求項５０に記載の方法。
【請求項５２】
前記第１シリーズのＯＦＤＭシンボルを生成する段階は、６４ポイントの高速逆フーリエ変換（ＩＤＦＴ）を利用する段階を含み、
前記第２シリーズのＯＦＤＭシンボルを生成する段階は、６４ポイントのＩＤＦＴを利用し、生成されるトーンの合計数の少なくとも半分をゼロに設定する段階を含む、請求項５０に記載の方法。
【請求項５３】
前記第１シリーズのＯＦＤＭシンボルを生成する段階は、第１クロックレートを利用する段階を含み、
前記第２シリーズのＯＦＤＭシンボルを生成する段階は、前記第１クロックレートを利用する段階を含む、請求項４９に記載の方法。
【請求項５４】
前記第１ＰＨＹモードは第１データスループットに対応し、
前記第２ＰＨＹモードは、前記第１データスループットよりも低い第２データスループットに対応する、請求項４９に記載の方法。
【請求項５５】
前記第２シリーズのＯＦＤＭシンボルの前記一部は、前記第２シリーズのＯＦＤＭシンボルのデータ部分を含む、請求項４９に記載の方法。
【請求項５６】
前記第２シリーズのＯＦＤＭシンボルの前記少なくとも一部は、上縁のガードトーンよりも多くの下縁のガードトーンを含み、
前記第２データユニットを送信するための前記周波数帯域を決定する段階は、前記複数のチャネルのうち前記１以上のチャネルの前記最も高い副帯域を除外する段階を有する、請求項４９に記載の方法。
【請求項５７】
前記複数のチャネルのうちの前記１以上のチャネルは、前記複数のチャネルのうち全てのチャネルを含む、請求項４９に記載の方法。
【請求項５８】
装置であり、
前記装置はネットワークインタフェースを備え、
前記ネットワークインタフェースは、
第１シリーズの直交周波数分割多重シンボル（ＯＦＤＭシンボル）を生成することに少なくとも一部基づいて第１ＰＨＹモードに準拠する第１データユニットを生成し、
それぞれが第１帯域幅を有する複数のチャネルのうち一のチャネルを介して前記第１データユニットが送信されるようにし、
第２シリーズのＯＦＤＭシンボルを生成することに少なくとも一部基づいて、前記第１ＰＨＹモードとは異なる第２物理層モード（第２ＰＨＹモード）に準拠する第２データユニットを生成し、
前記第２シリーズのＯＦＤＭシンボルの少なくとも一部は、（ｉ）下縁のガードトーンよりも多くの上縁のガードトーン、または、（ｉｉ）上縁のガードトーンよりも多くの下縁のガードトーンを含み、
前記ネットワークインタフェースは、前記第２データユニットを送信するための周波数帯域をさらに決定し、
前記周波数帯域は、前記第１帯域幅をｎ≧２である整数ｎにより除算して得られる帯域幅に等しい第２帯域幅を有し、
前記ネットワークインタフェースは、
（ｉ）前記第２シリーズのＯＦＤＭシンボルの前記少なくとも一部が下縁のガードトーンよりも多くの上縁のガードトーンを含む場合、前記複数のチャネルのうち１以上のチャネルのそれぞれの最も低い副帯域を、
（ｉｉ）前記第２シリーズのＯＦＤＭシンボルの前記少なくとも一部が上縁のガードトーンよりも多くの下縁のガードトーンを含む場合、前記複数のチャネルのうち前記１以上のチャネルのそれぞれの最も高い副帯域を
除外することに少なくとも一部基づいて前記第２データユニットを送信するための前記周波数帯域を決定し、
前記複数のチャネルのうち各チャネルの各副帯域は前記第２帯域幅を有し、
前記ネットワークインタフェースは、決定された前記周波数帯域を介して前記第２データユニットが送信されるようにする、装置。
【請求項５９】
前記整数ｎは２に等しい、請求項５８に記載の装置。
【請求項６０】
前記ネットワークインタフェースは、
６４ポイントの高速逆フーリエ変換（ＩＤＦＴ）を利用することに少なくとも一部基づいて前記第１シリーズのＯＦＤＭシンボルを生成し、
３２ポイントのＩＤＦＴを利用することに少なくとも一部基づいて前記第２シリーズのＯＦＤＭシンボルを生成する、
請求項５９に記載の装置。
【請求項６１】
前記ネットワークインタフェースは、
６４ポイントの高速逆フーリエ変換（ＩＤＦＴ）を利用することに少なくとも一部基づいて前記第１シリーズのＯＦＤＭシンボルを生成し、
６４ポイントのＩＤＦＴを利用し、生成されるトーンの合計数の少なくとも半分をゼロに設定することに少なくとも一部基づいて前記第２シリーズのＯＦＤＭシンボルを生成する、
請求項５９に記載の装置。
【請求項６２】
前記ネットワークインタフェースは、
第１クロックレートを利用することに少なくとも一部基づいて前記第１シリーズのＯＦＤＭシンボルを生成し、
前記第１クロックレートを利用することに少なくとも一部基づいて前記第２シリーズのＯＦＤＭシンボルを生成する、
請求項５８に記載の装置。
【請求項６３】
前記第１ＰＨＹモードは第１データスループットに対応し、
前記第２ＰＨＹモードは、前記第１データスループットよりも低い第２データスループットに対応する、請求項５８に記載の装置。
【請求項６４】
前記第２シリーズのＯＦＤＭシンボルの前記少なくとも一部は、前記第２シリーズのＯＦＤＭシンボルのデータ部分を含む、請求項５８に記載の装置。
【請求項６５】
前記第２シリーズのＯＦＤＭシンボルの前記一部は、上縁のガードトーンよりも多くの下縁のガードトーンを含み、
前記ネットワークインタフェースは、前記複数のチャネルのうち前記１以上のチャネルの前記最も高い副帯域を除外することに少なくとも一部基づいて前記第２データユニットを送信するための前記周波数帯域を決定する、請求項５８に記載の装置。
【請求項６６】
前記複数のチャネルのうちの前記１以上のチャネルは、前記複数のチャネルのうち全てのチャネルを含む、請求項５８に記載の装置。
【請求項６７】
通信システムにおいて、第１物理層モード（第１ＰＨＹモード）に準拠するデータユニットと、前記第１ＰＨＹモードと異なる第２物理層モード（第２ＰＨＹモード）に準拠するデータユニットとを生成し、送信されるようにする方法であり、
前記通信システムは、前記第１ＰＨＹモードに準拠する前記データユニットを送信するために、それぞれが第１帯域幅を有する複数のチャネルを用い、
前記方法は、
前記第１ＰＨＹモードに準拠する第１データユニットを生成する段階を備え、
前記第１データユニットを生成する段階は、クロックレートを利用して第１シリーズの直交周波数分割多重シンボル（ＯＦＤＭシンボル）を生成する段階を有し、
前記方法は、
前記複数のチャネルのうち一のチャネルを介して前記第１データユニットが送信されるようにする段階と、
前記第２ＰＨＹモードに準拠する第２データユニットを生成する段階と
をさらに備え、
前記第２データユニットを生成する段階は、前記クロックレートを利用して第２シリーズのＯＦＤＭシンボルを生成する段階を有し、
前記第２シリーズのＯＦＤＭシンボルの少なくとも１つのデータ部は、上縁のガードトーンよりも多くの下縁のガードトーンを含み、
前記方法は、前記第２データユニットを送信するための周波数帯域を決定する段階をさらに備え、
前記周波数帯域は、前記第１帯域幅の半分に等しい第２帯域幅を有し、
前記第２データユニットを送信するための前記周波数帯域を決定する段階は、前記複数のチャネルのうち１以上のチャネルのそれぞれの上側波帯を除外する段階を有し、
前記方法は、決定された前記周波数帯域を介して前記第２データユニットが送信されるようにする段階をさらに備える、方法。
【請求項６８】
装置であり、
前記装置はネットワークインタフェースを備え、
前記ネットワークインタフェースは、
クロックレートを利用して第１シリーズの直交周波数分割多重シンボル（ＯＦＤＭシンボル）を生成することに少なくとも一部基づいて第１物理層モード（第１ＰＨＹモード）に準拠する第１データユニットを生成し、
それぞれが第１帯域幅を有する複数のチャネルのうち一のチャネルを介して前記第１データユニットが送信されるようにし、
前記クロックレートを利用して第２シリーズのＯＦＤＭシンボルを生成することに少なくとも一部基づいて、前記第１ＰＨＹモードとは異なる第２物理層モード（第２ＰＨＹモード）に準拠する第２データユニットを生成し、
前記第２シリーズのＯＦＤＭシンボルの少なくとも１つのデータ部は、上縁のガードトーンよりも多くの下縁のガードトーンを含み、
前記ネットワークインタフェースは、前記第２データユニットを送信するための周波数帯域をさらに決定し、
前記周波数帯域は、前記第１帯域幅の半分に等しい第２帯域幅を有し、
前記ネットワークインタフェースは、
前記複数のチャネルのうち前記１以上のチャネルのそれぞれの上側波帯を除外することに少なくとも一部基づいて前記第２データユニットを送信するための前記周波数帯域を決定し、
決定された前記周波数帯域を介して前記第２データユニットが送信されるようにする、
装置。
【発明の詳細な説明】
【技術分野】
【０００１】
［関連出願の相互参照］
本開示は、以下の米国仮特許出願の便益を主張する。  発明の名称が「１１ａｈ  ＯＦＤＭ  Ｌｏｗ  Ｂａｎｄｗｉｄｔｈ  ＰＨＹ」であり、２０１１年６月１５日に提出された米国仮特許出願第６１／４９７，２７４号。  発明の名称が「１１ａｈ  ＯＦＤＭ  Ｌｏｗ  Ｂａｎｄｗｉｄｔｈ  ＰＨＹ」であり、２０１１年７月２９日に提出された米国仮特許出願第６１／５１３，４５２号。  発明の名称が「１１ａｈ  ＯＦＤＭ  Ｌｏｗ  Ｂａｎｄｗｉｄｔｈ  ＰＨＹ」であり、２０１１年８月２日に提出された米国仮特許出願第６１／５１４，１６４号。  発明の名称が「１１ａｈ  ＯＦＤＭ  Ｌｏｗ  Ｂａｎｄｗｉｄｔｈ  ＰＨＹ」であり、２０１１年８月１２日に提出された米国仮特許出願第６１／５２３，０１４号。  発明の名称が「１１ａｈ  ＯＦＤＭ  Ｌｏｗ  Ｂａｎｄｗｉｄｔｈ  ＰＨＹ」であり、２０１１年８月１５日に提出された米国仮特許出願第６１／５２３，７９９号。  発明の名称が「１１ａｈ  ＯＦＤＭ  Ｌｏｗ  Ｂａｎｄｗｉｄｔｈ  ＰＨＹ」であり、２０１１年８月１６日に提出された米国仮特許出願第６１／５２４，２３１号。  発明の名称が「１１ａｈ  ＯＦＤＭ  Ｌｏｗ  Ｂａｎｄｗｉｄｔｈ  ＰＨＹ」であり、２０１１年９月６日に提出された米国仮特許出願第６１／５３１，５４８号。  発明の名称が「１１ａｈ  ＯＦＤＭ  Ｌｏｗ  Ｂａｎｄｗｉｄｔｈ  ＰＨＹ」であり、２０１１年９月１４日に提出された米国仮特許出願第６１／５３４，６４１号。  発明の名称が「１１ａｈ  ＯＦＤＭ  Ｌｏｗ  Ｂａｎｄｗｉｄｔｈ  ＰＨＹ」であり、２０１１年９月２１日に提出された米国仮特許出願第６１／５３７，１６９号。  発明の名称が「１１ａｈ  ＯＦＤＭ  Ｌｏｗ  Ｂａｎｄｗｉｄｔｈ  ＰＨＹ」であり、２０１１年１０月２１日に提出された米国仮特許出願第６１／５５０，３２１号。  発明の名称が「１１ａｈ  ＯＦＤＭ  Ｌｏｗ  Ｂａｎｄｗｉｄｔｈ  ＰＨＹ」であり、２０１１年１０月２８日に提出された米国仮特許出願第６１／５５２，６３１号。  上記にて参照された全ての特許出願の開示内容は、それらの全体が本明細書に参照により組み込まれる。
【０００２】
本開示は一般的に通信ネットワークに関し、より詳細には長距離低電力無線ローカルエリアネットワークに関する。
【背景技術】
【０００３】
本セクションで示される背景技術は、本開示の背景を一般的に示すことを目的としている。この背景技術のセクションで説明される範囲において、本願発明の発明者らによる研究、および提出時点において先行技術として見なされ得ない説明の態様は、本開示の先行技術として明示的にも暗示的にも認められない。
【０００４】
インフラストラクチャモードで動作する場合、無線ローカルエリアネットワーク（ＷＬＡＮ）は典型的には、アクセスポイント（ＡＰ）および１以上のクライアント局を含む。ＷＬＡＮは過去１０年の間に急速に進化した。Ｉｎｓｔｉｔｕｔｅ  ｆｏｒ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１１ａ、８０２．１１ｂ、８０２．１１ｇ、および８０２．１１ｎ規格などのＷＬＡＮ規格の開発により、シングルユーザピークデータスループットは向上した。例えば、ＩＥＥＥ８０２．１１ｂ規格は１１メガビット／秒（Ｍｂｐｓ）のシングルユーザピークスループットを規定し、ＩＥＥＥ８０２．１１ａ規格および８０２．１１ｇ規格は、５４Ｍｂｐｓのシングルユーザピークスループットを規定し、ＩＥＥＥ８０２．１１ｎ規格は、６００Ｍｂｐｓのシングルユーザピークスループットを規定し、ＩＥＥＥ８０２．１１ａｃ規格は、ギガビット／秒（Ｇｂｐｓ）範囲のシングルユーザピークスループットを規定する。
【０００５】
２つの新たな規格、ＩＥＥＥ８０２．１１ａｈおよびＩＥＥＥ８０２．１１ａｆの研究が開始され、それぞれがサブ１ＧＨｚの周波数の無線ネットワーク動作を規定するであろう。低周波数通信チャネルは一般的に、高周波数での送信と比較し、より良好な伝搬品質およびより長い伝搬範囲を特徴とする。過去において、サブ１ＧＨｚの範囲は無線通信ネットワークには利用されてこなかった。なぜなら、そのような周波数は他の用途（例えば、認可されたＴＶの周波数帯域、無線周波数帯域など）のために確保されていたからである。サブ１ＧＨｚの範囲には認可されていないままの周波数帯域は少なく、また、各地理的領域においてそれぞれ異なる特定の認可されていない周波数が存在する。ＩＥＥＥ８０２．１１ａｈ規格は利用可能な認可されていないサブ１ＧＨｚの周波数帯域での無線動作を規定するであろう。ＩＥＥＥ８０２．１１ａｆ規格は、ＴＶ  Ｗｈｉｔｅ  Ｓｐａｃｅ（ＴＶＷＳ）、つまり、サブ１ＧＨｚの周波数帯域の使用されていないＴＶチャネルでの無線動作を規定するであろう。
【発明の概要】
【課題を解決するための手段】
【０００６】
一実施形態において、方法は、第１物理層モード（第１ＰＨＹモード）に対応する第１データユニットを生成する段階を備え、第１データユニットを生成する段階は、（ａ）第１の複数の情報ビットを順方向誤り訂正（ＦＥＣ）エンコードする段階と、（ｂ）ＦＥＣエンコードされた第１の複数の情報ビットを第１の複数のコンスタレーションシンボルにマッピングする段階と、（ｃ）第１の複数のコンスタレーションシンボルを含む第１の複数の直交周波数分割多重シンボル（ＯＦＤＭシンボル）を生成する段階とを有し、第１の複数のＯＦＤＭシンボルは、（ｉ）第１トーン間隔を用い、（ｉｉ）全体として第１帯域幅に亘る第１の数の非ゼロトーンを含み、方法は、第２ＰＨＹモードに対応する第２データユニットを生成する段階をさらに備え、第２データユニットを生成する段階は、（ａ）第２の複数の情報ビットをＦＥＣエンコードする段階と、（ｂ）ＦＥＣエンコードされた第２の複数の情報ビットをブロックエンコードする段階と、（ｃ）ブロックエンコードされた第２の複数の情報ビットを第２の複数のコンスタレーションシンボルにマッピングする段階と、（ｄ）第２の複数のコンスタレーションシンボルを含む第２の複数のＯＦＤＭシンボルを生成する段階とを有し、第２の複数のＯＦＤＭシンボルは、（ｉ）第１トーン間隔を用い、（ｉｉ）全体として第２帯域幅に亘る第２の数の非ゼロトーンを含み、非ゼロトーンの第２の数は非ゼロトーンの第１の数未満であり、第２帯域幅は第１帯域幅よりも小さい。
【０００７】
他の実施形態において、方法は以下の特徴の１以上をさらに含む。
【０００８】
ＦＥＣエンコードされた第２の複数の情報ビットをブロックエンコードする段階は、第２の複数の情報ビットを、それぞれがｎ個の情報ビットから成る複数のブロックへパーティション化する段階と、それぞれがｎ個の情報ビットから成るブロックをｍ回繰り返し、ｍ×ｎ個の情報ビットを生成する段階とを含む。
【０００９】
第２データユニットを生成する段階は、ｍ×ｎ個の情報ビットをインターリービングする段階をさらに有する。
【００１０】
非ゼロトーンの第２の数は非ゼロトーンの第１の数の半分以下であり、第２帯域幅は第１帯域幅の半分以下である。
【００１１】
第１の複数のＯＦＤＭシンボルを生成する段階は、６４ポイントの離散逆フーリエ変換（ＩＤＦＴ）を利用する段階を含み、第２の複数のＯＦＤＭシンボルを生成する段階は、（ｉ）６４ポイントのＩＤＦＴを用い、結果として得られるトーンの少なくとも半分をゼロ設定する段階、または、（ｉｉ）３２ポイントのＩＤＦＴを用いる段階を含む。
【００１２】
第１の複数の情報ビットをＦＥＣエンコードする段階は、複数の相対的なスループットレベルに対応する複数の変調符号化方式（ＭＣＳ）から選択される第１ＭＣＳに従って実行され、ＦＥＣエンコードされた第１の複数の情報ビットを第１の複数のコンスタレーションシンボルにマッピングする段階は、第１ＭＣＳに従って実行され、第２の複数の情報ビットをＦＥＣエンコードする段階は、複数の相対的なスループットレベルのうち最も低い相対的なスループットレベル以下の相対的なスループットレベルに対応する第２ＭＣＳに従って実行され、ブロックエンコードされた第２の複数の情報ビットを第２の複数のコンスタレーションシンボルにマッピングする段階は、第２ＭＣＳに従って実行される。
【００１３】
第１の複数の情報ビットの少なくとも一部は、第１データユニットのデータ部分に対応し、第２の複数の情報ビットの少なくとも一部は、第２データユニットのデータ部分に対応する。
【００１４】
第１の複数の情報ビットの他の一部は、第１データユニットのプリアンブルの信号フィールドに対応し、第２の複数の情報ビットの他の一部は、第２データユニットのプリアンブルの信号フィールドに対応する。
【００１５】
第１の複数の情報ビットをＦＥＣエンコードする段階は、第１の複数の情報ビットを２値畳み込み符号（ＢＣＣ）エンコードする段階を含み、第２の複数の情報ビットをＦＥＣエンコードする段階は、第２の複数の情報ビットをＢＣＣエンコードする段階を含む。
【００１６】
第１の複数の情報ビットをＦＥＣエンコードする段階は、第１の複数の情報ビットを低密度パリティチェック（ＬＤＰＣ）エンコードする段階を含み、第２の複数の情報ビットをＦＥＣエンコードする段階は、第２の複数の情報ビットをＬＤＰＣエンコードする段階を含む。
【００１７】
第２の複数のコンスタレーションシンボルは第１の複数のコンスタレーションシンボルとは異なる。
【００１８】
他の実施形態において、装置はネットワークインタフェースを備え、ネットワークインタフェースは、第１物理層モード（第１ＰＨＹモード）に対応する第１データユニットを生成し、ネットワークインタフェースは、（ａ）第１の複数の情報ビットを順方向誤り訂正（ＦＥＣ）エンコードし、（ｂ）ＦＥＣエンコードされた第１の複数の情報ビットを第１の複数のコンスタレーションシンボルにマッピングし、（ｃ）第１の複数のコンスタレーションシンボルを含む第１の複数の直交周波数分割多重シンボル（ＯＦＤＭシンボル）を生成することに少なくとも一部基づいて第１データユニットを生成し、第１の複数のＯＦＤＭシンボルは、（ｉ）第１トーン間隔を用い、（ｉｉ）全体として第１帯域幅に亘る第１の数の非ゼロトーンを含み、ネットワークインタフェースはさらに、第２ＰＨＹモードに対応する第２データユニットを生成し、ネットワークインタフェースは、（ａ）第２の複数の情報ビットをＦＥＣエンコードし、（ｂ）ＦＥＣエンコードされた第２の複数の情報ビットをブロックエンコードし、（ｃ）ブロックエンコードされた第２の複数の情報ビットを第２の複数のコンスタレーションシンボルにマッピングし、（ｄ）第２の複数のコンスタレーションシンボルを含む第２の複数のＯＦＤＭシンボルを生成することに少なくとも一部基づいて第２データユニットを生成し、第２の複数のＯＦＤＭシンボルは、（ｉ）第１トーン間隔を用い、（ｉｉ）全体として第２帯域幅に亘る第２の数の非ゼロトーンを含み、非ゼロトーンの第２の数は非ゼロトーンの第１の数未満であり、第２帯域幅は第１帯域幅よりも小さい。
【００１９】
他の実施形態において、装置は以下の特徴の１以上をさらに含む。
【００２０】
ネットワークインタフェースは少なくとも、第２の複数の情報ビットを、それぞれがｎ個の情報ビットから成る複数のブロックへパーティション化し、それぞれがｎ個の情報ビットから成るブロックをｍ回繰り返し、ｍ×ｎ個の情報ビットを生成することによりＦＥＣエンコードされた第２の複数の情報ビットをブロックエンコードする。
【００２１】
ネットワークインタフェースはさらに、ｍ×ｎ個の情報ビットをインターリービングすることにより第２データユニットを生成する。
【００２２】
非ゼロトーンの第２の数は非ゼロトーンの第１の数の半分以下であり、第２帯域幅は第１帯域幅の半分以下である。
【００２３】
ネットワークインタフェースは、少なくとも、６４ポイントの離散逆フーリエ変換（ＩＤＦＴ）を用いることにより第１の複数のＯＦＤＭシンボルを生成し、少なくとも、（ｉ）６４ポイントのＩＤＦＴを用い、結果として得られるトーンの少なくとも半分をゼロ設定すること、または、（ｉｉ）３２ポイントのＩＤＦＴを用いることにより第２の複数のＯＦＤＭシンボルを生成する。
【００２４】
ネットワークインタフェースは、複数の相対的なスループットレベルに対応する複数の変調符号化方式（ＭＣＳ）から選択される第１ＭＣＳに従って、第１の複数の情報ビットをＦＥＣエンコードし、ＦＥＣエンコードされた第１の複数の情報ビットを、第１ＭＣＳに従って第１の複数のコンスタレーションシンボルにマッピングし、複数の相対的なスループットレベルのうち最も低い相対的なスループットレベル以下の相対的なスループットレベルに対応する第２ＭＣＳに従って、第２の複数の情報ビットをＦＥＣエンコードし、ブロックエンコードされた第２の複数の情報ビットを、第２ＭＣＳに従って第２の複数のコンスタレーションシンボルにマッピングする。
【００２５】
第１の複数の情報ビットの少なくとも一部は、第１データユニットのデータ部分に対応し、第２の複数の情報ビットの少なくとも一部は、第２データユニットのデータ部分に対応する。
【００２６】
第１の複数の情報ビットの他の一部は、第１データユニットのプリアンブルの信号フィールドに対応し、第２の複数の情報ビットの他の一部は、第２データユニットのプリアンブルの信号フィールドに対応する。
【００２７】
ネットワークインタフェースは、少なくとも、第１の複数の情報ビットを２値畳み込み符号（ＢＣＣ）エンコードすることにより第１の複数の情報ビットをＦＥＣエンコードし、少なくとも、第２の複数の情報ビットをＢＣＣエンコードすることにより第２の複数の情報ビットをＦＥＣエンコードする。
【００２８】
ネットワークインタフェースは、少なくとも、第１の複数の情報ビットを低密度パリティチェック（ＬＤＰＣ）エンコードすることにより第１の複数の情報ビットをＦＥＣエンコードし、少なくとも、第２の複数の情報ビットをＬＤＰＣエンコードすることにより第２の複数の情報ビットをＦＥＣエンコードする。
【００２９】
第２の複数のコンスタレーションシンボルは第１の複数のコンスタレーションシンボルとは異なる。
【００３０】
他の実施形態において、方法は、第１物理層モード（第１ＰＨＹモード）に対応する第１データユニットを生成する段階を備え、第１データユニットを生成する段階は、（ａ）複数の相対的なスループットレベルに対応する複数の変調符号化方式（ＭＣＳ）から選択される第１ＭＣＳに従って、一部が第１データユニットのデータ部分に対応し、他の一部が第１データユニットのプリアンブルの信号フィールドに対応する第１の複数の情報ビットを順方向誤り訂正（ＦＥＣ）エンコードする段階と、（ｂ）ＦＥＣエンコードされた第１の複数の情報ビットを、第１ＭＣＳに従って第１の複数のコンスタレーションシンボルにマッピングする段階と、（ｃ）第１の複数のコンスタレーションシンボルを含む第１の複数の直交周波数分割多重シンボル（ＯＦＤＭシンボル）を生成する段階とを有し、第１の複数のＯＦＤＭシンボルは、（ｉ）第１トーン間隔を用い、（ｉｉ）全体として第１帯域幅に亘る第１の数の非ゼロトーンを含み、方法は、第２ＰＨＹモードに対応する第２データユニットを生成する段階をさらに備え、第２データユニットを生成する段階は、（ａ）複数の相対的なスループットレベルのうち最も低い相対的なスループットレベル以下の相対的なスループットレベルに対応する第２ＭＣＳに従って、一部が第２データユニットのデータ部分に対応し、他の一部が第２データユニットのプリアンブルの信号フィールドに対応する第２の複数の情報ビットをＦＥＣエンコードする段階と、（ｂ）ＦＥＣエンコードされた第２の複数の情報ビットをそれぞれがｎ個の情報ビットから成る複数のブロックにパーティション化する段階と、（ｃ）それぞれがｎ個の情報ビットから成るブロックを２回繰り返し、２×ｎ個の情報ビットを生成する段階と、（ｄ）パーティション化され繰り返された第２の複数の情報ビットを、第２ＭＣＳに従って第２の複数のコンスタレーションシンボルにマッピングする段階と、（ｄ）第２の複数のコンスタレーションシンボルを含む第２の複数のＯＦＤＭシンボルを生成する段階とを有し、第２の複数のＯＦＤＭシンボルは、（ｉ）第１トーン間隔を用い、（ｉｉ）全体として第２帯域幅に亘る第２の数の非ゼロトーンを含み、非ゼロトーンの第２の数は非ゼロトーンの第１の数の半分以下であり、第２帯域幅は、第１帯域幅の半分以下である。
【００３１】
他の実施形態において、方法は、以下の特徴の１以上をさらに含む。
【００３２】
第１の複数のＯＦＤＭシンボルを生成する段階は、６４ポイントの離散逆フーリエ変換（ＩＤＦＴ）を用いる段階を含み、第２の複数のＯＦＤＭシンボルを生成する段階は、（ｉ）６４ポイントのＩＤＦＴを用い、結果として得られるトーンの少なくとも半分をゼロ設定する段階、または、（ｉｉ）３２ポイントのＩＤＦＴを用いる段階を含む。
【００３３】
第１の複数の情報ビットをＦＥＣエンコードする段階は、第１の複数の情報ビットを２値畳み込み符号（ＢＣＣ）エンコードする段階を含み、第２の複数の情報ビットをＦＥＣエンコードする段階は、第２の複数の情報ビットをＢＣＣエンコードする段階を含む。
【００３４】
他の実施形態において、装置はネットワークインタフェースを備え、ネットワークインタフェースは第１物理層モード（第１ＰＨＹモード）に対応する第１データユニットを生成し、ネットワークインタフェースは、（ａ）複数の相対的なスループットレベルに対応する複数の変調符号化方式（ＭＣＳ）から選択される第１ＭＣＳに従って、一部が第１データユニットのデータ部分に対応し、他の一部が第１データユニットのプリアンブルの信号フィールドに対応する第１の複数の情報ビットを順方向誤り訂正（ＦＥＣ）エンコードし、（ｂ）ＦＥＣエンコードされた第１の複数の情報ビットを、第１ＭＣＳに従って第１の複数のコンスタレーションシンボルにマッピングし、（ｃ）第１の複数のコンスタレーションシンボルを含む第１の複数の直交周波数分割多重シンボル（ＯＦＤＭシンボル）を生成することに少なくとも一部基づいて第１データユニットを生成し、第１の複数のＯＦＤＭシンボルは、（ｉ）第１トーン間隔を用い、（ｉｉ）全体として第１帯域幅に亘る第１の数の非ゼロトーンを含み、ネットワークインタフェースは、第２ＰＨＹモードに対応する第２データユニットを生成し、ネットワークインタフェースは、（ａ）複数の相対的なスループットレベルのうち最も低い相対的なスループットレベル以下の相対的なスループットレベルに対応する第２ＭＣＳに従って、一部が第２データユニットのデータ部分に対応し、他の一部が第２データユニットのプリアンブルの信号フィールドに対応する第２の複数の情報ビットをＦＥＣエンコードし、（ｂ）ＦＥＣエンコードされた第２の複数の情報ビットをそれぞれがｎ個の情報ビットから成る複数のブロックにパーティション化し、（ｃ）それぞれがｎ個の情報ビットから成るブロックを２回繰り返し、２×ｎ個の情報ビットを生成し、（ｄ）パーティション化され繰り返された第２の複数の情報ビットを、第２ＭＣＳに従って第２の複数のコンスタレーションシンボルにマッピングし、（ｅ）第２の複数のコンスタレーションシンボルを含む第２の複数のＯＦＤＭシンボルを生成することに少なくとも一部基づいて第２データユニットを生成し、第２の複数のＯＦＤＭシンボルは、（ｉ）第１トーン間隔を用い、（ｉｉ）全体として第２帯域幅に亘る第２の数の非ゼロトーンを含み、非ゼロトーンの第２の数は非ゼロトーンの第１の数の半分以下であり、第２帯域幅は、第１帯域幅の半分以下である。
【００３５】
他の実施形態において、装置は、以下の特徴の１以上をさらに含む。
【００３６】
ネットワークインタフェースは、少なくとも、６４ポイントの離散逆フーリエ変換（ＩＤＦＴ）を用いることにより第１の複数のＯＦＤＭシンボルを生成し、少なくとも、（ｉ）６４ポイントのＩＤＦＴを用い、結果として得られるトーンの少なくとも半分をゼロ設定すること、または、（ｉｉ）３２ポイントのＩＤＦＴを用いることにより第２の複数のＯＦＤＭシンボルを生成する。
【００３７】
ネットワークインタフェースは、少なくとも、第１の複数の情報ビットを２値畳み込み符号（ＢＣＣ）エンコードすることにより第１の複数の情報ビットをＦＥＣエンコードし、少なくとも、第２の複数の情報ビットをＢＣＣエンコードすることにより第２の複数の情報ビットをＦＥＣエンコードする。
【００３８】
他の実施形態において、方法は、第１物理層モード（第１ＰＨＹモード）に対応する第１データユニットの第１プリアンブルを生成する段階を備え、第１プリアンブルを生成する段階は、第１期間を有し、繰り返しの第１シーケンスを含む第１ショートトレーニングフィールド（第１ＳＴＦ）を生成する段階と、第１ＳＴＦに続く第１ロングトレーニングフィールド（第１ＬＴＦ）を生成する段階と、第１ＬＴＦに続く第１信号フィールド（第１ＳＩＧフィールド）を生成する段階とを有し、第１ＳＩＧフィールドは、第１データユニットを解釈するための情報を提供し、第１データユニットが第１ＰＨＹモードに対応することを受信機に対して示すべく第１変調技術に従って変調された第１直交周波数分割多重シンボル（第１ＯＦＤＭシンボル）を含み、第１ＯＦＤＭシンボルは、（ｉ）第１ＬＴＦが開始した後、第１時間間隔をおいて開始し、（ｉｉ）第１ＬＴＦが開始した後、第２時間間隔をおいて終了し、方法は、第１ＰＨＹモードと異なる第２ＰＨＹモードに対応する第２データユニットの第２プリアンブルを生成する段階をさらに備え、第２プリアンブルを生成する段階は、第１期間より長い第２期間を有する、繰り返しの第１シーケンスと異なる繰り返しの第２シーケンスを含む第２ＳＴＦを生成する段階を有し、繰り返しの第２シーケンスの周期は、繰り返しの第１シーケンスの周期と等しく、第２プリアンブルを生成する段階は、第２ＳＴＦに続く第２ロングトレーニングフィールド（第２ＬＴＦ）を生成する段階をさらに有し、第２ＬＴＦは第２直交周波数分割多重シンボル（第２ＯＦＤＭシンボル）を含み、第２ＯＦＤＭシンボルは、第２データユニットが第２ＰＨＹモードに対応することを受信機に対して示すべく、第１変調技術と異なる第２変調技術に従って変調され、第２プリアンブルの、（ｉ）第２ＬＴＦが開始した後、第３時間間隔をおいて開始し、（ｉｉ）第２ＬＴＦが開始した後、第４時間間隔をおいて終了する一の位置を少なくとも部分的に占有し、第３時間間隔は第１時間間隔と等しく、第４時間間隔は第２時間間隔に等しい。
【００３９】
他の実施形態において、方法は、以下の特徴の１以上をさらに含む。
【００４０】
第１変調技術は、（ｉ）二位相偏移変調（ＢＰＳＫ）と（ｉｉ）四位相偏移変調（ｑｕａｔｅｒｎａｒｙ  ｂｉｎａｒｙ  ｐｈａｓｅ  ｓｈｉｆｔ  ｋｅｙｉｎｇ）（ＱＢＰＳＫ）とのうち一方であり、第２変調技術は（ｉ）ＢＰＳＫと（ｉｉ）ＱＢＰＳＫとのうち他方である。
【００４１】
第２ＯＦＤＭシンボルは、第２ＬＴＦが開始した後、第３時間間隔をおいて開始し、第２ＬＴＦが開始した後、第４時間間隔をおいて終了する。
【００４２】
第１プリアンブルを生成する段階は、第１ＳＩＧフィールドに続く第２信号フィールド（第２ＳＩＧフィールド）を生成する段階をさらに有し、第２ＳＩＧフィールドは、（ｉ）第１データユニットがシングルユーザデータユニットであることを受信機に対して示すべく第３変調技術、または、（ｉｉ）第３変調技術とは異なる、第１データユニットがマルチユーザデータユニットであることを受信機に対して示すべく第４変調技術に従って変調された第３直交周波数分割多重シンボル（第３ＯＦＤＭシンボル）を含む。
【００４３】
第３変調技術は、（ｉ）二位相偏移変調（ＢＰＳＫ）と（ｉｉ）四位相偏移変調（ＱＢＰＳＫ）とのうち一方であり、第４変調技術は、（ｉ）ＢＰＳＫと（ｉｉ）ＱＢＰＳＫとのうち他方である。
【００４４】
第１プリアンブルは、第１ＯＦＤＭシンボルの直前の第１ガードインターバルを含み、第２プリアンブルは、第２ＯＦＤＭシンボルの直前の第２ガードインターバルを含む。
【００４５】
第１ガードインターバルの期間は第２ガードインターバルの期間に等しい。
【００４６】
他の実施形態において、装置はネットワークインタフェースを備え、ネットワークインタフェースは、第１物理層モード（第１ＰＨＹモード）に対応する第１データユニットの第１プリアンブルを生成し、ネットワークインタフェースは、第１期間を有し、繰り返しの第１シーケンスを含む第１ショートトレーニングフィールド（第１ＳＴＦ）を生成し、第１ＳＴＦに続く第１ロングトレーニングフィールド（第１ＬＴＦ）を生成し、第１ＬＴＦに続く第１信号フィールド（第１ＳＩＧフィールド）を生成することに少なくとも一部基づいて第１プリアンブルを生成し、第１ＳＩＧフィールドは、第１データユニットを解釈するための情報を提供し、第１データユニットが第１ＰＨＹモードに対応することを受信機に対して示すべく第１変調技術に従って変調された第１直交周波数分割多重シンボル（第１ＯＦＤＭシンボル）を含み、第１ＯＦＤＭシンボルは、（ｉ）第１ＬＴＦが開始した後、第１時間間隔をおいて開始し、（ｉｉ）第１ＬＴＦが開始した後、第２時間間隔をおいて終了し、ネットワークインタフェースは、第１ＰＨＹモードと異なる第２ＰＨＹモードに対応する第２データユニットの第２プリアンブルをさらに生成し、ネットワークインタフェースは、第１期間より長い第２期間を有する、繰り返しの第１シーケンスと異なる繰り返しの第２シーケンスを含む第２ＳＴＦを生成することに少なくとも一部基づいて第２プリアンブルを生成し、繰り返しの第２シーケンスの周期は、繰り返しの第１シーケンスの周期と等しく、ネットワークインタフェースはさらに、第２ＳＴＦに続く第２ロングトレーニングフィールド（第２ＬＴＦ）を生成することに少なくとも一部基づいて第２プリアンブルを生成し、第２ＬＴＦは第２直交周波数分割多重シンボル（第２ＯＦＤＭシンボル）を含み、第２ＯＦＤＭシンボルは、第２データユニットが第２ＰＨＹモードに対応することを受信機に対して示すべく、第１変調技術と異なる第２変調技術に従って変調され、第２プリアンブルの、（ｉ）第２ＬＴＦが開始した後、第３時間間隔をおいて開始し、（ｉｉ）第２ＬＴＦが開始した後、第４時間間隔をおいて終了する一の位置を少なくとも部分的に占有し、第３時間間隔は第１時間間隔と等しく、第４時間間隔は第２時間間隔に等しい
【００４７】
他の実施形態において、装置は、以下の特徴の１以上をさらに含む。
【００４８】
第１変調技術は、（ｉ）二位相偏移変調（ＢＰＳＫ）と（ｉｉ）四位相偏移変調（ＱＢＰＳＫ）とのうち一方であり、第２変調技術は、（ｉ）ＢＰＳＫと（ｉｉ）ＱＢＰＳＫとのうち他方である。
【００４９】
第２ＯＦＤＭシンボルは、第２ＬＴＦが開始した後、第３時間間隔をおいて開始し、第２ＬＴＦが開始した後、第４時間間隔をおいて終了する。
【００５０】
ネットワークインタフェースは、第１プリアンブルを生成することの一部として、第１ＳＩＧフィールドに続く第２信号フィールド（第２ＳＩＧフィールド）を生成し、第２ＳＩＧフィールドは、（ｉ）第１データユニットがシングルユーザデータユニットであることを受信機に対して示すべく第３変調技術、または、（ｉｉ）第３変調技術とは異なる、第１データユニットがマルチユーザデータユニットであることを受信機に対して示すべく第４変調技術に従って変調された第３直交周波数分割多重シンボル（第３ＯＦＤＭシンボル）を含む。
【００５１】
第３変調技術は、（ｉ）二位相偏移変調（ＢＰＳＫ）と（ｉｉ）四位相偏移変調（ＱＢＰＳＫ）とのうち一方であり、第４変調技術は、（ｉ）ＢＰＳＫと（ｉｉ）ＱＢＰＳＫとのうち他方である。
【００５２】
ネットワークインタフェースは、第１プリアンブルを生成することの一部として、第１ＯＦＤＭシンボルの直前の第１ガードインターバルを含め、第２プリアンブルを生成することの一部として、第２ＯＦＤＭシンボルの直前の第２ガードインターバルを含める。
【００５３】
第１ガードインターバルの期間は第２ガードインターバルの期間に等しい。
【００５４】
他の実施形態において、方法は、第１物理層モード（第１ＰＨＹモード）に対応する第１データユニットの第１プリアンブルを生成する段階を備え、第１プリアンブルを生成する段階は、第１ロングトレーニングフィールド（第１ＬＴＦ）を生成する段階と、第１ＬＴＦに続く第１信号フィールド（第１ＳＩＧフィールド）を生成する段階とを有し、第１ＳＩＧフィールドは、第１データユニットを解釈するための情報を提供し、第１データユニットが第１ＰＨＹモードに対応することを受信機に対して示すべく第１変調技術に従って変調された第１直交周波数分割多重シンボル（第１ＯＦＤＭシンボル）を含み、第１ＯＦＤＭシンボルは、（ｉ）第１ＬＴＦが開始した後、第１時間間隔をおいて開始し、（ｉｉ）第１ＬＴＦが開始した後、第２時間間隔をおいて終了し、第１プリアンブルを生成する段階は、第１ＳＩＧフィールドに続く第２信号フィールド（第２ＳＩＧフィールド）を生成する段階をさらに有し、第２ＳＩＧフィールドは、第１データユニットを解釈するための情報を提供し、（ｉ）第１データユニットがシングルユーザデータユニットであることを受信機に対して示すべく第２変調技術、または（ｉｉ）第１データユニットがマルチユーザデータユニットであることを受信機に対して示すべく、第２変調技術と異なると異なる第３変調技術に従って変調された第２直交周波数分割多重シンボル（第２ＯＦＤＭシンボル）を含み、方法は、第１ＰＨＹモードと異なる第２ＰＨＹモードに対応する第２データユニットの第２プリアンブルを生成する段階をさらに備え、第２プリアンブルを生成する段階は、第２ロングトレーニングフィールド（第２ＬＴＦ）を生成する段階をさらに有し、第２ＬＴＦは第３直交周波数分割多重シンボル（第３ＯＦＤＭシンボル）を含み、第３ＯＦＤＭシンボルは、第２データユニットが第２ＰＨＹモードに対応することを受信機に対して示すべく、第１変調技術と異なる第４変調技術に従って変調され、第２プリアンブルの、（ｉ）第２ＬＴＦが開始した後、第３時間間隔をおいて開始し、（ｉｉ）第２ＬＴＦが開始した後、第４時間間隔をおいて終了する一の位置を少なくとも部分的に占有し、第３時間間隔は第１時間間隔と等しく、第４時間間隔は第２時間間隔に等しい
【００５５】
他の実施形態において、方法は、以下の特徴の１以上をさらに含む。
【００５６】
第１変調技術は、（ｉ）二位相偏移変調（ＢＰＳＫ）と（ｉｉ）四位相偏移変調（ＱＢＰＳＫ）とのうち一方であり、第４変調技術は、（ｉ）ＢＰＳＫと（ｉｉ）ＱＢＰＳＫとのうち他方であり、第２変調技術は、（ｉ）ＢＰＳＫと（ｉｉ）ＱＢＰＳＫとのうち一方であり、第３変調技術は、（ｉ）ＢＰＳＫと（ｉｉ）ＱＢＰＳＫとのうち他方である。
【００５７】
第３ＯＦＤＭシンボルは、第２ＬＴＦが開始した後、第３時間間隔をおいて開始し、第２ＬＴＦが開始した後、第４時間間隔をおいて終了する。
【００５８】
他の実施形態において、装置はネットワークインタフェースを備え、ネットワークインタフェースは、第１物理層モード（第１ＰＨＹモード）に対応する第１データユニットの第１プリアンブルを生成し、ネットワークインタフェースは、第１ロングトレーニングフィールド（第１ＬＴＦ）を生成し、第１ＬＴＦに続く第１信号フィールド（第１ＳＩＧフィールド）を生成することに少なくとも一部基づいて第１プリアンブルを生成し、第１ＳＩＧフィールドは、第１データユニットを解釈するための情報を提供し、第１データユニットが第１ＰＨＹモードに対応することを受信機に対して示すべく第１変調技術に従って変調された第１直交周波数分割多重シンボル（第１ＯＦＤＭシンボル）を含み、第１ＯＦＤＭシンボルは、（ｉ）第１ＬＴＦが開始した後、第１時間間隔をおいて開始し、（ｉｉ）第１ＬＴＦが開始した後、第２時間間隔をおいて終了し、ネットワークインタフェースはさらに、第１ＳＩＧフィールドに続く第２信号フィールド（第２ＳＩＧフィールド）を生成することに少なくとも一部基づいて第１プリアンブルを生成し、第２ＳＩＧフィールドは、第１データユニットを解釈するための情報を提供し、（ｉ）第１データユニットがシングルユーザデータユニットであることを受信機に対して示すべく第２変調技術、または（ｉｉ）第２変調技術とは異なる、第１データユニットがマルチユーザデータユニットであることを受信機に対して示すべく第３変調技術に従って変調された第２直交周波数分割多重シンボル（第２ＯＦＤＭシンボル）を含み、ネットワークインタフェースは、第１ＰＨＹモードと異なる第２ＰＨＹモードに対応する第２データユニットの第２プリアンブルをさらに生成し、ネットワークインタフェースは、第２ロングトレーニングフィールド（第２ＬＴＦ）を生成することに少なくとも一部基づいて第２プリアンブルを生成し、第２ＬＴＦは第３直交周波数分割多重シンボル（第３ＯＦＤＭシンボル）を含み、第３ＯＦＤＭシンボルは、第２データユニットが第２ＰＨＹモードに対応することを受信機に対して示すべく、第１変調技術と異なる第４変調技術に従って変調され、第２プリアンブルの、（ｉ）第２ＬＴＦが開始した後、第３時間間隔をおいて開始し、（ｉｉ）第２ＬＴＦが開始した後、第４時間間隔をおいて終了する一の位置を少なくとも部分的に占有し、第３時間間隔は第１時間間隔と等しく、第４時間間隔は第２時間間隔に等しい。
【００５９】
他の実施形態において、装置は、以下の特徴の１以上をさらに含む。
【００６０】
第１変調技術は、（ｉ）二位相偏移変調（ＢＰＳＫ）と（ｉｉ）四位相偏移変調（ＱＢＰＳＫ）とのうち一方であり、第４変調技術は、（ｉ）ＢＰＳＫと（ｉｉ）ＱＢＰＳＫとのうち他方であり、第２変調技術は、（ｉ）ＢＰＳＫと（ｉｉ）ＱＢＰＳＫとのうち一方であり、第３変調技術は、（ｉ）ＢＰＳＫと（ｉｉ）ＱＢＰＳＫとのうち他方である。
【００６１】
第３ＯＦＤＭシンボルは、第２ＬＴＦが開始した後、第３時間間隔をおいて開始し、第２ＬＴＦが開始した後、第４時間間隔をおいて終了する。
【００６２】
他の実施形態において、第１物理層モード（第１ＰＨＹモード）に準拠するデータユニットと、第１ＰＨＹモードと異なる第２ＰＨＹモードに準拠するデータユニットとを生成し、送信されるようにする、第１ＰＨＹモードに準拠するデータユニットを送信するために、それぞれが第１帯域幅を有する複数のチャネルを用いる通信システムにおける方法は、第１ＰＨＹモードに準拠する第１データユニットを生成する段階を備え、第１データユニットを生成する段階は、第１シリーズの直交周波数分割多重シンボル（ＯＦＤＭシンボル）を生成する段階を有し、方法は、複数のチャネルのうち一のチャネルを介して第１データユニットが送信されるようにする段階と、第２ＰＨＹモードに準拠する第２データユニットを生成する段階とをさらに備え、第２データユニットを生成する段階は、第２シリーズのＯＦＤＭシンボルを生成する段階を有し、第２シリーズのＯＦＤＭシンボルの少なくとも一部は、（ｉ）下縁のガードトーンよりも多くの上縁のガードトーン、または、（ｉｉ）上縁のガードトーンよりも多くの下縁のガードトーンを含み、方法は、第２データユニットを送信するための周波数帯域を決定する段階をさらに備え、周波数帯域は、第１帯域幅をｎ≧２である整数ｎにより除算して得られる帯域幅に等しい第２帯域幅を有し、第２データユニットを送信するための周波数帯域を決定する段階は、（ｉ）第２シリーズのＯＦＤＭシンボルの少なくとも一部が下縁のガードトーンよりも多くの上縁のガードトーンを含む場合、複数のチャネルのうち１以上のチャネルのそれぞれの最も低い副帯域を、または、（ｉｉ）第２シリーズのＯＦＤＭシンボルの少なくとも一部が上縁のガードトーンよりも多くの下縁のガードトーンを含む場合、複数のチャネルのうち１以上のチャネルのそれぞれの最も高い副帯域を除外する段階を有し、複数のチャネルのうち各チャネルの各副帯域は第２帯域幅を有し、方法は、決定された周波数帯域を介して第２データユニットが送信されるようにする段階をさらに備える。
【００６３】
他の実施形態において、方法は、以下の特徴の１以上をさらに含む。
【００６４】
整数ｎは２に等しい。
【００６５】
第１シリーズのＯＦＤＭシンボルを生成する段階は、６４ポイントの高速逆フーリエ変換（ＩＤＦＴ）を利用する段階を含み、第２シリーズのＯＦＤＭシンボルを生成する段階は、３２ポイントのＩＤＦＴを利用する段階を含む。
【００６６】
第１シリーズのＯＦＤＭシンボルを生成する段階は、６４ポイントの高速逆フーリエ変換（ＩＤＦＴ）を利用する段階を含み、第２シリーズのＯＦＤＭシンボルを生成する段階は、６４ポイントのＩＤＦＴを利用し、生成されるトーンの合計数の少なくとも半分をゼロに設定する段階を含む。
【００６７】
第１シリーズのＯＦＤＭシンボルを生成する段階は、第１クロックレートを利用する段階を含み、第２シリーズのＯＦＤＭシンボルを生成する段階は、第１クロックレートを利用する段階を含む。
【００６８】
第１ＰＨＹモードは第１データスループットに対応し、第２ＰＨＹモードは、第１データスループットよりも低い第２データスループットに対応する。
【００６９】
第２シリーズのＯＦＤＭシンボルの少なくとも一部は、第２シリーズのＯＦＤＭシンボルのデータ部分を含む。
【００７０】
第２シリーズのＯＦＤＭシンボルの部分は、上縁のガードトーンよりも多くの下縁のガードトーンを含み、第２データユニットを送信するための周波数帯域を決定する段階は、複数のチャネルのうち１以上のチャネルの最も高い副帯域を除外する段階を有する。
【００７１】
複数のチャネルのうちの１以上のチャネルは、複数のチャネルのうち全てのチャネルを含む。
【００７２】
他の実施形態において、装置はネットワークインタフェースを備え、ネットワークインタフェースは、第１シリーズの直交周波数分割多重シンボル（ＯＦＤＭシンボル）を生成することに少なくとも一部基づいて第１ＰＨＹモードに準拠する第１データユニットを生成し、それぞれが第１帯域幅を有する複数のチャネルのうち一のチャネルを介して第１データユニットが送信されるようにし、第２シリーズのＯＦＤＭシンボルを生成することに少なくとも一部基づいて、第１ＰＨＹモードとは異なる第２ＰＨＹモードに準拠する第２データユニットを生成し、第２シリーズのＯＦＤＭシンボルの少なくとも一部は、（ｉ）下縁のガードトーンよりも多くの上縁のガードトーン、または、（ｉｉ）上縁のガードトーンよりも多くの下縁のガードトーンを含み、ネットワークインタフェースは、第２データユニットを送信するための周波数帯域をさらに決定し、周波数帯域は、第１帯域幅をｎ≧２である整数ｎにより除算して得られる帯域幅に等しい第２帯域幅を有し、ネットワークインタフェースは、（ｉ）第２シリーズのＯＦＤＭシンボルの少なくとも一部が下縁のガードトーンよりも多くの上縁のガードトーンを含む場合、複数のチャネルのうち１以上のチャネルのそれぞれの最も低い副帯域を、（ｉｉ）第２シリーズのＯＦＤＭシンボルの少なくとも一部が上縁のガードトーンよりも多くの下縁のガードトーンを含む場合、複数のチャネルのうち１以上のチャネルのそれぞれの最も高い副帯域を除外することに少なくとも一部基づいて第２データユニットを送信するための周波数帯域を決定し、複数のチャネルのうち各チャネルの各副帯域は第２帯域幅を有し、ネットワークインタフェースは、決定された周波数帯域を介して第２データユニットが送信されるようにする。
【００７３】
他の実施形態において、装置は、以下の特徴の１以上をさらに含む。
【００７４】
整数ｎは２に等しい。
【００７５】
ネットワークインタフェースは、６４ポイントの高速逆フーリエ変換（ＩＤＦＴ）を利用することに少なくとも一部基づいて第１シリーズのＯＦＤＭシンボルを生成し、３２ポイントのＩＤＦＴを利用することに少なくとも一部基づいて第２シリーズのＯＦＤＭシンボルを生成する。
【００７６】
ネットワークインタフェースは、６４ポイントの高速逆フーリエ変換（ＩＤＦＴ）を利用することに少なくとも一部基づいて第１シリーズのＯＦＤＭシンボルを生成し、６４ポイントのＩＤＦＴを利用し、生成されるトーンの合計数の少なくとも半分をゼロに設定することに少なくとも一部基づいて第２シリーズのＯＦＤＭシンボルを生成する。
【００７７】
ネットワークインタフェースは、第１クロックレートを利用することに少なくとも一部基づいて第１シリーズのＯＦＤＭシンボルを生成し、第１クロックレートを利用することに少なくとも一部基づいて第２シリーズのＯＦＤＭシンボルを生成する。
【００７８】
第１ＰＨＹモードは第１データスループットに対応し、第２ＰＨＹモードは、第１データスループットよりも低い第２データスループットに対応する。
【００７９】
第２シリーズのＯＦＤＭシンボルの少なくとも一部は、第２シリーズのＯＦＤＭシンボルのデータ部分を含む。
【００８０】
第２シリーズのＯＦＤＭシンボルの部分は、上縁のガードトーンよりも多くの下縁のガードトーンを含み、ネットワークインタフェースは、複数のチャネルのうち１以上のチャネルの最も高い副帯域を除外することに少なくとも一部基づいて第２データユニットを送信するための周波数帯域を決定する。
【００８１】
複数のチャネルのうちの１以上のチャネルは、複数のチャネルのうち全てのチャネルを含む。
【００８２】
他の実施形態において、第１物理層モード（第１ＰＨＹモード）に準拠するデータユニットと、第１ＰＨＹモードと異なる第２ＰＨＹモードに準拠するデータユニットとを生成し、送信されるようにする、第１ＰＨＹモードに準拠するデータユニットを送信するために、それぞれが第１帯域幅を有する複数のチャネルを用いる通信システムにおける方法は、第１ＰＨＹモードに準拠する第１データユニットを生成する段階を備え、第１データユニットを生成する段階は、クロックレートを利用して第１シリーズの直交周波数分割多重シンボル（ＯＦＤＭシンボル）を生成する段階を有し、方法は、複数のチャネルのうち一のチャネルを介して第１データユニットが送信されるようにする段階と、第２ＰＨＹモードに準拠する第２データユニットを生成する段階とをさらに備え、第２データユニットを生成する段階は、クロックレートを利用して第２シリーズのＯＦＤＭシンボルを生成する段階を有し、第２シリーズのＯＦＤＭシンボルの少なくともデータ部分は、上縁のガードトーンよりも多くの下縁のガードトーンを含み、方法は、第２データユニットを送信するための周波数帯域を決定する段階をさらに備え、周波数帯域は、第１帯域幅の半分に等しい第２帯域幅を有し、第２データユニットを送信するための周波数帯域を決定する段階は、複数のチャネルのうち１以上のチャネルのそれぞれの上側波帯を除外する段階を有し、方法は、決定された周波数帯域を介して第２データユニットが送信されるようにする段階をさらに備える。
【００８３】
他の実施形態において、装置はネットワークインタフェースを備え、ネットワークインタフェースは、クロックレートを利用して第１シリーズの直交周波数分割多重シンボル（ＯＦＤＭシンボル）を生成することに少なくとも一部基づいて第１ＰＨＹモードに準拠する第１データユニットを生成し、それぞれが第１帯域幅を有する複数のチャネルのうち一のチャネルを介して第１データユニットが送信されるようにし、クロックレートを利用して第２シリーズのＯＦＤＭシンボルを生成することに少なくとも一部基づいて、第１ＰＨＹモードとは異なる第２ＰＨＹモードに準拠する第２データユニットを生成し、第２シリーズのＯＦＤＭシンボルの少なくとも一部は、上縁のガードトーンよりも多くの下縁のガードトーンを含み、ネットワークインタフェースは、第２データユニットを送信するための周波数帯域をさらに決定し、周波数帯域は、第１帯域幅の半分に等しい第２帯域幅を有し、ネットワークインタフェースは、複数のチャネルのうち１以上のチャネルのそれぞれの上側波帯を除外することに少なくとも一部基づいて第２データユニットを送信するための周波数帯域を決定し、ネットワークインタフェースは、決定された周波数帯域を介して第２データユニットが送信されるようにする。
【図面の簡単な説明】
【００８４】
様々な図面において同様の参照符号は同様の要素を指す。
【図１】実施形態に係る例示的な無線ローカルエリアネットワーク（ＷＬＡＮ）のブロック図である。
【図２】実施形態に係る、通常モードのデータユニットを生成するための例示的な物理層（ＰＨＹ）処理ユニットの送信部のブロック図である。
【図３】実施形態に係る、低帯域幅モードのデータユニットを生成するための例示的なＰＨＹ処理ユニットの送信部のブロック図である。
【図４】実施形態に係る、低帯域幅モードのデータユニットを生成するための他の例示的なＰＨＹ処理ユニットの送信部のブロック図である。
【図５】実施形態に係る、低帯域幅モードのデータユニットを生成するための他の例示的なＰＨＹ処理ユニットの送信部のブロック図である。
【図６】実施形態に係る、第１ＰＨＹモードと第２ＰＨＹモードとのそれぞれに対応する第１データユニットおよび第２データユニットを生成するための例示的な方法のフロー図である。
【図７Ａ】実施形態に係る、低帯域幅モードのデータユニットに対応する例示的なトーンマップの図である。
【図７Ｂ】実施形態に係る、低帯域幅モードのデータユニットに対応する例示的なトーンマップの図である。
【図８】実施形態に係る、複数の異なる帯域幅を有する例示的な通常モードのデータユニットの図である。
【図９】実施形態に係る、例示的な低帯域幅モードのデータユニットのプリアンブルの図である。
【図１０】実施形態に係る、通常モードのデータユニットの例示的なショートトレーニングフィールド（ＳＴＦ）および低帯域幅モードのデータユニットの例示的なＳＴＦの図である。
【図１１】実施形態に係る、通常モードのデータユニットの他の例示的なＳＴＦおよび低帯域幅モードのデータユニットの他の例示的なＳＴＦの図である。
【図１２】実施形態に係る、通常モードのデータユニットの例示的な第２プリアンブル部分、および、低帯域幅モードのデータユニットの例示的な第２プリアンブル部分の図である。
【図１３】実施形態に係る、プリアンブルのフィールド内のシンボルを変調するのに用いられる例示的な変調技術を示す図である。
【図１４】実施形態に係る、第１ＰＨＹモードに対応する第１データユニットの第１プリアンブル、および、第２ＰＨＹモードに対応する第２データユニットの第２プリアンブルを生成するための例示的な方法のフロー図である。
【図１５】実施形態に係る、通常モードのデータユニットの他の例示的な第２プリアンブル部分、および、低帯域幅モードのデータユニットの他の例示的な第２プリアンブル部分の図である。
【図１６】実施形態に係る、通常モードのシングルユーザデータユニットの例示的な第２プリアンブル部分、および、通常モードのマルチユーザデータユニットの例示的な第２プリアンブル部分の図である。
【図１７】実施形態に係る、第１ＰＨＹモードに対応する第１データユニットの第１プリアンブル、および、第２ＰＨＹモードに対応する第２データユニットの第２プリアンブルを生成するための他の例示的な方法のフロー図である。
【図１８】実施形態に係る、通常モードのデータユニットを送信するのに用いられる通信チャネル内で低帯域幅モードのデータユニットを送信するのに用いられる周波数帯域の例示的な配置の図である。
【図１９】実施形態に係る、通常モードのデータユニットを送信するのに用いられる通信チャネル内で低帯域幅モードのデータユニットを送信するのに用いられる周波数帯域の他の例示的な配置の図である。
【図２０】実施形態に係る、通常モードのデータユニットを送信するのに用いられる通信チャネル内で低帯域幅モードのデータユニットを送信するのに用いられる周波数帯域の他の例示的な配置の図である。
【図２１】実施形態に係る、通常モードのデータユニットを送信するのに用いられる通信チャネル内で低帯域幅モードのデータユニットを送信するのに用いられる周波数帯域の他の例示的な配置の図である。
【図２２Ａ】実施形態に係る、低帯域幅モードのデータユニットに対応する例示的な周期的なトーンマップの図である。
【図２２Ｂ】実施形態に係る、低帯域幅モードのデータユニットにそれぞれが対応する例示的な、反転されたトーンマップの図である。
【図２２Ｃ】実施形態に係る、低帯域幅モードのデータユニットにそれぞれが対応する例示的な、シフトされたトーンマップの図である。
【図２３Ａ】実施形態に係る、低帯域幅モードのデータユニットに対応する例示的な周期的なトーンマップの図である。
【図２３Ｂ】実施形態に係る、低帯域幅モードのデータユニットに対応する例示的な、シフトされたトーンマップの図である。
【図２４】実施形態に係る、第１ＰＨＹモードおよび第２ＰＨＹモードにそれぞれ準拠する第１データユニットおよび第２データユニットを生成し、送信されるようにするための例示的な方法のフロー図である。
【発明を実施するための形態】
【００８５】
以下に説明する実施形態において、無線ローカルエリアネットワーク（ＷＬＡＮ）のアクセスポイント（ＡＰ）などの無線ネットワークデバイスは、１以上のクライアント局へデータストリームを送信する。ＡＰは、少なくとも第１通信プロトコルに従ってクライアント局と共に動作する。第１通信プロトコルは、サブ１ＧＨｚの周波数帯域での動作を規定し、典型的には、比較的遅いデータレートでの長距離の無線通信を必要とする用途に用いられる。第１通信プロトコル（例えば、ＩＥＥＥ８０２．１１ａｆまたはＩＥＥＥ８０２．１１ａｈ）は本明細書において、「長距離」通信プロトコルと呼ぶ。いくつかの実施形態において、ＡＰは、一般的により高い周波数帯域での動作を規定する、典型的にはより高いデータレートでの、より近距離の通信に用いられる１以上の他の通信プロトコルに従ってクライアント局と通信を行う。より高い周波数の通信プロトコル（例えば、ＩＥＥＥ８０２．１１ａ、ＩＥＥＥ８０２．１１ｎ、および／または、ＩＥＥＥ８０２．１１ａｃ）は本明細書において総じて、「近距離」通信プロトコルと呼ぶ。いくつかの実施形態において、長距離通信プロトコルに準拠する物理層（ＰＨＹ）データユニット（「長距離データユニット」）は、近距離通信プロトコルに準拠するデータユニット（近距離データユニット）と同じかまたは同様であるが、より低いクロックレートを用いて生成される。この目的のため、実施形態においてＡＰは、近距離での動作に適したクロックレートで動作し、サブ１ＧＨｚでの動作に用いるためのクロックを生成するべく、ダウンクロックが用いられる。結果として、本実施形態において長距離データユニットは、近距離データユニットの物理層フォーマットを維持するが、より長い期間をかけて送信される。
【００８６】
この長距離通信プロトコルにより規定されるこの「通常モード」に加え、いくつかの実施形態において長距離通信プロトコルは、通常モードに関して規定される最も低い帯域幅およびデータレートと比較して帯域幅およびデータレートがさらに低い「低帯域幅モード」を規定する。データレートが低いので、低帯域幅モードは、通信距離がさらに長くなり、一般的に受信機の感度を向上させる。低帯域幅モードに対応するデータユニットは、通常モードに対応するデータユニットと同じクロックレートを用いて生成される（例えば、通常モードのデータユニットに用いられるのと同じ割合でダウンクロックされる）。例えば実施形態において、直交周波数分割多重シンボル（ＯＦＤＭシンボル）の通常モードおよび低帯域幅モードの両方のデータユニットは、同じサブ搬送波／トーン間隔およびＯＦＤＭシンボル期間を有する。いくつかの実施形態において、通常モードおよび／または低帯域幅モードは、複数のＰＨＹサブモードを含む。一実施形態において、例えば通常モードは、２ＭＨｚのデータユニットに対応する第１サブモード、４ＭＨｚのデータユニットに対応する第２サブモードなどを含み、低帯域幅モードは、１ＭＨｚのデータユニットだけに対応する。他の実施形態において、低帯域幅モードは同様に、複数の異なる帯域幅（例えば、１ＭＨｚ、０．５ＭＨｚなど）を有するデータユニットに対応する複数のサブモードを含む。
【００８７】
低帯域幅モードの機能はそのモードが用いられる地域によって異なり得る。例えば、サブ１ＧＨｚの周波数において利用可能な範囲が比較的多い米国におけるＩＥＥＥ８０２．１１ａｈシステムの一実施形態において、通常モードの通信は、少なくとも最も低い帯域幅（例えば、２ＭＨｚまたは２．５ＭＨｚなど）を有するチャネルを用い、低帯域幅モードは、さらに低い帯域幅（例えば、１ＭＨｚ、または１．２５ＭＨｚなど）を有する「制御モード」として機能する。実施形態において、ＡＰは、例えば、信号ビーコンまたは関連付け手順のために、および／または送信ビームフォーミングトレーニング動作のために制御モードを用いる。他の例として、サブ１ＧＨｚの周波数において利用可能な範囲が比較的少ない（例えば、欧州または日本）通信システムの一実施形態において、低帯域幅モードは制御モードではなく通常モードの延長として機能する。
【００８８】
図１は、一実施形態に係るＡＰ１４を含む例示的なＷＬＡＮ１０のブロック図である。ＡＰ１４は、ネットワークインタフェース１６に結合されたホストプロセッサ１５を含む。ネットワークインタフェース１６は、媒体アクセス制御（ＭＡＣ）処理ユニット１８および物理層（ＰＨＹ）処理ユニット２０を含む。ＰＨＹ処理ユニット２０は複数の送受信機２１を含み、送受信機２１は、複数のアンテナ２４に結合されている。３つの送受信機２１および３つのアンテナ２４が図１には示されているが、他の実施形態においてＡＰ１４は、異なる数（例えば１、２、４、５など）の送受信機２１およびアンテナ２４を含みうる。
【００８９】
ＷＬＡＮ１０はさらに、複数のクライアント局２５を含む。４つのクライアント局２５が図１には示されているが、様々なシナリオおよび実施形態においてＷＬＡＮ１０は、異なる数（例えば１、２、３、５，６など）のクライアント局２５を含みうる。クライアント局２５のうち少なくとも１つ（例えばクライアント局２５−１）は、少なくとも長距離通信プロトコルに従って動作する。いくつかの実施形態において、クライアント局２５のうち少なくとも１つ（例えばクライアント局２５−４）は、少なくとも１以上の近距離通信プロトコルに従って動作する近距離クライアント局である。
【００９０】
クライアント局２５−１は、ネットワークインタフェース２７に結合されたホストプロセッサ２６を含む。ネットワークインタフェース２７は、ＭＡＣ処理ユニット２８およびＰＨＹ処理ユニット２９を含む。ＰＨＹ処理ユニット２９は、複数の送受信機３０を含み、送受信機３０は複数のアンテナ３４に結合されている。３つの送受信機３０および３つのアンテナ３４が図１には示されているが、他の実施形態においてクライアント局２５−１は異なる数（例えば、１、２、４、５など）の送受信機３０およびアンテナ３４を含みうる。
【００９１】
いくつかの実施形態において、クライアント局２５−２、２５−３、２５−４のうち１つ、いくつか、または全てが、クライアント局２５−１と同じ、または同様の構造を有する。これらの実施形態において、クライアント局２５−１と同じ、または同様の構造を有するクライアント局２５は、同じ、または異なる数の送受信機およびアンテナを有する。例えば、一実施形態においてクライアント局２５−２は、送受信機およびアンテナをそれぞれ２つずつのみ有する。
【００９２】
様々な実施形態によると、ＡＰ１４のＰＨＹ処理ユニット２０は、長距離通信プロトコルに準拠した、以下に説明するフォーマットを有するデータユニットを生成する。送受信機２１は、生成されたデータユニットをアンテナ２４を介して送信する。同様に、送受信機２４は、データユニットをアンテナ２４を介して受信する。また様々な実施形態によると、ＡＰ１４のＰＨＹ処理ユニット２０は、長距離通信プロトコルに準拠した、以下に説明するフォーマットを有する受信したデータユニットを処理する。
【００９３】
様々な実施形態において、クライアントデバイス２５−１のＰＨＹ処理ユニット２９は、長距離通信プロトコルに準拠した、以下に説明するフォーマットを有するデータユニットを生成する。送受信機３０は、生成されたデータユニットをアンテナ３４を介して送信する。同様に、送受信機３０は、データユニットをアンテナ３４を介して受信する。また様々な実施形態によると、クライアントデバイス２５−１のＰＨＹ処理ユニット２９は、長距離通信プロトコルに準拠した、以下に説明するフォーマットを有する受信したデータユニットを処理する。
【００９４】
いくつかの実施形態において、ＡＰ１４は、デュアルバンド方式で動作する。そのような実施形態において、ＡＰ１４は、近距離モードでの動作と長距離モードでの動作とので間で切り替えることが出来る。そのような一実施形態によると、近距離モードで動作する場合、ＡＰ１４は、近距離通信プロトコルの１以上に準拠したデータユニットを送受信する。長距離モードで動作する場合、ＡＰ１４は、長距離通信プロトコルに準拠したデータユニットを送受信する。同様にいくつかの実施形態によると、クライアント局２５−１は、デュアル周波数帯域動作が可能である。これらの実施形態において、クライアント局２５−１は、近距離モードでの動作と長距離モードでの動作との間で切り替えることが出来る。他の実施形態において、ＡＰ１４および／またはクライアント局２５−１は、長距離通信プロトコルにより長距離での動作のために規定された複数の異なる低周波数帯域の間で切り替えることが出来るデュアルバンドデバイスである。さらに他の実施形態において、ＡＰ１４および／またはクライアント局２５−１は、１つの長距離周波数帯域でのみ動作するシングルバンドデバイスである。
【００９５】
またさらに他の実施形態において、クライアント局２５−１は、複数の異なる対応するＰＨＹモードを用いる複数の異なる地域で動作することが出来るデュアルモードデバイスである。例えば、そのような一実施形態においてクライアント局２５−１は、第１地域において動作する場合、通常モードのＰＨＹを利用し、第２地域（例えば、利用可能な範囲が少ない）において動作する場合、低帯域幅モードのＰＨＹを利用する。実施形態において、クライアント局２５−１は、送信機および受信機の低帯域幅モードおよび通常モードのベース帯域信号処理を切り替えることにより、および、各モードに当てはまる条件（例えば、送信機におけるスペクトルマスク条件、受信機における隣接するチャネルの干渉条件など）を満たすべくデジタルフィルタとアナログフィルタとを切り替えることにより、複数の異なる地域で通常モードと低帯域幅モードとを切り替えることが出来る。しかし実施形態において、低帯域幅モードと通常モードとの間で切り替える場合、クロックレートなどのハードウェア設定は変更されない。
【００９６】
例示的な一実施形態において、クライアント局２５−１は、米国においては（例えば、２ＭＨｚおよびそれより広いチャネルの）通常モードのＰＨＹを利用し、欧州および／または日本においては（例えば、１ＭＨｚのチャネルの）低帯域幅モードを利用するデュアルモードデバイスである。本実施形態において、同じクロックレートが汎用的に用いられ、複数の異なる帯域幅の信号を生成するのに複数の異なる離散逆フーリエ変換（ＩＤＦＴ）のサイズ（例えば、米国の２ＭＨｚおよびそれより広い帯域幅のチャネルには６４ポイント以上のＩＤＦＴ、欧州／日本の１ＭＨｚのチャネルには３２ポイントのＩＤＦＴ）が利用される。またこれらの実施形態のいくつかにおいて、低帯域幅モードが米国での制御ＰＨＹに用いられる。
【００９７】
他の例示的な実施形態において、クライアント局２５−１は、米国において、通常モードのＰＨＹ（例えば、２ＭＨｚおよびそれより広いチャネルのために）、および低帯域幅モードのＰＨＹ（例えば、１ＭＨｚの帯域幅を有する制御モードの信号のために）を利用し、欧州および／または日本において、低帯域幅モードのＰＨＹ（例えば、１ＭＨｚのチャネルのために）のみを利用するデュアルモードデバイスである。本実施形態において、同じクロックレートが汎用的に用いられ、複数の異なる帯域幅の信号を生成するのに複数の異なるＩＤＦＴのサイズ（例えば、米国における２ＭＨｚ以上の帯域幅のチャネルには６４ポイント以上のＩＤＦＴ、米国における１ＭＨｚの制御モードの信号および欧州／日本における１ＭＨｚのチャネルの両方に３２ポイントのＩＤＦＴ）が利用される。
【００９８】
いくつかの実施形態において、クライアント局２５−１などのデバイスは、最も小さな帯域幅の通常モードのデータユニットを生成しようと、低帯域幅モードのデータユニットを生成しようと、同じサイズのＩＤＦＴを（一定のクロックレートで）用いる。例えば、一実施形態において、２ＭＨｚの通常モードのデータユニットおよび１ＭＨｚの低帯域幅モードのデータユニットの両方の生成に６４ポイントのＩＤＦＴが用いられる。１ＭＨｚの低帯域幅モードのデータユニットの生成の場合は、適切なトーンがゼロ設定される。これらの実施形態のいくつかのシナリオにおいて、より広い（例えば２ＭＨｚ）のチャネルのためのスペクトルマスク条件を満たしつつＰＨＹモード間で切り替える場合、フィルタをオンザフライで変更する必要はない。他のシナリオにおいて、送信される低帯域幅モードの信号は、より広い帯域幅に対応するＩＤＦＴのサイズを用いて送信される場合であっても、より小さくより低い帯域幅のスペクトルマスクを満たすことが求められる。
【００９９】
図２は、実施形態に係る、通常モードのデータユニットを生成するための例示的なＰＨＹ処理ユニット１００の送信部のブロック図である。図１を参照すると、一実施形態において、ＡＰ１４のＰＨＹ処理ユニット２０、およびクライアント局２５−１のＰＨＹ処理ユニット２９はそれぞれ、ＰＨＹ処理ユニット１００と同様である、または同じである。実施形態によると、ＰＨＹ処理ユニット１００は、一般的に情報ビットのストリームをスクランブルして、１またはゼロの長いシーケンスの発生を低減するスクランブラー１０２を含む。スクランブラー１０２にはエンコーダパーサー１０４が結合されている。エンコーダパーサー２０８は、情報ビットのストリームを１以上のＦＥＣエンコーダ１０６に対応する１以上のエンコーダ入力ストリームに逆多重化する。
【０１００】
図２には２つのＦＥＣエンコーダ１０６が示されているが、様々な他の実施形態、および／またはシナリオにおいては、異なる数のＦＥＣエンコーダが含まれ、および／または、異なる数のＦＥＣエンコーダが並行して動作する。例えば一実施形態によると、ＰＨＹ処理ユニット１００は、４つのＦＥＣエンコーダ１０６、および、１つ、２つ、３つ、または４つのＦＥＣエンコーダ１０６が、特定の変調符号化方式（ＭＣＳ）、帯域幅、および空間ストリームの数に応じて同時に動作する。各ＦＥＣエンコーダ１０６は、対応する入力ストリームをエンコードして、対応するエンコードされたストリームを生成する。一実施形態において、各ＦＥＣエンコーダ１０６は、２値畳み込み符号器（ＢＣＣ）を含む。他の実施形態において、各ＦＥＣエンコーダ１０６は、パンクチャリングブロックがその後に続くＢＣＣを有する。他の実施形態において、各ＦＥＣエンコーダ１０６は、低密度パリティチェック（ＬＤＰＣ）エンコーダを含む。
【０１０１】
ストリームパーサ１０８は、別個のインターリービングおよびコンスタレーションポイント／シンボルへのマッピングのために１以上のエンコードされたストリームを１以上の空間ストリーム（例えば、図２に示される例示的なＰＨＹ処理ユニット１００において４個のストリーム）へパースする。一実施形態において、ストリームパーサ１０８は、以下の数式が満たされるようにＩＥＥＥ８０２．１１ｎ通信プロトコルに従って動作する。
【数１】
2014523152.tif 000003
数式１
ここでｓは、ＮＳＳ個の空間ストリームのうちそれぞれのためのコンスタレーションポイントにおける１個の軸に割り当てられたエンコードされたビットの数であり、ＮＢＰＳＣＳは、１個のサブ搬送波あたりのビット数である。実施形態において、各ＦＥＣエンコーダ１０６（ＢＣＣまたはＬＤＰＣ）のために、ラウンドロビン方式でｓ個のエンコードされたビットの連続するブロックが複数の異なる空間ストリームに割り当てられる。ＦＥＣエンコーダ１０６群が２以上のＢＣＣエンコーダを含むいくつかの実施形態において、個々のＦＥＣエンコーダ１０６の出力が、各ラウンドロビンサイクルにおいて交互に用いられる。つまり、まず第１ＦＥＣエンコーダ１０６からのＳ個のビットがＮＳＳ個の空間ストリームに供給され、第２ＦＥＣエンコーダ１０６からのＳ個のビットがＮＳＳ個の空間ストリームへ供給される、などである。ここで
Ｓ＝ＮＳＳ×ｓ  数式２
となる。
【０１０２】
ＮＳＳ個の空間ストリームのうちそれぞれに対応し、隣り合う雑音のあるビットからなる長いシーケンスが受信機においてデコーダに入るのを防ぐべく、インターリーバ１１０は空間ストリームのビットをインターリービングする（つまり、ビットの順番を変更する）。より詳細には、インターリーバ１１０は、隣り合うエンコードされたビットを、周波数領域において、または時間領域において、隣り合わない位置にマッピングする。実施形態においてインターリーバ１１０は、ＩＥＥＥ８０２．１１ｎ通信プロトコル（つまり、各データストリームにおいて２度の周波数置換、および、３番目の置換は異なるように、異なるストリームの複数のビットを周期的にシフト）に従って動作する。パラメータＮｃｏｌ、Ｎｒｏｗ、Ｎｒｏｔ（つまり、それぞれ列数、行数、および周波数回転パラメータ）が、長距離の通常モードのデータユニットの帯域幅に基づいた適切な値である点が異なる。
【０１０３】
また各空間ストリームに対応して、コンスタレーションマッパー１１２は、複数のビットから成るインターリービングされたシーケンスを、ＯＦＤＭシンボルの異なるサブ搬送波／トーンに対応するコンスタレーションポイントへマッピングする。より詳細には実施形態において、各空間ストリームに関し、コンスタレーションマッパー１１２はｌｏｇ２（Ｍ）の長さの全てのビットシーケンスをＭ個のコンスタレーションポイントのうち１つへ移す。コンスタレーションマッパー１１２は用いられているＭＣＳに応じて異なる数のコンスタレーションポイントを扱う。実施形態において、コンスタレーションマッパー１１２は、Ｍ＝２、４、１６、６４、２５６、および１０２４個のコンスタレーションポイントを扱う直交振幅変調（ＱＡＭ）マッパーである。他の実施形態において、コンスタレーションマッパー１１２は、｛２，４，１６，６４，２５６，１０２４｝のセットの少なくとも２つの値から成る異なるサブセットに等しいＭに対応する異なる変調方式を扱う。
【０１０４】
実施形態において、時空間ブロックエンコード（ＳＴＢＣ）ユニット１１４は、１以上の空間ストリームに対応するコンスタレーションポイントを受信し、当該空間ストリームを複数（ＮＳＴＳ）の時空間ストリームに拡散させる。いくつかの実施形態において、ＳＴＢＣユニット１１４は省略される。ＳＴＢＣユニット１１４には循環シフトダイバーシティ（ｃｙｃｌｉｃ  ｓｈｉｆｔ  ｄｉｖｅｒｓｉｔｙ）（ＣＳＤ）ユニット１１６が結合されている。ＣＳＤユニット１１６は、意図しないビーム形成を防ぐべく、１つを除いた残りの全ての時空間ストリーム（１より多い時空間ストリームが存在する場合）に循環シフトを挿入する。説明を分かりやすくするべく、ＣＳＤユニット１１６への入力は、ＳＴＢＣユニット１１４が省略された実施形態においても時空間ストリームと呼ぶ。
【０１０５】
空間マッピングユニット１２０は、ＮＳＴＳ個の時空間ストリームをＮＴＸ個の送信チェーンへマッピングする。様々な実施形態において、空間マッピングは、１）各時空間ストリームからのコンスタレーションポイントが送信チェーンへ直接的にマッピングされる直接マッピング（つまり１対１のマッピング）、２）全ての時空間ストリームからのコンスタレーションポイントのベクトルが行列の乗算を用いて拡大され、送信チェーンへの入力が生成される空間的拡大、３）全ての時空間ストリームからのコンスタレーションポイントの各ベクトルが方向ベクトルの行列により乗算され、送信チェーンへの入力が生成されるビーム形成のうち１以上を含む。空間マッピングユニット１２０の各出力は１個の送信チェーンに対応し、空間マッピングユニット１２０の各出力は、複数のコンスタレーションポイントからなるブロックを時間領域信号へ変換するＩＤＦＴ計算ユニット１２２（例えば、逆高速フーリエ変換（ＩＦＦＴ）計算ユニット）により処理が行われる。ＩＤＦＴユニット１２２の出力は、実施形態においてＯＦＤＭシンボルの円形の拡張部分であるガードインターバル（ＧＩ）部分をＯＦＤＭシンボルへプリペンドし、スペクトル遅延を増加させるべくＯＦＤＭシンボルのエッジを滑らかにするＧＩ挿入／ウィンドウイングユニット１２４へ提供される。ＧＩ挿入／ウィンドウイングユニット１２４の出力は、信号をアナログ信号へ変換し、信号をＲＦ周波数にアップコンバートして送信するアナログ／無線周波数（ＲＦ）ユニット１２６へ提供される。様々な実施形態、および／またはシナリオにおいて信号は、２ＭＨｚ、４ＭＨｚ、８ＭＨｚ、または１６ＭＨｚの帯域幅のチャネル（例えば、ユニット１２２におけるそれぞれ６４、１２８、２５６、または５１２ポイントのＩＤＦＴに対応し、ＩＤＦＴのサイズに関わらず一定のクロックレートを用いて）で送信される。他の実施形態において、他の適したチャネル帯域幅（および／またはＩＤＦＴのサイズ）が用いられる。通常モードに対応する長距離データユニットは、２０１２年１月６日に提出され発明の名称が「Ｐｈｙｓｉｃａｌ  Ｌａｙｅｒ  Ｆｒａｍｅ  Ｆｏｒｍａｔ  ｆｏｒ  Ｌｏｎｇ  Ｒａｎｇｅ  ＷＬＡＮ」である米国特許出願第１３／３５９，３３６号にさらに詳細に説明されている。当該特許出願はその全体が参照により本明細書に組み込まれる。
【０１０６】
低帯域幅モードの通信は一般的に、通常モードの通信よりもさらにロバストであり、より長い距離の通信をサポートする感度ゲインを有する。例えば、通常モードが通常モードのデータユニットを生成するのに６４ポイントのＩＤＦＴ（例えば、２ＭＨｚの帯域幅の信号のために）を用い、低帯域幅モードが低帯域幅モードのデータユニットを生成するのに３２ポイントのＩＤＦＴ（例えば、１ＭＨｚの帯域幅の信号のために）を用いる実施形態において、低帯域幅モードはおよそ３ｄＢの感度ゲインを提供する。他の例として、通常モードが通常モードのデータユニットを生成するのに６４ポイントのＩＤＦＴ（例えば、２ＭＨｚの帯域幅の信号のために）を用い、低帯域幅モードが低帯域幅モードのデータユニットを生成するのに１６ポイントのＩＤＦＴ（例えば、０．５ＭＨｚの帯域幅の信号のために）を用いる実施形態において、低帯域幅モードはおよそ６ｄＢの感度ゲインを提供する。さらに、いくつかの実施形態において、低帯域幅モードは、ビットの冗長性および繰り返しをデータユニットの少なくともいくつかのフィールドに導入し、さらにデータレートを低くする。例えば、様々な実施形態および／またはシナリオにおいて、低帯域幅モードは、以下に説明する１以上の繰り返し／エンコード方式に従い低帯域幅モードのデータユニットのデータ部分および／または信号フィールドに冗長性を導入する。低帯域幅モードが複数のビットの繰り返しを２回含む実施形態において、例えば、さらに３ｄＢの感度ゲインが得られ得る。さらには、いくつかの実施形態において、低帯域幅モードは、通常モードの最も低いデータレートのＭＣＳに従って、または、通常モードの最も低いデータレートのＭＣＳよりも低いＭＣＳに従ってＯＦＤＭシンボルを生成することにより感度を向上させる。例として、実施形態において、通常モードのデータユニットは、より高いオーダーのＭＣＳがより高いデータレートに対応する、ＭＣＳ０（１／２の二相位相変調方式（ＢＰＳＫ）変調符号化レート）からＭＣＳ９（５／６の直交振幅変調（ＱＡＭ）／エンコードレート）などＭＣＳ群より選択される特定のＭＣＳに従って生成される。そのような一実施形態において、低帯域幅モードのデータユニットは、ＭＣＳ０により規定される変調およびエンコードを用いて生成される。代替的な実施形態において、ＭＣＳ０は、低帯域幅モードのデータユニットのためのみに用いられ、通常モードのデータユニットには用いられ得ない。
【０１０７】
図３〜図５は、様々な実施形態に係る、低帯域幅モードのデータユニットを生成するための例示的なＰＨＹ処理ユニットの送信部のブロック図である。図１を参照すると、様々な実施形態において、ＡＰ１４のＰＨＹ処理ユニット２０、およびクライアント局２５−１のＰＨＹ処理ユニット２９はそれぞれ、図３〜図５に示されるＰＨＹ処理ユニットのいずれかと同様である、または同じである。いくつかの実施形態において、図３〜図５のＰＨＹ処理ユニットは、図２のＰＨＹ処理ユニット１００と同じハードウェアに対応するが、通常モードのデータユニットが生成されるか低帯域幅モードのデータユニットのデータユニットが生成されるかに応じてハードウェア内で異なる信号処理動作が用いられる。
【０１０８】
実施形態において図３のＰＨＹ処理ユニット１５０は、図２のスクランブラー１０２と同様のスクランブラー１５２を含む。スクランブラー１５２は、実施形態において図２のＦＥＣエンコーダ１０６と同様である１以上のＦＥＣエンコーダ１５４に結合されている。ＰＨＹ処理ユニット１５０が２以上のＦＥＣエンコーダ１５４を含む実施形態において、図２のエンコーダパーサー１０４と同様のエンコーダパーサー（図示せず）が、スクランブラー１５２とＦＥＣエンコーダ１５４との間に結合されている。
【０１０９】
ＦＥＣエンコーダ１５４の出力にはストリームパーサ１５８が結合されている。実施形態において、ストリームパーサ１５８は図２のストリームパーサ１０８と同様であり（例えば、上述の数式１および２が満たされる）、上述の数式１および２の関連するパラメータ（例えば、ＮＢＰＳＣＳおよびＮＳＳ）が、低帯域幅モードのシステムのパラメータにマッチする（例えば、低帯域幅モードのデータユニットに関して１個の空間ストリームのみが許可される場合、ＮＳＳ＝１）点が異なる。ストリームパーサ１５８はインターリーバ１６０に結合されている。実施形態において、インターリーバ１６０は、図２のインターリーバ１１０と同様であり、パラメータＮｃｏｌ、Ｎｒｏｗ、およびＮｒｏｔが低帯域幅のデータユニットの帯域幅に基づく適した値である点が異なる。例えば、最も低い帯域幅の通常モードのデータユニットが６４ポイントのＩＤＦＴを用いて生成された２ＭＨｚのデータユニットであり、低帯域幅モードのデータユニットが３２ポイントのＩＤＦＴを用いて生成され２４個のＯＦＤＭデータトーンを有する１ＭＨｚのデータユニットである様々な実施形態において、次の３つのオプションのうち１つが実施される。
１）Ｎｃｏｌ＝１２，Ｎｒｏｗ＝２×ＮＢＰＳＣＳ  数式３
２）Ｎｃｏｌ＝８，Ｎｒｏｗ＝３×ＮＢＰＳＣＳ  数式４
３）Ｎｃｏｌ＝６，Ｎｒｏｗ＝４×ＮＢＰＳＣＳ  数式５
Ｎｒｏｔは｛２，３，４，５，６，７，８｝のうち１つである。例えば、１つの特定の実施形態において、数式４が満たされ、Ｎｒｏｔ＝２である。他の例として、最も低い帯域幅の通常モードのデータユニットが６４ポイントのＩＤＦＴを用いて生成された２ＭＨｚのデータユニットであり、低帯域幅モードのデータユニットが１６ポイントのＩＤＦＴを用いて生成され１２個のＯＦＤＭデータトーンを有する０．５ＭＨｚのデータユニットである様々な実施形態において、次の２つのオプションのうち１つが実施される。
１）Ｎｃｏｌ＝６，Ｎｒｏｗ＝２×ＮＢＰＳＣＳ  数式６
２）Ｎｃｏｌ＝４，Ｎｒｏｗ＝３×ＮＢＰＳＣＳ  数式７
Ｎｒｏｔは［２，３，４，５］のうち１つである。
【０１１０】
各空間ストリームに対応して、コンスタレーションマッパー１６２は、複数のビットからなるインターリービングされたシーケンスを、ＯＦＤＭシンボルの複数の異なるサブ搬送波／トーンに対応するコンスタレーションポイントへマッピングする。実施形態において、コンスタレーションマッパー１６２は、図２のコンスタレーションマッパー１１２と同様である。
【０１１１】
上述したＭＣＳに関する制限（例えば、低帯域幅モードのデータユニットが最も低いＭＣＳのみの利用を許可されるなど）に加え、またはそれら制限の代わりに、様々な実施形態において、低帯域幅モードのデータユニットに関して許可されるＭＣＳは、次の数式を満たすＭＣＳである。
ＮＣＢＰＳ／ＮＥＳ＝ｍ  数式８
ＮＤＢＰＳ／ＮＥＳ＝ｎ  数式９
ｍｏｄ（ＮＣＢＰＳ／ＮＥＳ，ＤＲ）＝０  数式１０
Ｒ＝ＮＲ／ＤＲ  数式１１
ＮＣＢＰＳは１個のシンボルあたりのエンコードされたビットの数であり、ＮＤＢＰＳは、１個のシンボルあたりのエンコードされていないビットの数であり、ＮＥＳはＢＣＣエンコーダの数であり、ｍおよびｎは整数であり、Ｒはエンコードレートであり、ＤＲはエンコードレートの分母（つまり、Ｒ＝１／２の場合、ＤＲ＝２、Ｒ＝２／３の場合、ＤＲ＝３、Ｒ＝３／４の場合、ＤＲ＝４、Ｒ＝５／６の場合、ＤＲ＝６）である。実施形態において、ＮＥＳは低帯域幅モードのデータユニットに関して常に１である（つまり、低帯域幅モードでは１個の空間ストリームおよび１個のＢＣＣエンコーダが用いられる）。他の実施形態において、ＮＥＳは低帯域幅モードのデータユニットに関して１より大きい適した数である。
【０１１２】
実施形態において、ＳＴＢＣユニット１６４（例えば、図２のＳＴＢＣユニット１１４と同様）は、１以上の空間ストリームに対応するコンスタレーションポイントを受信し、当該空間ストリームを複数の時空間ストリームへ拡散させる。複数のＣＳＤユニット１６６（例えば、図２のＣＳＤユニット１１６と同様の）がＳＴＢＣユニット１６４に結合され、またＳＴＢＣユニット１６４は空間マッピングユニット１７０（例えば、図２の空間マッピングユニット１２０と同様の）に結合されている。空間マッピングユニット１７０の各出力は、送信チェーンに対応し、空間マッピングユニット１２０の各出力は、ＩＤＦＴユニット１７２により処理が行われる。実施形態において、ＩＤＦＴユニット１７２は図２のＩＤＦＴユニット１２２と同様であり、ＩＤＦＴユニット１２２と同じクロックレートを利用するが、いずれの通常モードのデータユニットよりも小さなサイズのＩＤＦＴを利用する。例えば、通常モードのデータユニットが６４ポイント以上のＩＤＦＴを用いて生成される一実施形態において、低帯域幅モードのデータユニットは、３２ポイントのＩＤＦＴを用いて生成される。通常モードのデータユニットが６４ポイント以上のＩＤＦＴを用いて生成される代替的な実施形態において、低帯域幅モードのデータユニットは１６ポイントのＩＤＦＴを用いて生成される。通常モードのデータユニットが６４ポイント以上のＩＤＦＴを用いて生成される他の代替的な実施形態において、低帯域幅モードの２つのＰＨＹサブモードのうちいずれが選択されるかに応じて、低帯域幅モードのデータユニットは、１６ポイントまたは３２ポイントのＩＤＦＴを用いて生成される。
【０１１３】
ＩＤＦＴユニット１７２の出力はＧＩ挿入／ウィンドウイングユニット１７４（例えば、図２のＧＩ挿入／ウィンドウイングユニット１２４と同様の）へ提供され、ＧＩ挿入／ウィンドウイングユニット１７２の出力はアナログ／ＲＦユニット１７６（例えば、図２のアナログ／ＲＦユニット１２６と同様の）へ提供される。一実施形態において、生成された低帯域幅モードのデータユニットはその後、低帯域幅モードの周波数帯域で送信される。通常モードの送信が２ＭＨｚ、およびそれより大きな帯域幅（例えば、４ＭＨｚ、８ＭＨｚなど）のチャネルを用いる一実施形態において、低帯域幅モードの送信の周波数帯域は１ＭＨｚである。他のそのような実施形態において、０．５ＭＨｚ、または最も低い通常モードのチャネル帯域幅よりも小さな他の適した帯域幅が利用される。
【０１１４】
図３の例示的なＰＨＹ処理ユニット１５０は、複数の空間ストリーム（インターリーバ１６０およびコンスタレーションマッパー１６２のそれぞれにつき１つ）を含むが、低帯域幅モードは、他の実施形態において、１個の空間ストリームのみを利用する。例えば、低帯域幅モードは、１個の空間ストリームのみが利用されるＭＣＳ（例えば、上述したＭＣＳ０）に制限される。これらの実施形態のいくつかにおいて、ストリームパーサ１５８は省略されるか、または利用されない。さらにいくつかの実施形態において、ＳＴＢＣユニット１６４および／またはＣＳＤユニット１６６は省略される。さらに、ＦＥＣエンコーダ１５４がＢＣＣエンコーダではなくＬＤＰＣエンコーダである一実施形態において、インターリーバ１６０は省略される。実施形態において、通常モードに用いられるのと同じＬＤＰＣパリティ行列およびパラメータが低帯域幅モードに用いられ、パンクチャリング／ショートニング／パディング手順は、低帯域幅モードに対応するＮＣＢＰＳおよびＮＤＢＰＳ（それぞれ、１つのシンボルあたりのエンコードされたデータビットの数、および、１個のシンボルあたりエンコードされていないデータビットの数）の値を利用する。いくつかの実施形態において、低帯域幅モードで用いられるパディング手順は、２０１２年２月３日に提出され発明の名称が「Ｃｏｎｔｒｏｌ  Ｍｏｄｅ  ＰＨＹ  ｆｏｒ  ＷＬＡＮ」である米国出願第１３／３６６，０６４号に記載のそのような手順に対応する。当該特許出願の開示はその全体が参照により本明細書に組み込まれる。
【０１１５】
図４および図５は、データレートを低くし、受信機の感度を高めるべく繰り返しを用いる実施形態において、低帯域幅モードのデータユニットを生成するための例示的なＰＨＹ処理ユニットの送信部を示す。説明を容易にするべく、特定のユニットは図４および図５において示されていないが、いくつかの実施形態においてそれらのユニットは含まれる。例えば様々な実施形態において、図４および図５に示される送信フローに入力される情報ビットがスクランブリングされたビットであるよう、ＰＨＹ処理ユニットのそれぞれはスクランブラーを含む。いくつかの実施形態において、低帯域幅モードはＢＰＳＫ変調および／または１個の時空間ストリームに関して図４または図５の繰り返しのみを用い、それ以外に関しては繰り返しを用いない（例えば、図３の例示的なＰＨＹ処理ユニット１５０のように）。
【０１１６】
図４は、ＢＣＣエンコードされたビットをコンスタレーションシンボルへマッピングする前に、例示的なＰＨＹ処理ユニット２００が当該ビットの繰り返しを利用して低帯域幅モードのデータユニットを生成する実施形態を示す。ＢＣＣエンコーダ２０４は情報ビットを受け入れ、ＢＣＣエンコードされたビットをブロックエンコーダ２０６へ出力する。様々な実施形態においてブロックエンコーダ２０６は、ビットレベルの繰り返し（例えば、２回の繰り返しで［ｂ１  ｂ１，ｂ２  ｂ２，…］）を実行し、または、ブロックレベルの繰り返し（例えば、２回の繰り返し、ブロックサイズが１２で［ｂ１…ｂ１２，ｂ１…ｂ１２，ｂ１３…ｂ２４，ｂ１３…ｂ２４，…］）を実行する。例示的な一実施形態において、２回の繰り返し（レート１／２ブロックエンコード）が用いられる。他の例示的な実施形態において、４回の繰り返し（レート１／４ブロックエンコード）が用いられる。ブロックエンコーダ２０６の出力は選択ビット（例えば１つおきのビット）の符号またはポラリティを変更し、生成されたＯＦＤＭ信号のピーク対平均電力比（ＰＡＰＲ）を低減させるビットフリップユニット２１０へ結合する。いくつかの実施形態において、ビットフリップユニット２１０はＰＨＹ処理ユニット２００に含まれない。
【０１１７】
ビットフリップユニット２１０の出力（または、ユニット２１０が省略された場合はブロックエンコーダ２０６の出力）は、ＢＣＣインターリーバ２１２へ結合される。実施形態においてＢＣＣインターリーバ２１２は図３のインターリーバ１６０と同様である。いくつかの実施形態において、ＢＣＣインターリーバ２１２はＰＨＹ処理ユニット２００に含まれない。ＢＣＣインターリーバ２１２の出力（または、ＢＣＣインターリーバ２１２が省略された場合は、ビットフリップユニット２１０またはブロックエンコーダ２０６の出力）は、コンスタレーションマッパー２１４へ結合される。実施形態において、コンスタレーションマッパー２１４は図２のコンスタレーションマッパー１１２と同様である。低帯域幅モードのデータユニットを生成するためにコンスタレーションマッパー２１４により利用されるコンスタレーションサイズは、いくつかの実施形態において、上述したように通常モードのデータユニットのために利用される最も低いＭＣＳ（または最も低いＭＣＳよりもさらに低いＭＣＳ）であるＭＣＳモードにより決定される。
【０１１８】
コンスタレーションマッパー２１４の出力はＩＤＦＴユニット２１６へ結合される。実施形態において、ＩＤＦＴユニット２１６は、図３のＩＤＦＴユニット１７２と同様である（例えば、通常モードのデータユニットに関する６４ポイント以上のＩＤＦＴと対照的に、３２ポイントまたは１６ポイントのＩＤＦＴを用いる）。いくつかの実施形態において、ＩＤＦＴユニット２１６の出力はＣＳＤユニット２１８へ結合される。ＰＨＹ処理ユニット２００が複数の送信チェーンを介しての送信のために低帯域幅モードのデータユニットを生成するよう動作する実施形態またはシナリオにおいて、ＣＳＤユニット２１８は、意図しないビーム形成を防ぐべく、１つを除いた残りの全ての送信チェーンに循環シフトを挿入する。他の実施形態において、ＣＳＤユニット２１８は省略される。ＣＳＤユニット２１８の出力（または、ＣＳＤユニット２１８が省略された場合、ＩＤＦＴユニット２１６の出力）はＧＩ挿入／ウィンドウイングユニット２２０へ結合され、ＧＩ挿入／ウィンドウイングユニット２２０の出力はアナログ／ＲＦユニット２２２へ結合される。様々な実施形態および／またはシナリオにおいて、生成された低帯域幅モードのデータユニットはその後、１ＭＨｚまたは０．５ＭＨｚの帯域幅のチャネル（例えば、ユニット２１６においてそれぞれ３２ポイントまたは１６ポイントのＩＤＦＴに対応する）で送信される。他の実施形態において、最小の通常モードのチャネル帯域幅よりも小さい１以上の他の適したチャネル帯域幅（他のＩＤＦＴのサイズに対応する）が利用される。
【０１１９】
ＩＤＦＴユニット２１６が、低帯域幅モードのデータユニットのために２４のデータトーンを有するＯＦＤＭシンボルを生成するのに３２ポイントのＩＤＦＴを用いる、より具体的な例示的な実施形態において、ＢＣＣエンコーダ２０４は、１個のＯＦＤＭシンボルあたり６個の情報ビットを受信し、１個のＯＦＤＭシンボルあたり１２個のビットを出力するレート１／２ＢＣＣエンコーダであり、ブロックエンコーダ２０６は、ブロックレベルの繰り返しを用いて１個のＯＦＤＭシンボルあたり２４個のビットを出力するレート１／２（２回の繰り返し）ブロックエンコーダであり、２４個の出力ビットは、周期的なＢＣＣインターリーバを用いてインターリービングされ、コンスタレーションマッピングユニット２１４は、ＢＰＳＫ変調技術を利用する。
【０１２０】
１つの代替的な実施形態において、ブロックエンコーダ２０６は、図４の送信フローにおいてＢＣＣエンコーダ２０４よりも前段にあり（つまり、ビットの繰り返しがＢＣＣエンコードの前に起こる）、ビットフリップユニット２１０は省略される。他の代替的な実施形態において、ブロックエンコーダ２０６が代わりにコンスタレーションマッパー２１４の出力へ結合され（つまり、コンスタレーションポイントの繰り返しのために）、ビットフリップユニット２１０は省略される。これらの後者の実施形態のいくつかにおいて、位相調整ユニット（図４において図示せず）は、ＯＦＤＭ信号のＰＡＰＲを低減すべくブロックエンコーダ２０６の出力へ結合され、位相調整ユニットの出力はＩＤＦＴユニット２１６へ結合される。位相調整ユニットが実施形態に含まれない場合、ブロックエンコーダ２０６の出力が代わりにＩＤＦＴユニット２１６へ結合される。様々な実施形態において処理ユニット２００は、米国出願第１３／３６６，０６４に説明される繰り返し技術のいずれかを利用する。
【０１２１】
図５は、実施形態に係る、低帯域幅モードのデータユニットを生成するための他の例示的なＰＨＹ処理ユニット３５０の送信部のブロック図である。一般的に、図５に示される様々なユニットは、図４の対応するユニットと同様である。しかし図４の例示的な実施形態とは異なり、ブロックエンコーダ３５４へ結合されたＢＣＣエンコーダ３５２はさらにＬＤＰＣエンコードを利用し、ＰＨＹ処理ユニット３５０にはストリームパーサ３５６、ＳＴＢＣユニット３６０、および、空間マッピングユニット３６２が含まれ、複数の空間ストリームおよび時空間ストリームをサポートする。さらに実施形態において、ＣＳＤユニット３６４に加えて、第２のＣＳＤユニット３６６群が、ＳＴＢＣユニット３６０の後段において時空間ストリームのそれぞれに対し利用される。実施形態において、ショートトレーニングフィールド（主に受信機において自動ゲイン制御（ＡＧＣ）ゲインを設定するのに用いられる）の間の意図されないビーム形成を低減すべく、第２のＣＳＤユニット３６６群は１より多い時空間ストリームが送信された場合のみ適用される。他の実施形態において、ＣＳＤユニット３６６は省略される。さらに、いくつかの実施形態において、ビットフリップユニット３７０および／またはＢＣＣインターリーバ３７２は省略される。さらに、いくつかの実施形態において、ブロックエンコーダ３５４およびビットフリップユニット３７０は、１より多い時空間ストリームが送信されている場合のみ適用される。
【０１２２】
ＩＤＦＴユニット３７４が低帯域幅モードのデータユニットのために２４のデータトーンを有するＯＦＤＭシンボルを生成するのに３２ポイントのＩＤＦＴを用いる、より具体的な例示的な実施形態において、ＢＣＣ／ＬＤＰＣエンコーダ３５２は、１個のＯＦＤＭシンボルあたり１２×ＮＳＳ個のビットを出力するレート１／２ＢＣＣ／ＬＤＰＣエンコーダであり（ＮＳＳは空間ストリームの数）、ブロックエンコーダ３５４は、ブロックレベルの繰り返しを用いて１個のＯＦＤＭシンボルあたり２４×Ｎｓｓ個のビットを出力するレート１／２（２回の繰り返し）ブロックエンコーダであり、各コンスタレーションマッパー３７６はＢＰＳＫ変調を用いる。
【０１２３】
１つの代替的な実施形態において、ビットの繰り返しは、ストリームパーサ３５６の前段ではなく後段に（つまり、各空間ストリームにおいて）起こる。例えば実施形態において、ブロックエンコーダ３５４および（存在する場合）ビットフリップユニット３７０が各空間ストリームに含まれ、ストリームパーサ３５６と対応するＢＣＣインターリーバ３７２との間に結合される。ビットの繰り返しがストリームパーサ３５６の前に起こる実施形態のように、ビットの繰り返しは、いくつかの実施形態においてはビット毎に適用され、他の実施形態においてはブロックレベルで適用される。
【０１２４】
図６は、実施形態に係る、第１ＰＨＹモードと第２ＰＨＹモードとのそれぞれに対応する第１データユニットおよび第２データユニットを生成するための例示的な方法４００のフロー図である。実施形態において、第１ＰＨＹモードは、長距離通信プロトコルの通常モードであり、第２ＰＨＹモードは、長距離通信プロトコルの低帯域幅モードである。例えば一実施形態において、第２ＰＨＹモードは制御モードである。代替的に、第２ＰＨＹモードは単に、第１ＰＨＹモードの距離延長を実現する。様々な実施形態において、方法４００は、図１のＡＰ１４のネットワークインタフェース１６、および／または、クライアント局２５−１のネットワークインタフェース２７により実装される。
【０１２５】
一般的に、第１ＰＨＹモードに対応する第１データユニットはブロック４０２において生成され、第２ＰＨＹモードに対応する第２データユニットは、ブロック４０４において生成される。まずブロック４０２を参照すると、ブロック４１０において第１の複数の情報ビットがＦＥＣエンコードされる。例えば一実施形態において、第１情報ビットはＢＣＣエンコードされる。他の例として、実施形態において、第１情報ビットがＬＤＰＣエンコードされる。いくつかの実施形態において、第１の複数の情報ビットの少なくとも一部は、生成される第１データユニットのデータ部分に対応する。さらに、いくつかの実施形態において、第１の複数の情報ビットの他の一部は、生成される第１データユニットのプリアンブルの信号フィールドに対応する。
【０１２６】
ブロック４１２において、ＦＥＣエンコードされた第１情報ビットが、第１の複数のコンスタレーションシンボルへマッピングされる。マッピングされるＦＥＣエンコードされたビットの数は、ブロック４１０で用いられるエンコードレートに関連する係数の倍だけ、ＦＥＣエンコードの前の情報ビットの数より大きい。例えばＲ＝１／２ＢＣＣエンコードがブロック４１０において用いられた場合、ブロック４１０で演算された情報ビット毎に２個のＦＥＣエンコードされた第１情報ビットが生成される（また、それらビットに対してブロック４１２で演算が行われる）。実施形態において、ブロック４１２におけるコンスタレーションマッピングは、図２のコンスタレーションマッパー１１２により実行されるマッピングと同様である。第１の複数のコンスタレーションシンボルは、各ＯＦＤＭサブ搬送波に用いられる特定の変調技術に対応する。ＢＰＳＫ変調が利用される実施形態において、例えば、第１の複数のコンスタレーションシンボルは、＋１および−１からのみ構成される。
【０１２７】
ブロック４１４において、ブロック４１２において生成された第１コンスタレーションシンボルを含む第１ＯＦＤＭシンボルが生成される。第１ＯＦＤＭシンボルのそれぞれは第１トーン間隔を利用し、全体として第１帯域幅に亘る第１の数の非ゼロトーンを含む。第１データユニットが長距離データユニットである一実施形態において、例えば、非ゼロトーン（データ／パイロットトーン）は、ＩＥＥＥ８０２．１１ｎまたはＩＥＥＥ８０２．１１ａｃ規格に従って、ダウンクロック率に基づき決定されるより小さなトーン間隔を用いて配置される。
【０１２８】
次にブロック４０４を参照すると、ブロック４１６において第２の複数の情報ビットがＦＥＣエンコードされる。実施形態においてブロック４１６はブロック４１０と同様である。いくつかの実施形態において、第２の複数の情報ビットの少なくとも一部は、生成される第２データユニットのデータ部分に対応する。さらに、いくつかの実施形態において、第２の複数の情報ビットの他の一部は、生成される第２データユニットのプリアンブルの信号フィールドに対応する。
【０１２９】
ブロック４２０において、ＦＥＣエンコードされた第２情報がブロックエンコードされる。様々な例示的な実施形態において、２回の繰り返し（レート１／２ブロックエンコード）または４回の繰り返し（レート１／４ブロックエンコード）が用いられる。一実施形態において、ブロック４２０におけるブロックエンコードにより、ビットレベルの繰り返し（例えば、２回の繰り返しで［ｂ１  ｂ１，ｂ２  ｂ２，…］）が実行される。他の実施形態において、ブロック４２０におけるブロックエンコードにより、ブロックレベルの繰り返しが実行される。この後者の実施形態において、ブロック４２０は、第２情報ビットをｎ個の情報ビットから成る複数のブロックへパーティション化することを含み、それぞれがｎ個の情報ビットから成るブロックをｍ回繰り返し、ｍ×ｎ個の情報ビットを生成することを含む。例えば、ｍ＝２（２回の繰り返し）、およびｎ＝１２の場合、ビットシーケンス［ｂ１…ｂ１２，ｂ１…ｂ１２，ｂ１３…ｂ２４，ｂ１３…ｂ２４，…］が生成される。いくつかの実施形態においてブロック４２０は、生成されたｍ×ｎ個の情報ビットをインターリービングすることも含む。
【０１３０】
ブロック４２２において、ブロックエンコードされた第２情報ビットは、第２の複数のコンスタレーションシンボルへマッピングされる。実施形態においてブロック４２２は、ブロック４１２と同様である。様々な実施形態において、ブロック４２２におけるマッピングは、図４のコンスタレーションマッパー２１４、または、図５のコンスタレーションマッパー３７６により実行されるマッピングと同様である。第２の複数のコンスタレーションシンボルは、各ＯＦＤＭサブ搬送波に用いられる特定の変調技術に対応する。ＢＰＳＫ変調が利用される実施形態において、例えば、第２の複数のコンスタレーションシンボルは、＋１および−１からのみ構成される。いくつかの実施形態および／またはシナリオにおいて、ブロック４２２において利用される第２の複数のコンスタレーションシンボルは、ブロック４１２で利用される第１の複数のコンスタレーションシンボルと同じである（つまり、変調形式が同じである）。他の実施形態および／またはシナリオにおいて、ブロック４２２で利用される第２の複数のコンスタレーションシンボルは、ブロック４１２で利用される第１の複数のコンスタレーションシンボルと異なる（例えば、ブロック４２２において、より小さなコンスタレーションシンボル群を有する変調形式が用いられる）。
【０１３１】
ブロック４２４において、ブロック４２２において生成された第２コンスタレーションシンボルを含む第２ＯＦＤＭシンボルが生成される。第２ＯＦＤＭシンボルのそれぞれは第２トーン間隔を利用し、全体として第２帯域幅に亘る第２の数の非ゼロトーンを含む。第２トーン間隔は、ブロック４１４において生成される第１ＯＦＤＭシンボルの第１トーン間隔と同じである（つまり、ブロック４１４、４２４において同じクロックレートが用いられる）。第２の数の非ゼロトーンは、ブロック４１４において生成される第１ＯＦＤＭシンボルの第１の数の非ゼロトーンよりも少ない。第２ＯＦＤＭシンボルの非ゼロトーンは、第１ＯＦＤＭシンボルの第１帯域幅よりも小さい第２帯域幅に全体として亘る。
【０１３２】
いくつかの実施形態において、ブロック４２２において生成されるＯＦＤＭシンボルの非ゼロトーンの数は、ブロック４１４において生成されるＯＦＤＭシンボルの非ゼロトーンの数の半分以下であり、第２帯域幅は第１帯域幅の半分以下である。例えば、第２データユニットの帯域幅が第１データユニットの帯域幅の半分である一実施形態において、第１ＯＦＤＭシンボルの生成には、６４ポイントのＩＤＦＴを利用することが含まれ、第２ＯＦＤＭシンボルの生成には、６４ポイントのＩＤＦＴを利用し、結果として得られるトーンの少なくとも半分をゼロ設定すること、または、３２ポイントのＩＤＦＴを利用することが含まれる。例示的なトーンマップは図７Ａおよび図７Ｂに示され、以下にこれらの図面を参照して説明される。
【０１３３】
いくつかの実施形態において、第２データユニットは、第１データユニットを生成するのに用いられ得る最も低いＭＳＣ以下のＭＣＳを用いて生成される。例えば実施形態において、ブロック４１０におけるＦＥＣエンコードは、複数の相対的なスループットレベルに対応する複数のＭＣＳから選択される第１ＭＣＳに従って実行され、ブロック４１２におけるマッピングは第１ＭＣＳに従って実行され、ブロック４１６におけるＦＥＣエンコードは、複数の相対的なスループットレベルのうち最も低い相対的なスループットレベル以下の相対的なスループットレベルに対応する第２ＭＣＳに従って実行され、ブロック４２２におけるマッピングは、第２ＭＣＳに従って実行される。
【０１３４】
様々な実施形態において方法４００は、図６に示されない他のブロックを含む。一実施形態において、例えば、第１情報ビットはブロック４１０におけるＦＥＣエンコードの前にスクランブリングされ、第２情報ビットはブロック４１６におけるＦＥＣエンコードの前にスクランブリングされる。
【０１３５】
図７Ａおよび図７Ｂは、２つの実施形態に係る、低帯域幅モードのデータユニットに対応する例示的なＯＦＤＭシンボルトーンマップ４５０、４７０の図である。より詳細には、通常モードのデータユニットが６４ポイント以上の（例えば、１２８、２５６、および／または５１２ポイント）のＩＤＦＴを用いて生成されたダウンクロックされたＩＥＥＥ８０２．１１ｎまたはＩＥＥＥ８０２．１１ａｃのデータユニットに対応する実施形態において、トーンマップ４５０、４７０は低帯域幅モードのデータユニット（例えばデータおよび信号フィールド部分の）に対応する。実施形態において、トーンマップ４５０、４７０は、図３のＰＨＹ処理ユニット１５０、図４のＰＨＹ処理ユニット２００、または、図５のＰＨＹ処理ユニット３５０によって生成されるデータユニット、および／または、図６の方法４００のブロック４０４において生成される第２ＰＨＹモードのデータユニットに対応する。
【０１３６】
図７Ａの第１の例示的なトーンマップ４５０は、３２ポイントのＩＤＦＴを生成される低帯域幅モードのＯＦＤＭシンボルのトーンマップに対応する。合計３２個のトーンのうち、２つの非ゼロトーン群４５２は、データ／パイロットトーンに対応し、中央の（ゼロ設定された）トーン４５４はＤＣトーンとして機能し、２つのトーン群４５８は、（ゼロ設定された）ガードトーンとして機能する。通常モードのＯＦＤＭシンボルの６４個のトーンが全体として２ＭＨｚの帯域幅に亘る例示的な一実施形態において、トーンマップ４５０の３２個のトーンが全体として１ＭＨｚの帯域幅に亘る。よって、トーンマップ４５０の非ゼロトーン４５２−１、４５２−２は全体として、６４ポイントのＩＤＦＴの通常モードのＯＦＤＭシンボルの非ゼロトーンが全体として亘る帯域幅の半分より僅かに小さい帯域幅に亘る。
【０１３７】
一実施形態において、非ゼロトーン４５２は２４個のデータトーンのみ（例えば、下側波帯トーン４５２−１の１２個のデータトーン、および、上側波帯トーン４５２−２の１２個のデータトーン）、および２個のパイロットトーンのみ（例えば、＋７インデックスの１個のパイロットトーン、および−７インデックスの１個のパイロットトーン）を含み、下縁のガードトーン４５８−１は、３個のトーンのみを含み、上縁のガードトーン４５８−２は２個のトーンのみを含む。いくつかの実施形態において、非ゼロトーン４５２は、１８、２０、２２、２４、または２６個のデータトーンのうちいずれか、および２または４個のパイロットトーンのうちいずれかからなり、ガードトーン４５８は３または５個のガードトーンのうちいずれかからなる。様々な複数の異なる実施形態において、トーンマップ４５０の上縁よりも多くのガードトーン４５８が下縁に含まれる、またはその逆である。さらに様々な複数の異なる実施形態において、２または４個のパイロットトーンはトーンマップ４５０内のいずれかの位置群にある。いくつかの実施形態において、トーンマップ４５０は、１より多いＤＣトーン４５４を含む。
【０１３８】
図７Ｂの第２の例示的なトーンマップ４７０は、１６ポイントのＩＤＦＴを用いて生成された低帯域幅モードのＯＦＤＭシンボルのトーンマップに対応する。合計１６個のトーンのうち、２つの非ゼロトーン群４７２はデータ／パイロットトーンに対応し、中央の（ゼロ設定された）トーン４７４はＤＣトーンとして機能し、２つのトーン群４７８は、（ゼロ設定された）ガードトーンとして機能する。通常モードのＯＦＤＭシンボルの６４個のトーンが全体として２ＭＨｚの帯域幅に亘る例示的な一実施形態において、トーンマップ４７０の１６個のトーンが全体として０．５ＭＨｚの帯域幅に亘る。よって、実施形態において、トーンマップ４７０の非ゼロトーン４７２−１、４７２−２は全体として、通常モードのＯＦＤＭシンボルの非ゼロトーンが全体として亘る帯域幅の４分の１より僅かに小さい帯域幅に亘る。
【０１３９】
一実施形態において、非ゼロトーン４７２は１２個のデータトーンのみ（例えば、下側波帯トーン４７２−１の６個のデータトーン、および、上側波帯トーン４７２−２の６個のデータトーン）、および１個のパイロットトーンのみを含み、下縁のガードトーン４７８−１は、１個のトーンのみを含み、上縁のガードトーン４７８−２は１個のトーンのみを含む。いくつかの実施形態において、非ゼロトーン４７２は、１１または１２個のデータトーンのうちいずれか、および１または２個のパイロットトーンのうちいずれかからなり、ガードトーン４７８は２個のガードトーンからのみなる。さらに様々な複数の異なる実施形態において、１または２個のパイロットトーンはトーンマップ４７０内のいずれかの位置群にある。いくつかの実施形態において、トーンマップ４７０は、１より多いＤＣトーン４７４を含む。
【０１４０】
図８は、実施形態に係る、複数の異なる帯域幅を有する例示的な通常モードのデータユニット５００、５２０の図である。通常モードのデータユニット５００、５２０は、近距離プロトコルに準拠するデータユニットをダウンクロックしたバージョンである。図８に示される特定の実施形態において、通常モードのデータユニット５００、５２０は、（ミックスされたモードではなく）「Ｇｒｅｅｎｆｉｅｌｄ」プリアンブルを用いるＩＥＥＥ８０２．１１ｎのデータユニットのダウンクロックされたバージョンである。他の実施形態において、通常モードのデータユニット５００、５２０は、他の近距離プロトコルに準拠するデータユニットのダウンクロックされたバージョンである。様々な実施形態による、通常モードのデータユニットの複数の異なる例は、米国特許出願第１３／３５９，３３６号に説明されている。
【０１４１】
通常モードのデータユニット５００は最も低い通常モードのチャネル帯域幅（例えば、６４ポイントのＩＤＦＴを利用する２ＭＨｚ）に対応し、ショートトレーニングフィールド（ＳＴＦ）５０２、第１ロングトレーニングフィールド（ＬＴＦ１）５０４、第１信号（ＳＩＧ１）フィールド５０６−１、第２信号（ＳＩＧ２）フィールド５０６−２、残りのＬＴＦ５１０（例えば、１つの空間ストリームあたり他の１つのＬＴＦ）、およびするスループットの非常に高いデータ（ＶＨＴＤＡＴＡ）部分５１２を含む。一般的にＳＴＦ５０２は、パケット検出、最初の同期化、および自動ゲイン制御などに用いられ、ＬＴＦ５０４は、チャネル推定、および精密な同期化に用いられ、ＳＩＧフィールド５０６は、例えばデータユニットを送信するのに用いられる信号帯域幅（例えば、データユニット５００のための２ＭＨｚ）、変調形式、およびエンコードレートなど、データユニット２００の特定の物理層（ＰＨＹ）パラメータを伝達するのに用いられる。
【０１４２】
より高い帯域幅の通常モードのデータユニットのために、最も低い通常モードのチャネル帯域幅に等しい帯域幅をそれぞれが有する複数の副帯域のうちそれぞれにおいて、ＳＴＦ、ＬＴＦ、およびＳＩＧフィールドが複製される。例えば、データユニット５００が最小の帯域幅の通常モードのデータユニットであり、２ＭＨｚの帯域幅を有する場合、データユニット５２０は、データ部分５３２のプリアンブルとして、各２ＭＨｚ帯域においてＳＴＦ５２２、ＬＴＦ５２４、５３０、およびＳＩＧフィールド５２６を複製し、データ部分５３２は、周波数の複製なしで帯域幅の全体（４ＭＨｚ）を占める。実施形態において、通常モードのデータユニット５００または５２０を検出する受信機は、ＳＩＧフィールド５０６および／またはＳＩＧフィールド５２６の帯域幅情報に基づき、データユニットの帯域幅を判断出来る。
【０１４３】
図９は、実施形態に係る、例示的な低帯域幅モードのデータユニット５４０のプリアンブルの図である。低帯域幅モードのデータユニット５４０は、通常モードのデータユニット５００、５２０として同じクロックレートを用いて、帯域幅を小さくすべくより小さなサイズのＩＤＦＴを利用して生成される。例えば、通常モードのデータユニット５００、５２０が２および４ＭＨｚの帯域幅（それぞれ６４および１２８ポイントのＩＤＦＴを用いて生成される）にそれぞれ対応する一実施形態において、低帯域幅モードのデータユニット５４０は１ＭＨｚの帯域幅を有し、３２ポイントのＩＤＦＴを用いて生成される。通常モードのデータユニット５００と同様に、低帯域幅モードのデータユニット５４０は、ＳＴＦ５４２、ＬＴＦ１  ５４４、ＳＩＧ１フィールド５４６−１、ＳＩＧ２フィールド５４６−２、および残りのＬＴＦ５５０（例えば、低帯域幅モードのデータユニットに対して１より多い空間ストリームが利用される場合、１つの空間ストリーム当たり他の１つのＬＴＦ）を含む。しかし実施形態において、低帯域幅モードのデータユニット５４０は他のＳＩＧフィールドも含む。さらに、いくつかの実施形態において、低帯域幅モードのデータユニット５４０のプリアンブル内の様々なフィールドは、図１０〜図１５を参照してさらに詳細に説明するように、通常モードのデータユニット５００、５２０の対応するフィールドとは様々に異なる。一般的に、様々な実施形態において、米国出願第１３／３６６，０６４号に説明される低レートＰＨＹプリアンブルのうちいずれかが低帯域幅モードのデータユニットに対して用いられるが、通常モードのデータユニットと比較してより小さい帯域幅が用いられる。いくつかの実施形態において、低帯域幅モードのデータユニット５４０は、データユニット５４０のプリアンブルと同じ帯域幅を有するデータ部分（図示せず）も含む。
【０１４４】
代替的な実施形態において、図８に示される通常モードのデータユニット５００のＳＩＧフィールド５０６（および、実施形態において、より広い帯域幅の通常モードのデータユニット５２０のＳＩＧフィールド５２６）は、低帯域幅モードのデータユニットの帯域幅にそれぞれが等しい、通常モードのチャネルの副帯域に亘り複製される。例えば実施形態において、２ＭＨｚの通常モードのデータユニットは、通常モードのデータユニット５２０に関して示されたものと同様のやり方で２つの１ＭＨｚの副帯域で複製されたＳＩＧフィールドを含む。実施形態において、他のフィールド（例えば、ＳＴＦ、ＬＴＦ、およびデータ）は、チャネル帯域幅に亘って複製されない。本実施形態において、複製された各ＳＩＧフィールドは、低帯域幅モードのデータユニットのＳＩＧフィールドと同じフォーマットを有する。さらに、本実施形態において、他のＯＦＤＭシンボルがＳＩＧフィールドに含まれる。例えば、実施形態において、６４ポイントのＩＤＦＴの通常モードのＳＩＧフィールドが２つのＯＦＤＭシンボルを含む場合、複製された２つの３２ポイントのＩＤＦＴのＳＩＧフィールドを備える通常モードのＳＩＧフィールドは、４つのＯＦＤＭシンボルを含む。一実施形態において、３２ポイントおよび６４ポイントのＩＤＦＴ信号に共通して用いられる副帯域のＳＩＧフィールドには「帯域幅フィールド」が含まれる。さらに、実施形態において、ＳＩＧフィールドのＰＡＰＲを低減すべく、位相調整器が２つの副帯域に対して用いられる。実施形態において、複製されたＳＩＧフィールドに先行するＬＴＦは、低帯域幅モードのＬＴＦの重複するパイロットトーンと同じ各副帯域のパイロットトーンを含む。
【０１４５】
低帯域幅モードのデータユニット５４０のＳＴＦ５４２は、自動ゲイン制御（ＡＧＣ）を含む様々な目的のために受信機により用いられる。受信機は、ＳＴＦ５４２の間、データユニット５４０の電力レベルを測定し、それに応じて、残りの受信信号のクリッピングを低減すべくＡＧＣゲインターゲットを設定する。しかし一実施形態において、ＳＴＦ５４２の電力レベルは、データユニット５４０の残りと相対的に増大させられる。例えば、一実施形態において、電力は３ｄＢだけ増大させられる。他の実施形態において、他の適したレベルの電力増大が用いられる。電力増大により、受信機におけるデータユニット５４０の検出が促される。さらに、ＳＴＦ５４２は一般的により少ない非ゼロトーンを含み、よって、データユニット５４０の残りよりも低いＰＡＰＲを有するので、適した程度だけＳＴＦ５４２の電力を増大させることにより大きなクリッピングは引き起こされない。
【０１４６】
実施形態において、電力増大（例えば３ｄＢの電力増大）は送信デバイスにより、低帯域幅モードのデータユニットのＳＴＦに対してのみ適用され、通常モードのデータユニットのＳＴＦに対しては適用されない。他の実施形態において、電力増大（例えば、３ｄＢの電力増大）は送信デバイスにより、最も低いデータレート（例えば、実施形態において、図４または図５に示されるように、ＢＰＳＫ変調、単一ストリーム、ビットの繰り返しのブロックにより）で変調された低帯域幅モードのデータユニットのＳＴＦのみに適用され、通常モードのデータユニットのＳＴＦ、および／または、ビットの繰り返しを用いて変調されていない低帯域幅モードのデータユニットのＳＴＦに対しては適用されない。増加させられた平均送信電力レベルにより、受信機は電力が増大させられたＳＴＦを含む低帯域幅モードのデータユニットを受信する際にＡＧＣゲインを低減させ得るが、通常モードの信号と比較し低帯域幅モードの信号（例えば、最も低いＭＣＳを用いる、２回、または４回の繰り返しを有する信号など）のロバストな性質のため、アナログ−デジタルコンバータ（ＡＤＣ）における量子化誤差の増加は一般的に許容される。
【０１４７】
図１０および図１１は、異なる実施形態に係る、それぞれ図８および図９に示されるデータユニットの通常モードのプリアンブルおよび低帯域幅モードのプリアンブルに対応する例示的な通常モードのＳＴＦおよび低帯域幅モードのＳＴＦを示す。より詳細には、図１０および図１１の通常モードのＳＴＦは、図８のＳＴＦ５０２、５２２に対応し、図１０および図１１の低帯域幅モードのＳＴＦは、図９のＳＴＦ５４２に対応する。
【０１４８】
まず図１０を参照すると、例示的な通常モードのＳＴＦ６００は、繰り返しの第１シーケンス（Ｓ）６０２を含み、例示的な低帯域幅モードのＳＴＦ６１０は、第１シーケンス６０２とは異なる繰り返しの第２シーケンス（Ｓ１）６１２を含む。第１シーケンス６０２および第２シーケンス６１２は同じシーケンス期間／周期を有するが、ＳＴＦ６００の第１シーケンス６０２の繰り返し回数は、ＳＴＦ６１０の第２シーケンス６１２の繰り返し回数より少ない。例えば、実施形態において、第１シーケンス６０２はＳＴＦ６００内で１０回繰り返され、第２シーケンス６１２はＳＴＦ６１０内で１０回より多く繰り返される（つまり、低帯域幅モードのＳＴＦ６１０は、通常モードのＳＴＦ６００より長い合計期間を有する）。他の実施形態において、第１シーケンス６０２は第２シーケンス６１２と同じ回数（例えばそれぞれ１０回ずつ）だけ繰り返され、ＳＴＦ６００およびＳＴＦ６１０が同じ合計期間を有する。
【０１４９】
実施形態において、通常モードのＳＴＦ６００は、ＩＥＥＥ８０２．１１ｎに規定されるＳＴＦと同じである。例えば実施形態において、ＳＴＦ６００は、シーケンス６０２の１０回の繰り返しを含み、１つのＯＦＤＭシンボルあたり５つのシーケンス６０２が含まれ、各ＯＦＤＭシンボルは、周波数領域において（ゼロ設定されたＤＣトーンを除き）４つのトーン毎に１つの非ゼロトーンを有する。実施形態において、ＳＴＦ６００と同じシーケンス周期性を実現するべく、ＳＴＦ６１０は、ＳＴＦ６００と同じ非ゼロトーンの間隔（例えば、ゼロ設定されたＤＣトーンを除き、４つのトーン毎に非ゼロ値）を利用する。例えば実施形態において、低帯域幅モードのＳＴＦ６１０のＯＦＤＭシンボルは（３２ポイントのＩＤＦＴを用いて生成された場合）、トーン＋／−１２、＋／−８、および＋／−４に関してのみ非ゼロ値を含む。いくつかの実施形態において、これらのトーンの非ゼロ値は、等しくない、または交互ではない（つまり、周波数領域において周期的ではない）いずれかの値である。例えば、実施形態において６つのトーン値ｐ（ｉ）は、［ｐ（−１２），ｐ（−８），ｐ（−４），ｐ（４），ｐ（８），ｐ（１２）］＝ａ［ｓｑｒｔ（２），１＋ｊ，ｓｑｒｔ（２）＊ｊ，ｓｑｒｔ（２），１−ｊ，−１−ｊ］であり、ここでｉはトーンインデックスであり、ａは倍率である。
【０１５０】
いくつかの実施形態において、低帯域幅モードのデータユニットは、最小の帯域幅の通常モードのデータユニットと同じＩＤＦＴのサイズを利用して生成されるが、他の使用されていないトーンはゼロ設定される。例えば、通常モードのデータユニットが少なくとも６４ポイントのＩＤＦＴを用いて生成される実施形態において、低帯域幅モードのデータユニットも６４ポイントのＩＤＦＴを用いて生成されるが、トーンの使用されていない１つの側波帯はゼロ設定される。これらの実施形態において、上述されたＳＴＦ６１０のトーンマップは、これらの副帯域のいずれが低帯域幅モードのデータユニットに用いられるかに応じて、下側波帯（トーン−３２から−１）へ、または上側波帯（トーン０から３１）へシフトされる。例えば、下側波帯が用いられる場合、インデックス＋／−１２、＋／−８、および＋／−４に位置するものとして上述した非ゼロトーンは代わりに、インデックス−２８、−２４、−２０、−１２、−８、および−４に位置付けられる。
【０１５１】
いくつかの実施形態において、ＳＴＦ６１０のＯＦＤＭシンボルの他のいくつかのトーンは、パンクチャリングされる（ゼロ設定される）。様々な実施形態において、上述した６つの非ゼロトーンのうち１つから４つのトーンがパンクチャリングされる。例えば、３２ポイントのＩＤＦＴを用いて低帯域幅モードのデータユニットが生成される一実施形態において、＋／−１２のインデックストーンがパンクチャリングされ、＋／−８および＋／−４に４つのトーンが残る。他の例において、３２ポイントのＩＤＦＴを用いて低帯域幅モードのデータユニットが生成される他の実施形態において、＋／−８のインデックストーンがパンクチャリングされ、＋／−１２および＋／−４に４つのトーンが残る。他の例として、３２ポイントのＩＤＦＴを用いて低帯域幅モードのデータユニットが生成されるさらに他の実施形態において、−１２のインデックストーンがパンクチャリングされ、＋１２、＋／−８、および＋／−４に５つのトーンが残る。これらの、または他のやり方でトーンのうち１つから４つをパンクチャリングすることにより、ＳＴＦ６００の第１シーケンス６０２は、ＳＴＦ６１０の第２シーケンス６１２の周期に対し周期的なままとなる（例えば、ＳＴＦ６１０の第２シーケンス６１２の周期の整数倍の周期を有することとなる）。
【０１５２】
代替的な実施形態において、第２シーケンス６１２の１つおきのシーケンスの符号が反転させられ（例えば［Ｓ１  −Ｓ１  Ｓ１  −Ｓ１  …］）、低帯域幅モードのＳＴＦ６１０の有効期間は、通常モードのＳＴＦ６００の第１シーケンス６０２の周期の２倍に等しい（つまりＳＴＦ６１０の［Ｓ１−Ｓ１］に等しいシーケンスＳ２が、ＳＴＦ６００のシーケンス６０２の２倍の期間／周期を有する）。本実施形態において、通常モードのＳＴＦ６００は、ＩＥＥＥ８０２．１１ｎおよびＩＥＥＥ８０２．１１ａｃに規定されるのと同じＳＴＦトーン設計を有し、＋／−２４、＋／−２０、＋／−１６、＋／−１２、＋／−８、および＋／−４に非ゼロトーンが存在する。
Ｓ−２６，２６＝ｓｑｒｔ（１／２）｛０，０，１＋ｊ，０，０，０，−１−ｊ，０，０，０，１＋ｊ，０，０，０，−１−ｊ，０，０，０，−１−ｊ，０，０，０，１＋ｊ，０，０，０，０，０，０，０，−１−ｊ，０，０，０，−１−ｊ，０，０，０，１＋ｊ，０，０，０，１＋ｊ，０，０，０，１＋ｊ，０，０，０，１＋ｊ，０，０｝  数式１２
【０１５３】
本実施形態において、低帯域幅モードのＳＴＦ６１０はＳ−２６，２６が数式１２のインデックス［−１３，１３］内のトーン値となるよう切り捨て、それらのインデックス内の非ゼロトーンを２つのトーンの分だけ右または左へシフトし（および、任意選択的に、新たな非ゼロ値を１つ、シフトされたゼロＤＣトーンの代わりに挿入し）、繰り返しのＳ１／−Ｓ１パターンを得る。よって、トーンが右へ２つだけシフトされると、３２ポイントのＩＤＦＴにより生成される非ゼロトーンは−１０、−６、−２、６、および１０（５つの非ゼロトーン）に存在し、または、新たなトーンが挿入された場合には、−１０、−６、−２、２、６、および１０（６つの非ゼロトーン）に存在する。代わりにトーンが左へ２つだけシフトされると、３２ポイントのＩＤＦＴにより生成される非ゼロトーンは−１０、−６、２、６、および１０（５つの非ゼロトーン）に存在し、または、新たなトーンが挿入された場合には、−１０、−６、−２、２、６、および１０（６つの非ゼロトーン）に存在する。新たなトーンが含められる場合、何らかの適切な値が用いられ得る。さらに、様々な代替的な実施形態において、他の何らかの適切な非ゼロ値が、数式１２に示される非ゼロ値の代わりに用いられる。
【０１５４】
次に図１１を参照すると、例示的な通常モードのＳＴＦ６５０は、繰り返しの第１シーケンス（Ｓ）６５２を含み、例示的な低帯域幅モードのＳＴＦ６６０は、第１シーケンス６５２とは異なる繰り返しの第２シーケンス（Ｓ１）６６２を含む。第２シーケンス６６２は、第１シーケンス６５２のシーケンス期間／周期の半分のシーケンス周期／期間を有し、ＳＴＦ６６０の第２シーケンス６６２の繰り返し回数は、ＳＴＦ６５０の第１シーケンス６５２の繰り返し回数の２倍より多い。例えば、実施形態において、第１シーケンス６５２はＳＴＦ６５０において１０回繰り返され、第２シーケンス６６２は、ＳＴＦ６６０において２０回以上繰り返される（つまり、低帯域幅モードのＳＴＦ６６０は、通常モードのＳＴＦ６５０よりも長い合計期間を有する）。他の実施形態において、第２シーケンス６６２は第１シーケンス６５２の繰り返し回数のちょうど２倍の回数だけ繰り返され（例えば、それぞれ２０回、および１０回）、ＳＴＦ６６０とＳＴＦ６５０とは同じ合計期間を有する。
【０１５５】
実施形態において、通常モードのＳＴＦ６５０は、ＩＥＥＥ８０２．１１ｎ規格に規定されるＳＴＦと同じである。例えば実施形態において、ＳＴＦ６５０は、シーケンス６５２の１０回の繰り返しを含み、１つのＯＦＤＭシンボルあたりには５つのシーケンス６５２があり、各ＯＦＤＭシンボルは周波数領域において４つのトーン毎に１つの非ゼロトーンを有する（ゼロ設定されたＤＣトーンを除いて）。実施形態において、ＳＴＦ６５０の半分のシーケンス周期性を実現するべく、ＳＴＦ６６０は、ＳＴＦ６００の非ゼロトーンの間隔の２倍を利用する（例えば、ゼロ設定されたＤＣトーンを除いて、８つのトーン毎に１つの非ゼロトーン）。例えば実施形態において、低帯域幅モードのＳＴＦ６６０のＯＦＤＭシンボル（３２ポイントのＩＤＦＴを用いて生成された場合）は、２つのトーン（＋／−８）だけのための非ゼロ値を含む。いくつかの実施形態において、これらのトーンの非ゼロ値は、条件ｐ（−８）！＝ｐ（８）およびｐ（−８）！＝−ｐ（８）を満たす何らかの値である。例えば実施形態において、２つのトーン値ｐ（ｉ）は、［ｐ（−８），ｐ（８）］＝ａ［ｓｑｒｔ（２），１＋ｊ］であり、ここでｉはトーンインデックスであり、ａは倍率である。
【０１５６】
通常モードのデータユニットが少なくとも６４ポイントのＩＤＦＴを用いて生成され、低帯域幅モードのデータユニットも６４ポイントのＩＤＦＴを用いて、複数のトーンの１つの使用されていない側波帯がゼロ設定されて生成される実施形態において、上述したＳＴＦ６６０のトーンマップは、これらの副帯域のいずれが低帯域幅モードのデータユニットに用いられるかに応じて、下側波帯（トーン−３２〜−１）、または上側波帯（トーン０〜３１）へシフトされる。例えば、下側波帯が用いられる場合、上記にてインデックス＋／−８に位置付けられているものと説明した非ゼロトーンは代わりに、インデックス−２４および−８に位置付けられる。上側波帯が用いられる場合、非ゼロトーンは代わりに、インデックス＋８および＋２４に位置付けられる。
【０１５７】
代替的な実施形態において、第２シーケンス６６２の１つおきのシーケンスの符号が反転させられ（例えば［Ｓ１  −Ｓ１  Ｓ１  −Ｓ１  …］）、低帯域幅モードのＳＴＦ６６０の有効期間は、通常モードのＳＴＦ６５０の第１シーケンス６５２の周期と等しくなる（つまり、ＳＴＦ６６０の［Ｓ１−Ｓ１］に等しいシーケンスＳ２が、ＳＴＦ６６０のシーケンス６６２と同じ期間／周期を有する）。本実施形態において、トーン＋／−１２および＋／−４だけが非ゼロ値を有する。本実施形態は、図１０を参照して上述したパンクチャリングを行う実施形態に対応し、特定のケースとして、トーン＋／−８がパンクチャリングされる。いくつかの実施形態において、これらのトーンの非ゼロ値は、等しくない、または交互ではない（つまり、周波数領域において周期的ではない）いずれかの値である。例えば実施形態において、４つのトーン値ｐ（ｉ）は、［ｐ（−１２），ｐ（−４），ｐ（４），ｐ（１２）］＝ａ［−１−ｊ，−１−ｊ，１＋ｊ，−１−ｊ］であり、ここでｉはトーンインデックスであり、ａは倍率である。低帯域幅モードのデータユニットが６４ポイントのＩＤＦＴを用いて、複数のトーンの１つの使用されていない側波帯がゼロ設定されて生成される実施形態において、このトーンマップは、１６個のトーンだけ上または下にシフトされる。例えば、下側波帯が用いられる場合、上記にてインデックス＋／−１２および＋／−４に位置付けられているものと説明した非ゼロトーンは代わりに、インデックス−２８、−２０、−１２、および−４に位置付けられる。
【０１５８】
以下に様々な実施形態群において説明されるように、通常モードのＳＴＦ（例えば、図１０のＳＴＦ６０２、または図１１のＳＴＦ６５２）のトーンマップには異なる設計が利用され得る。以下に説明されるそれらの実施形態群のいくつかは、以下に説明する特定の他の実施形態群と態様が重複し得、および／または、図１０および図１１に示される特定の通常モードのＳＴＦと態様が重複し得る。
【０１５９】
１つの実施形態群において、上述した低帯域幅モードのＳＴＦのいずれが利用されるかに関わらず、通常モードのＳＴＦは、ＩＥＥＥ８０２．１１ａｎのＳＴＦからは変更されず、つまり非ゼロ値は、６４ポイントのＩＤＦＴのトーン＋／−２４、＋／−２０、＋／−１６、＋／−１２、＋／−８、および、＋／−４のみに位置付けられている。トーンの非ゼロ値が等しくない、または交互ではない（つまり、周波数領域において周期的ではない）ような何らかの適した値が非ゼロトーンに用いられる。代替的に実施形態において、インデックス＋／−２８におけるトーンも非ゼロ値を有する。これらの実施形態にのいずれかにおいて、トーンの非ゼロ値が等しくない、または交互ではない（つまり、周波数領域において周期的ではない）ような何らかの適した値が非ゼロトーンに用いられる。
【０１６０】
低帯域幅モードのＳＴＦのトーンが、図１１を参照して上述した実施形態のいずれかに従って配置される（例えば、非ゼロトーンが＋／−８、または非ゼロトーンが＋／−４および＋／−１２）他の実施形態群において、通常モードのＳＴＦのトーンのプランは、低帯域幅モードのＳＴＦのトーンのプランと補完的である。これらの実施形態において、通常モードのＳＴＦは、６４ポイントのＩＤＦＴの＋／−２４、＋／−２０、＋／−１６、＋／−１２、＋／−８、および＋／−４において非ゼロトーンを含み、低帯域幅モードのＳＴＦのトーンに対応するトーン（６４ポイントのＩＤＦＴのトーン群の各副帯域において複製された場合）がゼロ設定されている。例えば、低帯域幅モードが３２ポイントのＩＤＦＴトーンの＋／−８（６４ポイントのＩＤＦＴトーンのインデックス＋／−２４および＋／−１２となる）においてのみ非ゼロ値を含む上述した実施形態において、通常モードのＳＴＦは、インデックス＋／−２０、＋／−１６、＋／−８、および＋／−４においてのみ非ゼロ値を含む。他の例として、低帯域幅モードが３２ポイントのＩＤＦＴトーンの＋／−１２および＋／−４（６４ポイントのＩＤＦＴトーンのインデックス＋／−２８、＋／−２０、＋／−１２、および＋／−４となる）においてのみ非ゼロ値を含む上述した実施形態において、通常モードのＳＴＦは、インデックス＋／−２４、＋／−１６、および＋／−８においてのみ非ゼロ値を含む。これらの補完的な設計により、通常モードのＳＴＦと低帯域幅モードのＳＴＦとの間の区別が可能となる。よって受信機は、通常モードのＳＴＦのシーケンスの１つの周期、および、低帯域幅モードのＳＴＦのシーケンスの１つの周期の相互相関器を実行することによりＳＴＦに基づきＰＨＹモードをより容易に、トーンが重複していないことに起因してクロストリガを最小とし、自動検出出来る。
【０１６１】
さらに他の実施形態群において、通常モードのＳＴＦのトーンマップは、通常モードのＳＴＦおよび低帯域幅モードのＳＴＦが同じシーケンス周期性および同じＳＴＦ期間（つまり、ＳＴＦ内に同じ数のＯＦＤＭシンボル）の両方を有するような何らかの適したやり方で低帯域幅モードのＳＴＦと関連して設計される。これらの条件を満たす上述した通常モードのＳＴＦの実施形態のいずれか、および、上述した低帯域幅モードのＳＴＦのいずれかがこの実施形態群に含まれる。これらの実施形態は、低帯域幅モードのＳＴＦのトーンと同じ、部分的に重複する、または補完的なインデックスにおいて非ゼロトーンを有する（低帯域幅モードのＳＴＦが通常モードのトーン群の下側波帯および上側波帯において複製される場合）通常モードのＳＴＦを含む。例えば実施形態において、通常モードの（６４ポイントのＩＤＦＴの）ＳＴＦは、インデックス＋／−２４、＋／−２０、＋／−１６、＋／−１２、＋／−８、および＋／−４においてのみ非ゼロトーンを含み、低帯域幅モードの（３２ポイントのＩＤＦＴの）ＳＴＦは、インデックス＋／−１２、＋／−８、および＋／−４においてのみ非ゼロトーンを含む。この例示的な実施形態において、トーンが部分的にのみ重複するが、同じ周期性を有するＳＴＦシーケンスとなる。他の例として、実施形態において、トーンは補完的（上述したように）であり、通常モードのＳＴＦの期間は、低帯域幅モードのＳＴＦの期間より長い。
【０１６２】
これらの実施形態のいくつかにおいて、通常モードのＳＴＦおよび低帯域幅モードのＳＴＦの両方が時間領域において同じ周期性および期間を有するので、受信装置はＳＴＦの間、ＰＨＹモードを自動検出せず、代わりに、１つのＳＴＦ処理を実行する。これらの実施形態において、以下に説明するように、受信機は代わりにＬＴＦおよび／またはＳＩＧフィールドの間、ＰＨＹモードの自動検出を実行する。
【０１６３】
代替的に実施形態において、通常モードのＳＴＦおよび低帯域幅モードのＳＴＦは互いに異なる期間を有する。例えば実施形態において、通常モードの（６４ポイントのＩＤＦＴの）ＳＴＦは、インデックス＋／−２４、＋／−２０、＋／−１６、＋／−１２、＋／−８、および＋／−４においてのみ非ゼロトーンを含み、低帯域幅モードの（３２ポイントのＩＤＦＴの）ＳＴＦは、インデックス＋／−１２、＋／−８、および＋／−４においてのみ非ゼロトーンを含み（つまり、通常モードのＳＴＦおよび低帯域幅モードのＳＴＦが同じ周期性を有し）、低帯域幅モードのＳＴＦは、通常モードのＳＴＦよりも長い期間を有する（例えば図１０に示されるように）。
【０１６４】
再び図１０および図１１を参照すると、実施形態において受信装置は、受信したデータユニットのＰＨＹモードを自動検出するべく、つまり、受信したデータユニットが通常モードのデータユニットであるか、または低帯域幅モードのデータユニットであるかを検出するべく、第１シーケンス６０２または６５２、および第２シーケンス６１２または６６２に対応する相互相関器を含む。通常モードのＳＴＦおよび低帯域幅モードのＳＴＦが繰り返されるシーケンスの異なる（より大きな、またはより小さな）周期性を有する他の実施形態において、受信装置は、どの周期性が用いられているかを判断することにより、受信したデータユニットのＰＨＹモードを自動検出する。さらに他の実施形態において、受信装置は、チャネル内の１以上の副帯域にエネルギーが存在するかしないかを検出することにより、受信したデータユニットのＰＨＹモードを自動検出する。例えば、通常モードのＳＴＦ６００が２ＭＨｚのチャネルを占め、低帯域幅モードのＳＴＦ６１０が、受信装置より演繹的に知られている２ＭＨｚのチャネル内の位置において１ＭＨｚの副帯域を占める一実施形態において、受信機は、２ＭＨｚのチャネルの全体に亘りＳＴＦ信号エネルギーが検出される場合、受信されたデータユニットは通常モードのデータユニットであると判断し、知られている１ＭＨｚの副帯域においてのみＳＴＦ信号エネルギーが検出される場合、受信されたデータユニットが低帯域幅モードのデータユニットであると判断する。
【０１６５】
またさらに他の実施形態において、受信されたデータユニットのＳＴＦは、ＰＨＹモードの自動検出に用いられない。図１２〜図１７は、ＰＨＹモードの自動検出がＳＴＦに基づかず、代わりに、第２プリアンブル部分に基づく（例えば、ＬＴＦおよび／またはＳＩＧフィールドに基づく）場合に利用されるプリアンブル設計および方法のフロー図を示す。他の実施形態において、以下に説明される設計および／または方法のいずれかに従う第２プリアンブル部分に基づくＰＨＹモードの自動検出は、図１０および図１１を参照して上述された設計および／または方法のいずれかに従うＳＴＦに基づくＰＨＹモードの自動検出と関連して用いられる。
【０１６６】
図１２は、実施形態に係る、通常モードのデータユニットの例示的な第２プリアンブル部分７００、および、低帯域幅モードのデータユニットの例示的な第２プリアンブル部分７２０の図である。一実施形態において、第２プリアンブル部分７００は、図８の通常モードのデータユニット５００のＬＴＦ１  ５０４およびＳＩＧ１  ５０６−１に対応し、第２プリアンブル部分７２０は、図９の低帯域幅モードのデータユニット５４０のＬＴＦ１  ５４４の少なくとも一部に対応する。様々な実施形態において、第２プリアンブル部分７００は、図１０および図１１を参照して上述した通常モードのＳＴＦのうちのいずれかと同じプリアンブルに含まれ、第２プリアンブル部分７２０は、図１０および図１１を参照して上述した低帯域幅モードのＳＴＦのうちの対応するいずれかと同じプリアンブルに含まれる。例えば、一実施形態において、第２プリアンブル部分７００は図１０のＳＴＦ６００に続き、第２プリアンブル部分７２０は図１０のＳＴＦ６１０に続く。
【０１６７】
第２プリアンブル部分７００は、ダブルガードインターバル（ＤＧＩ）７０２、第１ロングトレーニングフィールド（ＬＴＦ１）内の２つのロングトレーニングシンボル（ＬＴＳ）７０４、ガードインターバル（ＧＩ）７０６、および、第１信号フィールド（ＳＩＧ１）７０８を含む。ＳＩＧ１フィールド７０８の第１ＯＦＤＭシンボルは、ＬＴＦ１の始まり（つまり、ＬＴＦ１内のＤＧＩ７０２の始まり）の後、時間間隔７３０をおいて始まる。同様に第２プリアンブル部分７２０は、ＤＧＩ７２２、ＬＴＦ１内の２つのＬＴＳ７２４、およびガードインターバル（ＧＩ）７２６を含む。しかし第２プリアンブル部分７２０のＬＴＦ１は、通常モードのデータユニットの第２プリアンブル部分７００よりも多くのロングトレーニングシンボルを含む。例えば実施形態において、第２プリアンブル部分７２０のＬＴＦ１は、４つのロングトレーニングシンボルを含む。一実施形態において、ＬＴＳ７２４−２の後の各ロングトレーニングシンボルは、ガードインターバルによって先行される。例えば、図１２の例示的な実施形態に見られるように、ガードインターバル７２６は第３ＬＴＳ７２４−２および第４ＬＴＳ７２４−３を分け隔てる。ガードインターバル７２６を含むことにより、プリアンブル部分７２０のＬＴＦ１の始まりと相対的な第３ＬＴＳ７２４−３の位置は、プリアンブル部分７００のＬＴＦ１の始まりと相対的なＳＩＧ１フィールド７０８の位置と同じである（つまり、それぞれは、対応するＬＴＦ１の始まりの後、時間間隔７３０をおいて始まる）。さらに、実施形態においてＳＩＧ１フィールド７０８は、第３ＬＴＳ７２４−３と異なる変調技術により変調される。例えば様々な実施形態において、ＳＩＧ１フィールド７０８は、四位相（ＱＢＰＳＫ）変調され、第３ＬＴＳ７２４−３は二相位相（ＢＰＳＫ）変調される、若しくはこの反対である。よって、ＳＩＧ１フィールド７０８または第３ＬＴＳ７２４−３の前に受信されたデータユニットと同期化する受信装置は、ＳＩＧ１（通常モードのデータユニットの場合）または第３ＬＴＳ（低帯域幅モードのデータユニットの場合）の位置で用いられる変調技術を検出し、それに応じてＰＨＹモードを判断出来る。図１３は、ＢＰＳＫ変調コンスタレーション７５０、およびＱＢＰＳＫ変調コンスタレーション７６０を示す。図１３に見られるように、ＱＢＰＳＫの２つのコンスタレーションシンボルからなる群は、ＢＰＳＫの２つのコンスタレーションシンボルからなる群に対し９０°回転させられている。
【０１６８】
図１４は、実施形態に係る、第１ＰＨＹモードに対応する第１データユニットの第１プリアンブル、および、第１ＰＨＹモードとは異なる第２ＰＨＹモードに対応する第２データユニットの第２プリアンブルを生成するための例示的な方法８００のフロー図である。実施形態において、第１ＰＨＹモードは長距離通信プロトコルの通常モードであり、第２ＰＨＹモードは、長距離通信プロトコルの低帯域幅モードである。例えば一実施形態において、第２ＰＨＹモードは制御モードである。代替的に、第２ＰＨＹモードは単に、第１ＰＨＹモードの距離延長を実現する。様々な実施形態において、方法８００は、図１のＡＰ１４のネットワークインタフェース１６、および／または、クライアント局２５−１のネットワークインタフェース２７により実装される。
【０１６９】
一般的に、第１ＰＨＹモードに対応する第１データユニットは、図１４のブロック８０２において生成され、第２ＰＨＹモードに対応する第２データユニットは、図１４のブロック８０４において生成される。まずブロック８０２を参照すると、ブロック８１０において第１データユニットのＳＴＦが生成される。ブロック８１２において、ＳＴＦに続くＬＴＦが生成され、ブロック８１４において、ＬＴＦに続くＳＩＧフィールドが生成される。いくつかの実施形態において、ブロック８０２において生成されるプリアンブルは、他のフィールド（例えば他のＬＴＦ、ＳＩＧフィールドなど）も含む。ブロック８１０において生成されるＳＴＦは、繰り返しの第１シーケンスを含む。様々な実施形態において、ＳＴＦは図１０のＳＴＦ６００、または、図１１のＳＴＦ６５０と同様である。実施形態において、ブロック８１２において生成されるＬＴＦは、複数のＯＦＤＭシンボル（例えば、２つのＯＦＤＭシンボル）を含む。ブロック８１４において生成されるＳＩＧフィールドは、例えば信号帯域幅、変調形式、および／または、エンコードレートなど、第１データユニットを解釈するための情報を提供する。さらにＳＩＧフィールドは、第１データユニットが第１ＰＨＹモードに対応することを受信機に対して示すべく第１変調技術に従って変調された第１ＯＦＤＭシンボルを含む。第１ＯＦＤＭシンボルは、ブロック８１２において生成されるＬＴＦが開始した後、時間間隔Ｔ１において開始し、時間間隔Ｔ２をおいて終了する。
【０１７０】
次にブロック８０４を参照すると、第２データユニットのＳＴＦがブロック８２０において生成され、ＳＴＦに続くＬＴＦがブロック８２２において生成される。いくつかの実施形態において、ブロック８０４において生成されるプリアンブルは、他のフィールド（他のＬＴＦ、ＳＩＧフィールドなど）も含む。ＳＴＦはブロック８１０において生成されるＳＴＦよりも長い期間を有し、ブロック８１０において生成されるＳＴＦにおける繰り返しの第１シーケンスとは異なる繰り返しの第２シーケンスを含む。さらに、繰り返しの第２シーケンスの周期は、繰り返しの第１シーケンスの周期と等しい。ブロック８２２において生成されるＬＴＦは、ブロック８１４において生成されるＳＩＧフィールドの第１ＯＦＤＭシンボルを変調するのに用いられる第１変調技術とは異なる第２変調技術に従って変調された第２ＯＦＤＭシンボルを含む。第２変調技術は、第２データユニットが第２ＰＨＹモードに対応することを受信機に示す。実施形態において、方法８００の第１変調技術は、ＢＰＳＫ変調とＱＢＰＳＫ変調とのうち一方であり、方法８００の第２変調技術は、ＢＰＳＫ変調とＱＢＰＳＫ変調とのうち他方である。ブロック８２２において生成される第２データユニットのＬＴＦは、ブロック８１２において生成される第１データユニットのＬＴＦよりも多くのロングトレーニングシンボル（ＯＦＤＭシンボル）を含む。例えば第１データユニットのＬＴＦが２つのＯＦＤＭシンボルを含む一実施形態において、第２データユニットのＬＴＦは４つのＯＦＤＭシンボルを含む。第２ＯＦＤＭシンボルは少なくとも部分的に、ブロック８２２において生成されるＬＴＦが開始した後、時間間隔Ｔ１をおいて開始し、時間間隔Ｔ２をおいて終了する第２プリアンブルの位置を占める。一実施形態において、第２ＯＦＤＭシンボルは、ブロック８２２において生成されるＬＴＦが開始した後、時間間隔Ｔ１をおいて開始し、時間間隔Ｔ２をおいて終了する。いくつかの実施形態において、第２ＯＦＤＭシンボルは図１２のプリアンブル部分７２０におけるロングトレーニングシンボル７２４−３（つまり、ＬＴＦにおいて２つの先行するロングトレーニングシンボルに続くロングトレーニングシンボル）である。第１データユニットのプリアンブル内の第１ＯＦＤＭシンボルのタイミングを調整し（例えば、第１データユニットのプリアンブルのＬＴＦの開始と相対的に）、同様に、第２データユニットのプリアンブル内の第２ＯＦＤＭシンボルのタイミングを調整することにより（例えば、第２データユニットのプリアンブルのＬＴＦの開始と相対的に）、タイミングを演繹的に知っている受信装置は、対応する周期の間に用いられた変調形式を検出し、受信されたデータユニットのＰＨＹモードを判断出来る。
【０１７１】
いくつかの実施形態において、ブロック８１４において生成されるＳＩＧフィールドの第１ＯＦＤＭシンボルは、例えば、図１２に示されるプリアンブル部分７００のように、その直前にガードインターバルが先行し、ブロック８２２において生成されるＬＴＦフィールドの第２ＯＦＤＭシンボルは、図１２に示されるプリアンブル部分７２０のように、その直前に他のガードインターバルに先行される。そのような一実施形態において、２つのガードインターバルは同じ期間を有する。
【０１７２】
いくつかの実施形態において、方法８００はさらに、ブロック８１４において生成されるＳＩＧフィールドに続く第２ＳＩＧフィールドを生成する段階を（第１プリアンブルを生成するためのブロック８０２内に）含む。第２ＳＩＧフィールドは、第１データユニットがシングルユーザデータユニットであることを受信機に示すべく第３変調技術、または、第１データユニットがマルチユーザデータユニットであることを受信機に示す、第３変調技術とは異なる第４変調技術に従って変調された第３直交周波数分割多重シンボル（第３ＯＦＤＭシンボル）を含む。一実施形態において、第３変調技術はＢＰＳＫおよびＱＢＰＳＫのうち一方であり、第４変調技術はＢＰＳＫおよびＱＢＰＳＫのうち他方である。
【０１７３】
図１５は、実施形態に係る、通常モードのデータユニットの他の例示的な第２プリアンブル部分８５０、および、低帯域幅モードのデータユニットの他の例示的な第２プリアンブル部分８７０の図である。実施形態において、第２プリアンブル部分８５０、８７０は、図１２の第２プリアンブル部分７００、７３０と同じであり、低帯域幅モードのプリアンブル部分７２０の第３ロングトレーニングＯＦＤＭシンボル７２４−３がＳＩＧフィールド８７８により置き換えられている点が異なる。よって、ＰＨＹモードは、受信されたデータユニットが通常モードのデータユニットか低帯域幅モードのデータユニットかに関わらず、第１ＳＩＧフィールドの変調技術（例えば、ＱＢＰＳＫまたはＢＰＳＫ）により示される。
【０１７４】
図１６は、実施形態に係る、通常モードのシングルユーザデータユニットの例示的な第２プリアンブル部分９００、および、通常モードのマルチユーザデータユニットの例示的な第２プリアンブル部分９２０の図である。一実施形態において、第２プリアンブル部分９００、９２０はそれぞれ、図８の通常モードのデータユニット５００のＬＴＦ１  ５０４、ＳＩＧ１  ５０６−１、および、ＳＩＧ２  ５０６−２に対応する。様々な実施形態において、第２プリアンブル部分９００、９２０はそれぞれ、図１０および図１１を参照して上述した通常モードのＳＴＦのうちいずれか１つと同じプリアンブルに含まれる。例えば一実施形態において、第２プリアンブル部分９００または９２０は（データユニットがシングルユーザかマルチユーザかに応じて）、図１０のＳＴＦ６００に続く。
【０１７５】
実施形態において、通常モードのシングルユーザデータユニットの第２プリアンブル部分９００は、図１２の第２プリアンブル部分７００のダブルガードインターバル７０２、ロングトレーニングシンボル７０４、ガードインターバル７０６、および第１ＳＩＧフィールド７０８とそれぞれ同様に、ダブルガードインターバル９０２、ロングトレーニングシンボル９０４、ガードインターバル９０６、および、第１ＳＩＧフィールド９０８−１を含む。図１２の第２プリアンブル部分７００と同様に、第１ＳＩＧフィールド９０８−１の変調形式は、データユニットのＰＨＹモードを受信機に示す（つまり、示される実施形態において、ＱＢＰＳＫ変調を用いて通常モードのデータユニットを示す）。第２プリアンブル部分９００は追加的に、第１ＳＩＧフィールド９０８−１に続く第２ガードインターバル９１０、および、ガードインターバル９１０に続く第２ＳＩＧフィールド９０８−２を含む。第２ＳＩＧフィールド９０８−２は、プリアンブル部分９００を含むデータユニットがシングルユーザデータユニットであるか、またはマルチユーザデータユニットであるかを示す変調技術を用いて変調される。図１６に示される例示的な実施形態において、第２ＳＩＧフィールド９０８−２はＱＢＰＳＫ変調され、プリアンブル部分９００がシングルユーザデータユニットであることを示す。
【０１７６】
通常モードのマルチユーザデータユニットの第２プリアンブル部分９２０は同様に、ダブルガードインターバル９２２、ロングトレーニングシンボル９２４、ガードインターバル９２６、および第１ＳＩＧフィールド９２８−１を含む。ここでも、第１ＳＩＧフィールド９２８−１の変調形式を用いてデータユニットのＰＨＹモードが示され（つまり、示される実施形態において、ＱＢＰＳＫ変調を用いて通常モードのデータユニットを示し）、第２ＳＩＧフィールド９２８−２の変調形式を用いて、プリアンブル部分９２０を含むデータユニットがシングルユーザデータユニットであるかマルチユーザデータユニットであるかを示す。図１６に示される例示的な実施形態において、第２ＳＩＧフィールド９２８−２はＢＰＳＫ変調され、プリアンブル部分９２０がマルチユーザデータユニットであることを示す。他の実施形態において、第２ＳＩＧフィールドのＢＰＳＫ変調はシングルユーザデータユニットを示し、第２ＳＩＧフィールドのＱＢＰＳＫ変調はマルチユーザデータユニットを示す。またさらに他の実施形態において、他の何らかの適した変調技術を第２ＳＩＧフィールドに用いて、シングルユーザデータユニットとマルチユーザデータユニットとを区別する。
【０１７７】
代替的な実施形態において、第２ＳＩＧフィールドの後のＳＩＧフィールドの変調形式を用いて、データユニットがシングルユーザであるかマルチユーザであるかを示す。通常モードのデータユニットだけが図１６に示されているが、いくつかの実施形態において、通常モードのデータユニットおよび低帯域幅モードのデータユニットの両方が、シングルユーザまたはマルチユーザデータユニットであり得る。例えば、一実施形態において、低帯域幅モードのデータユニットの第１ＳＩＧフィールドの変調形式を用いて、低帯域幅データユニットがシングルユーザであるかマルチユーザであるかを示す。他の例として、低帯域幅モードのデータユニットの第１ＳＩＧフィールドの変調形式を用いてＰＨＹモードを示す実施形態において、第２ＳＩＧフィールドの変調形式を用いて、データユニットがシングルユーザであるかマルチユーザであるかを示す。他の実施形態において、低帯域幅モードのデータユニットはマルチユーザデータユニットであることを許可されない。
【０１７８】
他の実施形態において、データユニットがシングルユーザであるかマルチユーザであるかは、通常モードのデータユニットの（および／または、マルチユーザであることが許可されている場合、低帯域幅モードのデータユニットの）ＳＩＧフィールドの特別な「ＳＵ／ＭＵビット」によって受信機に示される。実施形態において、ＳＵ／ＭＵビットは、データユニットの（例えば、２つのＳＩＧフィールドの）第１ＳＩＧフィールドに存在する。これらの実施形態のいくつかにおいて、マルチユーザデータユニットは第２ＳＩＧフィールドの後の延長された長さのマルチユーザＳＴＦ（ＭＵＳＴＦ）を含み、これにより、マルチユーザデータユニットのＳＩＧフィールドを復号化した後に自動ゲイン制御を調節するためにより長い時間を受信機に提供する。いくつかの実施形態において、マルチユーザデータユニットは、ＩＥＥＥ８０２．１１ｎのミックスモードのプリアンブルと同様のプリアンブル構造を用いるいわゆる「ロングプリアンブルデータユニット」であり、シングルユーザデータユニットは、ＩＥＥＥ８０２．１１ｎのＧｒｅｅｎｆｉｅｌｄプリアンブルと同様の（より短い）プリアンブルを用いるいわゆる「ショートプリアンブルデータユニット」である。
【０１７９】
図１７は、実施形態に係る、第１ＰＨＹモードに対応する第１データユニットの第１プリアンブル、および、第１ＰＨＹモードとは異なる第２ＰＨＹモードに対応する第２データユニットの第２プリアンブルを生成するための例示的な方法１０００のフロー図である。実施形態において、第１ＰＨＹモードは長距離通信プロトコルの通常モードであり、第２ＰＨＹモードは、長距離通信プロトコルの低帯域幅モードである。例えば一実施形態において、第２ＰＨＹモードは制御モードである。代替的に、第２ＰＨＹモードは単に、第１ＰＨＹモードの距離延長を実現する。様々な実施形態において、方法１０００は、図１のＡＰ１４のネットワークインタフェース１６、および／または、クライアント局２５−１のネットワークインタフェース２７により実装される。
【０１８０】
一般的に、第１ＰＨＹモードに対応する第１データユニットは、方法部分１００２において生成され、第２ＰＨＹモードに対応する第２データユニットは、方法部分１００４において生成される。まず方法部分１００２を参照すると、第１データユニットのＬＴＦはブロック１０１０において生成される。ＬＴＦに続く第１ＳＩＧフィールドは、ブロック１０１２において生成され、第１ＳＩＧフィールドに続く第２ＳＩＧフィールドはブロック１０１４において生成される。いくつかの実施形態において、ブロック１００２において生成されるプリアンブルは他のフィールド（例えば、ＳＴＦ、他のＬＴＦ、他のＳＩＧフィールドなど）も含む。実施形態において、ブロック１０１０において生成されるＬＴＦは、複数のＯＦＤＭシンボル（例えば２つのＯＦＤＭシンボル）を含む。ブロック１０１２、１０１４で生成される第１ＳＩＧフィールドおよび第２ＳＩＧフィールドはそれぞれ、例えば信号帯域幅、変調形式、および／またはエンコードレートなど、第１データユニットを解釈するための情報を提供する。第１ＳＩＧフィールドは、第１データユニットが第１ＰＨＹモードに対応することを受信機に対して示すべく第１変調技術に従って変調された第１ＯＦＤＭシンボルを含む。第１ＯＦＤＭシンボルは、ブロック１０１０において生成されるＬＴＦが開始した後、時間間隔Ｔ１をおいて開始し、時間間隔Ｔ２をおいて終了する。第２ＳＩＧフィールドは、第１データユニットがシングルユーザデータユニットであることを受信機に示すべく第２変調技術、または、第１データユニットがマルチユーザデータユニットであることを受信機に示す、第２変調技術とは異なる第３変調技術に従って変調された第２ＯＦＤＭシンボルを含む。
【０１８１】
次に方法部分１００４を参照すると、第２データユニットのＬＴＦがブロック１０２０において生成される。いくつかの実施形態において、方法部分１００４において生成されるプリアンブルは、他のフィールド（ＳＴＦ、他のＬＴＦ、ＳＩＧフィールドなど）も含む。ＬＴＦは、ブロック１０１４において生成されるＳＩＧフィールドの第１ＯＦＤＭシンボルを変調するのに用いられる第１変調技術とは異なる第４変調技術に従って変調された第３直交周波数分割多重シンボル（第３ＯＦＤＭシンボル）を含む。第４変調技術は、第２データユニットが第２ＰＨＹモードに対応することを受信機に示す。第３ＯＦＤＭシンボルは少なくとも部分的に、ブロック１０２０において生成されるＬＴＦが開始した後、時間間隔Ｔ１をおいて開始し、時間間隔Ｔ２をおいて終了する第２プリアンブルの位置を占める。一実施形態において、第３ＯＦＤＭシンボルは、ブロック１０２０において生成されるＬＴＦが開始した後、時間間隔Ｔ１をおいて開始し、時間間隔Ｔ２をおいて終了する。図１４の方法８００と同様に、第１データユニットのプリアンブル内の第１ＯＦＤＭシンボルのタイミングを調整し（例えば、第１データユニットのプリアンブルのＬＴＦの開始と相対的に）、同様に、第２データユニットのプリアンブル内の第３ＯＦＤＭシンボルのタイミングを調整することにより（例えば、第２データユニットのプリアンブルのＬＴＦの開始と相対的に）、タイミングを演繹的に知っている受信装置は、変調形式を検出し、受信されたデータユニットのＰＨＹモードを判断出来る。
【０１８２】
実施形態において、方法１０００の第１変調技術はＢＰＳＫおよびＱＢＰＳＫのうち一方であり、方法１０００の第４変調技術はＢＰＳＫおよびＱＢＰＳＫのうち他方である。さらに、実施形態において、方法１０００の第２変調技術はＢＰＳＫおよびＱＢＰＳＫのうち一方であり、方法１０００の第３変調技術はＢＰＳＫおよびＱＢＰＳＫのうち他方である。
【０１８３】
複数の異なる実施形態によると、図１２〜図１７を参照して上述した第２プリアンブル部分のロングトレーニングシンボル（ＬＴＳ）は様々なやり方で規定される。一実施形態において、ＬＴＦ５４４の各ＬＴＳはＩＥＥＥ８０２．１１ｎ規格で規定されるのと同じで、つまり、任意の順序で＋１または−１である。さらに、実施形態において、通常モード（例えば６４ポイントのＩＤＦＴ）のＬＴＳのトーンは、低帯域幅モード（例えば３２ポイントのＩＤＦＴ）のＬＴＳが６４ポイントのＩＤＦＴの下側波帯および上側波帯のそれぞれにおいて複製された場合に得られる対応するトーンと同じ値を有する。本実施形態において、複製された３２ポイントのＩＤＦＴトーンにより占められない残りのトーン（例えば、通常モードのＬＴＳが５６個のデータ／パイロットトーンを有し、低帯域幅モードのＬＴＳが２６個のデータ／パイロットトーンを有する場合、４つの追加のトーン）は、他の適した値で埋められる。この設計は（実施形態において、信号が６４ポイント以上のＩＤＦＴ信号である場合であっても３２ポイントのＩＤＦＴの半分の帯域で常に実行される）周波数領域の自動検出において好都合である。いくつかの実施形態において、ＰＡＰＲを低減すべく、通常モードの信号は、ＬＴＳの上側波帯の全てのトーンに亘って、またはＬＴＳの下側波帯の全てのトーンに亘って位相シフト（例えば９０°）を含む。さらに、通常モードのチャネルの帯域幅に亘って周波数領域において低帯域幅モードの信号が複製された結果、トーンの再ルーティングが利用される場合（図２２Ａ〜２２Ｃ、２３Ａ、および２３Ｂを参照して以下に説明するように）、対応するＬＴＳトーンは同様のやり方で調整される。
【０１８４】
いくつかの実施形態において、ＷＬＡＮ（例えば、図１のＷＬＡＮ１０）の通信チャネルは、通常モードの信号帯域幅のみに基づいて規定され、低帯域幅モードの信号（例えば、実施形態において、制御モードの信号）は、それらの通信チャネル内の１以上の周波数帯域で送信される。例えば、実施形態において、媒体アクセス制御（ＭＡＣ）プロトコルが動作するチャネライゼーションは、通常モードの信号の送信に用いられるチャネル群に対応する。通常モードの信号が２ＭＨｚ、４ＭＨｚ、８ＭＨｚ、または１６ＭＨｚの帯域幅（例えば、６４ポイント、１２８ポイント、２５６ポイント、または５１２ポイントのＩＤＦＴを用いて生成されたデータユニットに対応する）で送信される、より具体的な例示的な実施形態において、規定されたチャネルは２ＭＨｚ、４ＭＨｚ、８ＭＨｚ、または１６ＭＨｚのチャネルであり、１ＭＨｚの帯域幅を有する低帯域幅モードの信号（例えば３２ポイントのＩＤＦＴを用いて生成されたデータユニットに対応する）は、２ＭＨｚチャネルのうち１つのチャネル内の１ＭＨｚ帯域で送信される。図１８〜図２３Ｂを参照する以下の説明において、説明を容易にするべく、他のことが示されない限り、通常モードのデータユニットとは、最小の２ＭＨｚのチャネル帯域幅に対応する最小のＩＤＦＴのサイズとして６４ポイントのＩＤＦＴを用いて生成されたデータユニットであるものとする。しかし他の実施形態において、最小のＩＤＦＴのサイズおよび／または帯域幅は他の適切な値であり得、他の様々なシステムパラメータ（例えば、低帯域幅モードの帯域幅およびＩＤＦＴのサイズ）は、それに応じてスケーリングされるか、または修正される。
【０１８５】
図１８〜図２１を参照し、通常モードのチャネル内の低帯域幅モードの信号のための周波数帯域の様々な配置を以下に説明する。図１８〜図２１のそれぞれにおいて、通常モードのデータユニットの送信にチャネル１１００が用いられる。実施形態において各チャネル１１００は、通常モードの信号の２ＭＨｚの最小の帯域幅に等しい帯域幅を有する。図１８〜図２１のそれぞれにおいて３つのチャネル１１００が示されているが、他の実施形態において、１つ、２つ、４つ、または４よりも多くのチャネル１１００が利用される。さらに、いくつかの実施形態において、２以上のチャネル１１００を組み合わせて、組み合わせ条件またはルールが適用される複合チャネル（例えば、４ＭＨｚ、８ＭＨｚなど）が形成され得る。図１８〜図２１において、第２チャネル１１００−２に関して周波数帯域の配置が示されているが、他のシナリオは、チャネル１１００−１、１１００−３内、または他の何らかの適切なチャネル１１００内の配置を伴い得る。
【０１８６】
図１８は、実施形態に係る、通信チャネル１１００−２内で低帯域幅モードの信号１１０４を送信するのに用いられる周波数帯域の例示的な配置の図である。一実施形態において、低帯域幅モードの信号１１０４は、１ＭＨｚ幅、３２ポイントのＩＤＦＴ信号（または、適切なトーンがゼロ設定された６４ポイントのＩＤＦＴ信号）であり、図７Ａのトーンマップ４５０を（例えば、データユニットのデータ、ＳＩＧ、および／またはＬＴＦ部分に）有するＯＦＤＭシンボルを含む。他の実施形態において、低帯域幅モードの信号１１０４は、０．５ＭＨｚ幅、１６ポイントのＩＤＦＴ信号（または、適切なトーンがゼロ設定された６４ポイントのＩＤＦＴ信号）であり、図７Ｂのトーンマップ４７０を有するＯＦＤＭシンボルを含む。またさらに他の実施形態において、低帯域幅モードの信号１１０４は、他の適切なＩＤＦＴのサイズを用いて生成され、２ＭＨｚ未満の他の適切な帯域幅を占める。
【０１８７】
図１８に示される実施形態およびシナリオにおいて、低帯域幅モードの信号１１０４はチャネル１１００−２の中央に固定された周波数帯域で送信される。より一般的には、実施形態において、ＭＡＣ層動作（例えば、様々な実施形態において、図１のＭＡＣ処理ユニット１８および／またはＭＡＣ処理ユニット２８により実装される）は、低帯域幅モードの信号１１０４が通信チャネル１１００のうちいずれか１つの中央の周波数帯域で送信されることを要求する。複数のチャネル１１００のうち１つの中央に帯域幅を置くことにより、一般的に他のチャネルとの干渉１１００は低減される。
【０１８８】
図１９は、実施形態に係る、通信チャネル１１００−２内で低帯域幅モードの信号１１０６を送信するのに用いられる周波数帯域の他の例示的な配置の図である。信号１１０６−１はチャネル１１００−２の下側波帯に対応する周波数領域で送信され、信号１１０６−１の複製（つまり、信号１１０６−２）は、チャネル１１００−２の上側波帯に対応する周波数帯域で同時に送信される。実施形態において、低帯域幅モードの各信号１１０６は、図７Ａのトーンマップ４５０を（例えば、データユニットのデータ、ＳＩＧ、および／またはＬＴＦ部分に）有するＯＦＤＭシンボルを含む１ＭＨｚ幅の信号である。様々な実施形態において、２つの３２ポイントのＩＤＦＴ、または１つの６４ポイントのＩＤＦＴを用いて、信号１１０６−１、１１０６−２の組み合わせが生成される。信号が図７Ａのトーンマップ４５０を有するＯＦＤＭシンボルを含む実施形態において、３つのガードトーンがチャネル１１００−２の下縁に含まれ、２つのガードトーンのみがチャネル１１００−２の上縁に含まれる。他の実施形態において、低帯域幅モードの各信号１１０６は代わりに、図７Ｂのトーンマップ４７０を有するＯＦＤＭシンボルを含む０．５ＭＨｚ幅の信号であり、信号１１０６の４つのコピーがチャネル１１００−２内で送信される。様々な実施形態において、４つの１６ポイントのＩＤＦＴ、または１つの６４ポイントのＩＤＦＴを用いて、４つの信号１１０６の組み合わせが生成される。さらに他の実施形態において、低帯域幅モードの各信号１１０６は、図７Ｂのトーンマップ４７０を有するＯＦＤＭシンボルを含む０．５ＭＨｚ幅の信号であり、信号１１０６の２つのコピーのみがチャネル１１００−２内で送信される。そのような一実施形態において、０．５ＭＨｚの信号の２つのコピーは、チャネル１１００−２内の中央の１ＭＨｚ帯域に位置付けられ、他のチャネルとの干渉が最小化される。
【０１８９】
一般的に、複数の周波数帯域内に低帯域幅モードの信号１１０６の複製を含む実施形態は、周波数の多様性を実現する。例えば受信装置は、複製された信号１１０６の周波数領域の組み合わせ／平均化を実行出来る。さらに、いくつかの実施形態において、低帯域幅モードの信号１１０６の複数の複製に亘り位相シフトが適用され（例えば、４回の周波数の複製では［１  −１  −１  −１］、または２回の周波数の複製では［１  ｊ］）ＰＡＰＲを低減させる。
【０１９０】
図２０は、実施形態に係る、通信チャネル１１００−２内で低帯域幅モードの信号１１１０を送信するのに用いられる周波数帯域の他の例示的な配置の図である。一実施形態において、低帯域幅モードの信号１１１０は、１ＭＨｚ幅、３２ポイントのＩＤＦＴ信号（または、適切なトーンがゼロ設定された６４ポイントのＩＤＦＴ信号）であり、図７Ａのトーンマップ４５０を（例えば、データユニットのデータ、ＳＩＧ、および／またはＬＴＦ部分に）有するＯＦＤＭシンボルを含む。図２０に示される実施形態およびシナリオにおいて、低帯域幅モードの信号１１１０は、チャネル１１００−２の下側波帯に固定された周波数帯域で送信される。より一般的には、低帯域幅モードの信号１１１０が上縁のガードトーンよりも下縁のガードトーンを多く有するＯＦＤＭシンボルを含む（例えば、図７Ａのトーンマップ４５０）実施形態において、ＭＡＣ層動作（例えば、様々な実施形態において、図１のＭＡＣ処理ユニット１８および／またはＭＡＣ処理ユニット２８により実装される）は、低帯域幅モードの信号１１１０が通信チャネル１１００のうちいずれかの上側波帯で送信されることを許可しない。このやり方によると、一般的に他のチャネルとの干渉が低減され、フィルタの設計条件も緩和され得る。低帯域幅モードの信号１１１０のトーンマップが代わりに、下縁のガードトーンよりも上縁のガードトーンを多く有する他の実施形態において、ＭＡＣ層動作は、低帯域幅モードの信号１１１０が通信チャネル１１００のうちいずれかの下側波帯で送信されることを許可しない。
【０１９１】
低帯域幅モードの周波数帯域が通常モードのチャネルの特定の（下または上の）側波帯に制限されるいくつかの実施形態において、受信機は、自身が位置を演繹的に知っている周波数帯域で検出される信号（または信号の部分）に基づきＰＨＹモードを自動検出する。例えば、実施形態において受信機は、低帯域幅モードの（例えば制御モードの）信号が、通常モードのチャネルの下側帯波のみで送信されることを知っている。したがって本実施形態において、ＰＨＹモードを自動検出すべく（例えば、ＳＴＦの差に基づいてなど）、受信機はチャネルの下側波帯の信号のみを観察する。反対に実施形態において、受信機は、信号フィールド（例えば、ＩＥＥＥ８０２．１１ｎおよびＩＥＥＥ８０２．１１ａｃで用いられるＨＴＳＩＧフィールド）に基づき、異なる通常モードのデータユニットの帯域幅（例えば、２ＭＨｚ、４ＭＨｚ、８ＭＨｚなど）を検出する。
【０１９２】
図２１は、実施形態に係る、通信チャネル１１００−２内で低帯域幅モードの信号１１１２を送信するのに用いられる周波数帯域のさらに他の例示的な配置の図である。一実施形態において、低帯域幅モードの信号１１１２は、０．５ＭＨｚ幅、１６ポイントのＩＤＦＴ信号（または、適切なトーンがゼロ設定された６４ポイントのＩＤＦＴ信号）であり、図７Ｂのトーンマップ４７０を（例えば、データユニットのデータ、ＳＩＧ、および／またはＬＴＦ部分に）有するＯＦＤＭシンボルを含む。図２１に示される実施形態およびシナリオにおいて、低帯域幅モードの信号１１１２は、チャネル１１００−２内の４つの０．５ＭＨｚの副帯域のうち下から２番目に低い副帯域に固定された周波数帯域で送信される。一般的には、実施形態において、ＭＡＣ層動作（例えば、様々な実施形態において、図１のＭＡＣ処理ユニット１８および／またはＭＡＣ処理ユニット２８により実装される）は、通信チャネル１１００のうちいずれかのうち最も高い、または最も低い副帯域で低帯域幅モードの信号１１１２が送信されることを許可しない。このやり方によると、一般的に他のチャネルとの干渉が軽減され得る。
【０１９３】
図１８〜図２１を参照して上述した実施形態のいくつかにおいて、数のバランスがとれていないガードトーンを含む低帯域幅モードの信号（つまり、図７Ａの例示的なトーンマップ４５０のように、下方／上方のバンドエッジよりも上方／下方のバンドエッジの方がガードトーンが多い）は、通信チャネル１１００−２の一方のエッジにおいてより少ないガードトーンを配置する周波数帯域で送信され得る。例えば、図１９に示される周波数帯域の配置を参照すると、低帯域幅モードの信号１１０６−１、１１０６−２の両方が図７Ａのトーンマップ４５０を用いる実施形態において、低帯域幅モードの信号１１０６−２は、チャネル１１００−２の上縁にガードトーンを２つのみ提供する（信号１１０６−１がチャネル１１００−２の下縁に３つのガードトーンを提供するのに対し）。他の例として、図２０の低帯域幅モードの信号１１１０がチャネル１１００−２の下側波帯ではなく上側波帯に配置された周波数帯域で送信される場合（ここでも、信号１１１０が図７Ａのトーンマップ４５０を用いるケースに関して）、低帯域幅モードの信号１１１０は、チャネル１１００−２の上縁にガードトーンを２つだけ提供する。
【０１９４】
チャネル１１００−２のエッジにおけるガードトーンの数を増やすべく、低帯域幅モードの信号の（または、その１以上の周波数領域のコピーの）トーンは、いくつかの実施形態において反転またはシフトされる。図２２Ａ、図２２Ｂ、および図２２Ｃは、様々な実施形態に係る、低帯域幅モードの信号にそれぞれが対応する例示的な周期的な、反転された、およびシフトされたトーンマップ１１５０、１１６０、１１７０の図である。図２２Ａ、図２２Ｂ、および図２２Ｃは、低帯域幅モードの信号の周期的なトーンマップが図７Ａのトーンマップ４５０である場合の、周期的かつ再ルーティングされた（反転された、またはシフトされた）トーンマップに対応する。よって、データ／パイロットトーン１１５２、ＤＣトーン１１５４、およびガードトーン１１５８を含む「周期的な」トーンマップ１１５０は、データ／パイロットトーン４５２、ＤＣトーン４５４、およびガードトーン４５８を含む、図７Ａのトーンマップ４５０と同一である。
【０１９５】
トーンマップ１１６０は、（周期的なトーンマップ１１５０に対し）同じ数のデータ／パイロットトーン１１６２、ＤＣトーン１１６４、およびガードトーン１１６８を含むが、２つの下縁のガードトーン１１６８−１および３つの上縁のガードトーン１１６８−２を有し、その逆ではない。本実施形態において、帯域の縁のガードトーンの数の反転は、マップ１１５０のインデックス−１〜−１３におけるトーンが代わりに、マップ１１６０においてそれぞれインデックス＋１〜＋１３にマッピングされ、マップ１１５０のインデックス＋１〜＋１３におけるトーンが代わりに、マップ１１６０においてそれぞれインデックス−１〜−１３にマッピングされるように、マップ１１５０の全ての非ゼロトーンを反転させることにより実現される。
【０１９６】
同様にトーンマップ１１７０は、（周期的なトーンマップ１１５０に対し）同じ数のデータ／パイロットトーン１１７２、ＤＣトーン１１７４、およびガードトーン１１７８を含むが、２つの下縁のガードトーン１１７８−１および３つの上縁のガードトーン１１７８−２を有する。本実施形態において、ガードトーンの数の反転は、マップ１１５０の全ての非ゼロトーンを左へ１つシフトする（ＤＣトーンを避けるべく左へ２つだけシフトされる＋１のインデックスにおけるトーンを除いて）ことにより実現される。よって、マップ１１５０のインデックス＋１におけるトーンは代わりに、マップ１１７０においてインデックス−１にマッピングされ、マップ１１５０のインデックス−１〜−１３におけるトーンは代わりに、マップ１１７０においてそれぞれインデックス−２〜−１４にマッピングされ、マップ１１５０のインデックス＋２〜＋１３におけるトーンは代わりに、マップ１１７０においてインデックス＋１〜＋１２にマッピングされる。
【０１９７】
図２３Ａおよび図２３Ｂは、実施形態に係る、低帯域幅モードの信号にそれぞれ対応する例示的な周期的な、およびシフトされたトーンマップ１２５０、１２６０の図である。しかし図２２Ａおよび図２２Ｃの周期的な、およびシフトされたトーンマップ１１５０、１１７０とは異なり、トーンマップ１２５０、１２６０は、低帯域幅モードの信号が通常モードの６４ポイントのＩＤＦＴ信号チャネルの下側波帯に固定された周波数帯域で送信される実施形態（例えば、図２０の実施形態）に対応する。よって、示されるトーンインデックスは、３２ポイントのＩＤＦＴ信号の周波数帯域の−１５〜＋１６のインデックス、または−１６〜＋１５のインデックスではなく、６４ポイントのＩＤＦＴ信号チャネルの下側波帯の−３２〜０のインデックスに対応する。
【０１９８】
図２２Ａおよび図２２Ｃと同じように、図２３Ａおよび図２３Ｂの実施形態は、低帯域幅モードの信号の周期的なトーンマップが図７Ａのトーンマップ４５０である場合の、周期的な、およびシフトされたトーンマップに対応する。よって、データ／パイロットトーン１２５２、ＤＣトーン１２５４、およびガードトーン１２５８を含む「周期的な」トーンマップ１２５０は、データ／パイロットトーン４５２、ＤＣトーン４５４、およびガードトーン４５８を含む、図７Ａのトーンマップ４５０と同一であるが、マップ１２５０が６４ポイントのＩＤＦＴ信号チャネルの下側波帯のインデックスと合わされている点が異なる。
【０１９９】
トーンマップ１２６０は、（周期的なトーンマップ１２５０に対し）同じ数のデータ／パイロットトーン１２６２、ＤＣトーン１２６４、およびガードトーン１２６８を含むが、３つではなく４つの下縁のガードトーン１２６８−１を有する。本実施形態において、より多くの下縁のガードトーンは、マップ１２５０のインデックス−３〜−１５におけるトーンが代わりに、マップ１２６０においてそれぞれインデックス−２〜−１５にマッピングされ、マップ１２５０のインデックス−１７〜−２９におけるトーンが代わりに、マップ１２６０においてそれぞれインデックス−１６〜−２８にマッピングされるように、マップ１２５０の全ての非ゼロトーンを右へ１つだけシフトすることにより実現される。他の実施形態において、周期的なトーンマップ１２５０のトーンは代わりに、さらに多くの下縁のガードトーンを提供するべく１より大きい適切な異なる数の分だけ右へシフトされる。例えば低帯域幅モードの信号がチャネル１１００−２の下側波帯ではなく上側波帯に配置された周波数帯域で送信されるまたさらに他の実施形態において、トーンは代わりに、１以上のインデックスだけ左へシフトされる。
【０２００】
いくつかの実施形態において、図２２Ａ、図２２Ｂ、および図２２Ｃと同じように、または図２３Ａおよび図２３Ｂと同じように、低帯域幅モードの信号のトーンの再ルーティング（反転、および／またはシフト）（またはその周波数領域の１以上の複製）が利用されるが、低帯域幅モードの信号のＳＴＦ部分のトーン（または複製）は変更されず、つまり、反転されず、シフトされず、若しくは、再ルーティングされない。このやり方によれば、ＳＴＦシーケンスの周期性が維持される。
【０２０１】
図２４は、実施形態に係る、第１ＰＨＹモードおよび第２ＰＨＹモードにそれぞれ準拠する第１データユニットおよび第２データユニットを生成し、送信されるようにするための例示的な方法１４００のフロー図である。実施形態において、第１ＰＨＹモードは、長距離通信プロトコルの通常モードであり、第２ＰＨＹモードは、長距離通信プロトコルの低帯域幅モードである。例えば一実施形態において、第２ＰＨＹモードは制御モードである。代替的に、第２ＰＨＹモードは単に、第１ＰＨＹモードの距離延長を実現する。いくつかの実施形態において、第１ＰＨＹモードは第２ＰＨＹモードに対応するデータスループットより大きなデータスループットに対応する。方法１４００は、第１（例えば、通常の）ＰＨＹモードに準拠するデータユニットを送信するために複数のチャネルを有する通信システム（例えば、図１のＷＬＡＮ１０）で実装される。いくつかの実施形態において通信システムは、第１ＰＨＹモードに準拠するデータユニットを送信するべく追加の複合チャネル（複数のチャネルのうち２以上のチャネルを集約することにより形成される）も利用する。実施形態において、方法１４００は、１のＡＰ１４のネットワークインタフェース１６、および／または、クライアント局２５−１のネットワークインタフェース２７により実装される。
【０２０２】
ブロック１４０２において、第１ＰＨＹモードに準拠する第１データユニットが、第１シリーズのＯＦＤＭシンボルを生成することに少なくとも一部基づいて生成される。一実施形態において、第１シリーズのＯＦＤＭシンボルは、６４ポイントのＩＤＦＴを利用することに少なくとも一部基づいて生成される。ブロック１４０４において、ブロック１４０２において生成された第１データユニットの、複数のチャネルのうち第１チャネルを介した送信が引き起こされる。例えば、実施形態において、方法１４００を実施するネットワークインタフェース内のＰＨＹ処理ユニットが、第１データユニットに対応するＯＦＤＭ信号を、無線周波数（ＲＦ）送信チェーンへ提供する。
【０２０３】
ブロック１４０６において、第２ＰＨＹモードに準拠する第２データユニットが、第２シリーズのＯＦＤＭシンボルを生成することに少なくとも一部基づいて生成される。一実施形態において、第２シリーズのＯＦＤＭシンボルの少なくとも一部（例えば、データ部分、データ／ＳＩＧフィールド部分、データ、ＬＴＦおよびＳＩＧフィールド部分など）は、下縁のガードトーンよりも多くの上縁のガードトーンを含む。他の実施形態において、第２シリーズのＯＦＤＭシンボルの少なくとも一部は、上縁のガードトーンよりも多くの下縁のガードトーンを含む。一実施形態において、第２シリーズのＯＦＤＭシンボルは、３２ポイントのＩＤＦＴを利用することに少なくとも一部基づいて生成される。他の実施形態において、第２シリーズのＯＦＤＭシンボルは、６４ポイントのＩＤＦＴを利用することに少なくとも一部基づいて生成され、生成されるトーンの合計数のうち少なくとも半分はゼロに設定される。実施形態において、第２シリーズのＯＦＤＭシンボルは、第１シリーズのＯＦＤＭシンボルを生成するのに用いられたのと同じクロックレートを用いて生成される。
【０２０４】
ブロック１４１０において、第２データユニットを送信するための周波数帯域が決定される。周波数帯域の帯域幅は、複数のチャネルのうち各チャネルの帯域幅を２以上である整数ｎにより除算した帯域幅に等しい。一実施形態において、整数ｎは２に等しい（例えば、各チャネルが２ＭＨｚの帯域幅を有し、決定される周波数帯域は、１ＭＨｚの帯域幅を有する）。第２シリーズのＯＦＤＭシンボルの部分が下縁のガードトーンよりも上縁のガードトーンを多く含む実施形態において、ブロック１４１０における周波数帯域の決定は、複数のチャネルのうちの１以上のチャネル（例えば、複数のチャネルのうち全てのチャネル）のそれぞれの最も低い副帯域を除外することを含む。代替的に、第２シリーズのＯＦＤＭシンボルの部分が上縁のガードトーンよりも下縁のガードトーンを多く含む実施形態において、ブロック１４１０における周波数帯域の決定は、複数のチャネルのうちの１以上のチャネル（例えば、複数のチャネルのうち全てのチャネル）のそれぞれの最も高い副帯域を除外することを含む。いずれの場合においても、各「副帯域」は、ブロック１４１０において決定される周波数帯域の帯域幅と等しい帯域幅（つまり、整数ｎで除算されたチャネル帯域幅）を有する。したがって、周波数帯域は、最も少ない数のガードトーンを有する第２ＰＨＹモードのデータユニットのエッジがチャネルエッジと合わないように、チャネル内で配置される。
【０２０５】
ブロック１４１２において、第２データユニットの、ブロック１４１０において決定された周波数帯域を介しての送信が引き起こされる。例えば、実施形態において、方法１４００を実施するネットワークインタフェース内のＰＨＹ処理ユニットは、第２データユニットに対応するＯＦＤＭ信号をＲＦ送信チェーンへ提供する。
【０２０６】
図１８〜図２４は通常モードのデータユニットの帯域幅に基づいたチャネライゼーションに関するが、いくつかの実施形態において低帯域幅領域（例えば、欧州、日本など）は、低帯域幅モードのデータユニットに基づいてチャネライゼーションが行われる。これらの実施形態において、チャネル帯域幅は低帯域幅モードのデータユニット（例えば１ＭＨｚ）の帯域幅と等しく、通常モードのデータユニット（例えば、２ＭＨｚ以上）は、より狭いチャネルを集約することにより形成された複合チャネルで送信される。
【０２０７】
１つのより具体的な、例示的な実施形態において、デュアルモードデバイス（例えば、図１のクライアント局２５−１）が低帯域幅領域で用いられた場合、当該デュアルモードデバイスは低帯域幅モードのＰＨＹの３２ポイントのＩＤＦＴ信号に対応する１ＭＨｚの帯域幅に基づいてチャネライゼーションが行われる。いくつかのそのような実施形態において、同じクロックレートを用いる６４ポイントのＩＤＦＴ（２ＭＨｚ）の通常モードのデータユニットも、低帯域幅領域で許可される。２ＭＨｚのチャネルは１ＭＨｚのチャネルを２以上集約することにより形成され、様々な２ＭＨｚの複合チャネルの間には重複はない。そのような領域の２ＭＨｚのベーシックサービスセット（ＢＳＳ）において、低帯域幅モードの１ＭＨｚの信号は、特定のシナリオにおいてどちらの側波帯が１ＭＨｚの主チャネルに対応するかに応じて、２ＭＨｚの複合チャネルの低側波帯または上側波帯のいずれかに存在し得る。
【０２０８】
そのような一実施形態およびシナリオにおいて、他の領域においてデュアルモードデバイスが１２８ポイント、２５６ポイント、および５１２ポイントのＩＤＦＴ信号（４ＭＨｚ、８ＭＨｚ、および１６ＭＨｚの信号に対応する）をサポートしていようとも、これらより広い帯域幅の通常モードの信号は許可されない。これらの実施形態のうち他の実施形態において、１２８ポイント、２５６ポイント、および／または５１２ポイントのＩＤＦＴ信号は許可される。さらに、いくつかの実施形態において、低帯域幅モードの信号は、より広い帯域幅領域よりも多くのＭＣＳを許可される。本実施形態およびシナリオにおいて受信機は、２ＭＨｚの複合チャネルの下側波帯または上側波帯が１ＭＨｚの主チャネルに対応するかどうかの演繹的知識に基づき、受信されたデータユニットが３２ポイントのＩＤＦＴの信号であるか、または６４ポイントのＩＤＦＴの信号であるか（１ＭＨｚまたは２ＭＨｚ）を（例えば、ＳＴＦ、ＬＴＦ、および／またはＳＩＧフィールドを用いて）自動検出する。１２８ポイント、２５６ポイント、および／または５１２ポイントのＩＤＦＴ信号が許可される実施形態において、どちらの帯域幅の信号が受信されたかの自動検出は、ＳＩＧフィールド（例えば、ＩＥＥＥ８０２．１１ｎ規格およびＩＥＥＥ８０２．１１ａｃ規格のようにＨＴＳＩＧフィールド）に基づく。実施形態において、主チャネルに対応し、２ＭＨｚの複合チャネルの側波帯に位置付けられる３２ポイントのＩＤＦＴ信号は、２ＭＨｚの複合チャネルのうち一方、または両方のエッジにおいてガードバンドの数を増やすのに必要であれば図２２Ａ〜２２Ｃ、２３Ａ、または２３Ｂのトーン再ルーティング技術を利用し得る。
【０２０９】
上述した様々なブロック、動作、および技術のうち少なくともいくつかは、ハードウェア、ファームウェア命令および／またはソフトウェア命令を実行するプロセッサ、或いは、それらの何らかの組み合わせにより実装されてもよい。ソフトウェア命令および／またはファームウェア命令を実行するプロセッサを用いて実装した場合、当該ソフトウェア命令またはファームウェア命令は、ＲＡＭまたはＲＯＭ、或いは、フラッシュメモリ、プロセッサ、ハードディスクドライブ、光ディスクドライブ、テープドライブなどの磁気ディスク、光ディスク、または他の記憶媒体などコンピュータ可読メモリに格納されてもよい。同様に、ソフトウェア命令またはファームウェア命令は、例えばコンピュータ可読ディスクまたは他の搬送可能なコンピュータ記憶メカニズムを含む公知の、または所望される伝達方法を介して、或いは通信媒体を介して、ユーザまたはシステムへ届けられ得る。典型的には通信媒体はコンピュータ可読命令、データ構造、プログラムモジュール、または他のデータを、搬送波、または他の搬送メカニズムなどの変調データ信号で具体化する。「変調データ信号」という用語は、情報を信号内でエンコードするよう設定または変更された１以上の特性を有する信号を指す。例として、通信媒体には、有線ネットワーク、直接有線接続などの有線媒体、および、音響媒体、ラジオ周波数媒体、赤外線媒体、および他の無線媒体などの無線媒体が含まれるが、これらに限定されない。よって、ソフトウェア命令またはファームウェア命令は、電話線、ＤＳＬ線、ケーブルテレビ線、光ファイバー線、無線通信チャネル、インターネットなどの（搬送可能な記憶媒体を介してソフトウェアを提供することと同じ、またはそのことの代替となりうる）通信チャネルを介してユーザまたはシステムに届けられ得る。ソフトウェア命令またはファームウェア命令には、プロセッサにより実行されると当該プロセッサに様々な動作を行わせる機械可読命令が含み得る。
【０２１０】
ハードウェアで実装された場合、当該ハードウェアは、個別のコンポーネント、集積回路、特定用途向け集積回路（ＡＳＩＣ）などのうち１以上を備え得る。
【０２１１】
例示のみを目的とし本願発明を限定しない特定の例を参照し本願発明を説明してきたが、本願発明の範囲から逸脱することなく、開示される実施形態の変更、追加、および／または削除などが可能である。
【図１】
2014523152.tif 000004
【図２】
2014523152.tif 000005
【図３】
2014523152.tif 000006
【図４】
2014523152.tif 000007
【図５】
2014523152.tif 000008
【図６】
2014523152.tif 000009
【図７Ａ】
2014523152.tif 000010
【図７Ｂ】
2014523152.tif 000011
【図８】
2014523152.tif 000012
【図９】
2014523152.tif 000013
【図１０】
2014523152.tif 000014
【図１１】
2014523152.tif 000015
【図１２】
2014523152.tif 000016
【図１３】
2014523152.tif 000017
【図１４】
2014523152.tif 000018
【図１５】
2014523152.tif 000019
【図１６】
2014523152.tif 000020
【図１７】
2014523152.tif 000021
【図１８】
2014523152.tif 000022
【図１９】
2014523152.tif 000023
【図２０】
2014523152.tif 000024
【図２１】
2014523152.tif 000025
【図２２Ａ】
2014523152.tif 000026
【図２２Ｂ】
2014523152.tif 000027
【図２２Ｃ】
2014523152.tif 000028
【図２３Ａ】
2014523152.tif 000029
【図２３Ｂ】
2014523152.tif 000030
【図２４】
2014523152.tif 000031
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
方法であり、
第１物理層モード（第１ＰＨＹモード）に対応する第１データユニットを生成する段階を備え、
前記第１データユニットを生成する段階は、
（ａ）第１の複数の情報ビットを順方向誤り訂正（ＦＥＣ）エンコードする段階と、
（ｂ）ＦＥＣエンコードされた前記第１の複数の情報ビットを第１の複数のコンスタレーションシンボルにマッピングする段階と、
（ｃ）前記第１の複数のコンスタレーションシンボルを含む第１の複数の直交周波数分割多重シンボル（ＯＦＤＭシンボル）を生成する段階と
を有し、
前記第１の複数のＯＦＤＭシンボルは、（ｉ）第１トーン間隔を用い、（ｉｉ）全体として第１帯域幅に亘る第１の数の非ゼロトーンを含み、
前記方法は、第２物理層モード（第２ＰＨＹモード）に対応する第２データユニットを生成する段階をさらに備え、
前記第２データユニットを生成する段階は、
（ａ）第２の複数の情報ビットをＦＥＣエンコードする段階と、
（ｂ）ＦＥＣエンコードされた前記第２の複数の情報ビットをブロックエンコードする段階と、
（ｃ）ブロックエンコードされた前記第２の複数の情報ビットを第２の複数のコンスタレーションシンボルにマッピングする段階と、
（ｄ）前記第２の複数のコンスタレーションシンボルを含む第２の複数のＯＦＤＭシンボルを生成する段階と
を有し、
前記第２の複数のＯＦＤＭシンボルは、（ｉ）前記第１トーン間隔を用い、（ｉｉ）全体として第２帯域幅に亘る第２の数の非ゼロトーンを含み、
前記非ゼロトーンの前記第２の数は前記非ゼロトーンの前記第１の数未満であり、
前記第２帯域幅は前記第１帯域幅よりも小さい、方法。
【請求項２】
前記ＦＥＣエンコードされた第２の複数の情報ビットをブロックエンコードする段階は、
前記第２の複数の情報ビットを、それぞれがｎ個の情報ビットから成る複数のブロックへパーティション化する段階と、
それぞれがｎ個の情報ビットから成るブロックをｍ回繰り返し、ｍ×ｎ個の情報ビットを生成する段階と
を含む、請求項１に記載の方法。
【請求項３】
前記第２データユニットを生成する段階は、前記ｍ×ｎ個の情報ビットをインターリービングする段階をさらに有する、請求項２に記載の方法。
【請求項４】
前記非ゼロトーンの前記第２の数は前記非ゼロトーンの前記第１の数の半分以下であり、
前記第２帯域幅は前記第１帯域幅の半分以下である、請求項１から３のいずれか１項に記載の方法。
【請求項５】
前記第１の複数のＯＦＤＭシンボルを生成する段階は、６４ポイントの離散逆フーリエ変換（ＩＤＦＴ）を利用する段階を含み、
前記第２の複数のＯＦＤＭシンボルを生成する段階は、（ｉ）６４ポイントのＩＤＦＴを用い、結果として得られるトーンの少なくとも半分をゼロ設定する段階、または、（ｉｉ）３２ポイントのＩＤＦＴを用いる段階を含む、請求項４に記載の方法。
【請求項６】
前記第１の複数の情報ビットをＦＥＣエンコードする段階は、複数の相対的なスループットレベルに対応する複数の変調符号化方式（ＭＣＳ）から選択される第１ＭＣＳに従って実行され、
前記ＦＥＣエンコードされた第１の複数の情報ビットを前記第１の複数のコンスタレーションシンボルにマッピングする段階は、前記第１ＭＣＳに従って実行され、
前記第２の複数の情報ビットをＦＥＣエンコードする段階は、前記複数の相対的なスループットレベルのうち最も低い相対的なスループットレベル以下の相対的なスループットレベルに対応する第２ＭＣＳに従って実行され、
前記ブロックエンコードされた前記第２の複数の情報ビットを前記第２の複数のコンスタレーションシンボルにマッピングする段階は、前記第２ＭＣＳに従って実行される、請求項１から５のいずれか１項に記載の方法。
【請求項７】
前記第１の複数の情報ビットの少なくとも一部は、前記第１データユニットのデータ部分に対応し、
前記第２の複数の情報ビットの少なくとも一部は、前記第２データユニットのデータ部分に対応する、請求項１から６のいずれか１項に記載の方法。
【請求項８】
前記第１の複数の情報ビットの他の一部は、前記第１データユニットのプリアンブルの信号フィールドに対応し、
前記第２の複数の情報ビットの他の一部は、前記第２データユニットのプリアンブルの信号フィールドに対応する、請求項７に記載の方法。
【請求項９】
前記第１の複数の情報ビットをＦＥＣエンコードする段階は、前記第１の複数の情報ビットを２値畳み込み符号（ＢＣＣ）エンコードする段階を含み、
前記第２の複数の情報ビットをＦＥＣエンコードする段階は、前記第２の複数の情報ビットをＢＣＣエンコードする段階を含む、請求項１から８のいずれか１項に記載の方法。
【請求項１０】
前記第１の複数の情報ビットをＦＥＣエンコードする段階は、前記第１の複数の情報ビットを低密度パリティチェック（ＬＤＰＣ）エンコードする段階を含み、
前記第２の複数の情報ビットをＦＥＣエンコードする段階は、前記第２の複数の情報ビットをＬＤＰＣエンコードする段階を含む、請求項１から９のいずれか１項に記載の方法。
【請求項１１】
前記第２の複数のコンスタレーションシンボルは前記第１の複数のコンスタレーションシンボルとは異なる、請求項１から１０のいずれか１項に記載の方法。
【請求項１２】
装置であり、
前記装置はネットワークインタフェースを備え、
前記ネットワークインタフェースは、第１物理層モード（第１ＰＨＹモード）に対応する第１データユニットを生成し、
前記ネットワークインタフェースは、
（ａ）第１の複数の情報ビットを順方向誤り訂正（ＦＥＣ）エンコードし、
（ｂ）ＦＥＣエンコードされた前記第１の複数の情報ビットを第１の複数のコンスタレーションシンボルにマッピングし、
（ｃ）前記第１の複数のコンスタレーションシンボルを含む第１の複数の直交周波数分割多重シンボル（ＯＦＤＭシンボル）を生成する
ことに少なくとも一部基づいて前記第１データユニットを生成し、
前記第１の複数のＯＦＤＭシンボルは、（ｉ）第１トーン間隔を用い、（ｉｉ）全体として第１帯域幅に亘る第１の数の非ゼロトーンを含み、
前記ネットワークインタフェースはさらに、第２物理層モード（第２ＰＨＹモード）に対応する第２データユニットを生成し、
前記ネットワークインタフェースは、
（ａ）第２の複数の情報ビットをＦＥＣエンコードし、
（ｂ）ＦＥＣエンコードされた前記第２の複数の情報ビットをブロックエンコードし、
（ｃ）ブロックエンコードされた前記第２の複数の情報ビットを第２の複数のコンスタレーションシンボルにマッピングし、
（ｄ）前記第２の複数のコンスタレーションシンボルを含む第２の複数のＯＦＤＭシンボルを生成する
ことに少なくとも一部基づいて前記第２データユニットを生成し、
前記第２の複数のＯＦＤＭシンボルは、（ｉ）前記第１トーン間隔を用い、（ｉｉ）全体として第２帯域幅に亘る第２の数の非ゼロトーンを含み、
前記非ゼロトーンの前記第２の数は前記非ゼロトーンの前記第１の数未満であり、
前記第２帯域幅は前記第１帯域幅よりも小さい、装置。
【請求項１３】
前記ネットワークインタフェースは少なくとも、
前記第２の複数の情報ビットを、それぞれがｎ個の情報ビットから成る複数のブロックへパーティション化し、
それぞれがｎ個の情報ビットから成るブロックをｍ回繰り返し、ｍ×ｎ個の情報ビットを生成する
ことにより、前記ＦＥＣエンコードされた第２の複数の情報ビットをブロックエンコードする、請求項１２に記載の装置。
【請求項１４】
前記ネットワークインタフェースはさらに、前記ｍ×ｎ個の情報ビットをインターリービングすることにより前記第２データユニットを生成する、請求項１３に記載の装置。
【請求項１５】
前記非ゼロトーンの前記第２の数は前記非ゼロトーンの前記第１の数の半分以下であり、
前記第２帯域幅は前記第１帯域幅の半分以下である、請求項１２から１４のいずれか１項に記載の装置。
【請求項１６】
前記ネットワークインタフェースは、
少なくとも、６４ポイントの離散逆フーリエ変換（ＩＤＦＴ）を用いることにより前記第１の複数のＯＦＤＭシンボルを生成し、
少なくとも、（ｉ）６４ポイントのＩＤＦＴを用い、結果として得られるトーンの少なくとも半分をゼロ設定すること、または、（ｉｉ）３２ポイントのＩＤＦＴを用いることにより前記第２の複数のＯＦＤＭシンボルを生成する、
請求項１５に記載の装置。
【請求項１７】
前記ネットワークインタフェースは、
複数の相対的なスループットレベルに対応する複数の変調符号化方式（ＭＣＳ）から選択される第１ＭＣＳに従って、前記第１の複数の情報ビットをＦＥＣエンコードし、
前記ＦＥＣエンコードされた第１の複数の情報ビットを、前記第１ＭＣＳに従って前記第１の複数のコンスタレーションシンボルにマッピングし、
前記複数の相対的なスループットレベルのうち最も低い相対的なスループットレベル以下の相対的なスループットレベルに対応する第２ＭＣＳに従って、前記第２の複数の情報ビットをＦＥＣエンコードし、
前記ブロックエンコードされた前記第２の複数の情報ビットを、前記第２ＭＣＳに従って前記第２の複数のコンスタレーションシンボルにマッピングする、
請求項１２から１６のいずれか１項に記載の装置。
【請求項１８】
前記第１の複数の情報ビットの少なくとも一部は、前記第１データユニットのデータ部分に対応し、
前記第２の複数の情報ビットの少なくとも一部は、前記第２データユニットのデータ部分に対応する、請求項１２から１７のいずれか１項に記載の装置。
【請求項１９】
前記第１の複数の情報ビットの他の一部は、前記第１データユニットのプリアンブルの信号フィールドに対応し、
前記第２の複数の情報ビットの他の一部は、前記第２データユニットのプリアンブルの信号フィールドに対応する、請求項１８に記載の装置。
【請求項２０】
前記ネットワークインタフェースは、
少なくとも、前記第１の複数の情報ビットを２値畳み込み符号（ＢＣＣ）エンコードすることにより前記第１の複数の情報ビットをＦＥＣエンコードし、
少なくとも、前記第２の複数の情報ビットをＢＣＣエンコードすることにより前記第２の複数の情報ビットをＦＥＣエンコードする、
請求項１２から１９のいずれか１項に記載の装置。
【請求項２１】
前記ネットワークインタフェースは、
少なくとも、前記第１の複数の情報ビットを低密度パリティチェック（ＬＤＰＣ）エンコードすることにより前記第１の複数の情報ビットをＦＥＣエンコードし、
少なくとも、前記第２の複数の情報ビットをＬＤＰＣエンコードすることにより前記第２の複数の情報ビットをＦＥＣエンコードする、
請求項１２から２０のいずれか１項に記載の装置。
【請求項２２】
前記第２の複数のコンスタレーションシンボルは前記第１の複数のコンスタレーションシンボルとは異なる、請求項１２から２１のいずれか１項に記載の装置。
【請求項２３】
方法であり、
第１物理層モード（第１ＰＨＹモード）に対応する第１データユニットを生成する段階を備え、
前記第１データユニットを生成する段階は、
（ａ）複数の相対的なスループットレベルに対応する複数の変調符号化方式（ＭＣＳ）から選択される第１ＭＣＳに従って、一部が前記第１データユニットのデータ部分に対応し、他の一部が前記第１データユニットのプリアンブルの信号フィールドに対応する第１の複数の情報ビットを順方向誤り訂正（ＦＥＣ）エンコードする段階と、
（ｂ）ＦＥＣエンコードされた前記第１の複数の情報ビットを、前記第１ＭＣＳに従って第１の複数のコンスタレーションシンボルにマッピングする段階と、
（ｃ）前記第１の複数のコンスタレーションシンボルを含む第１の複数の直交周波数分割多重シンボル（ＯＦＤＭシンボル）を生成する段階と
を有し、
前記第１の複数のＯＦＤＭシンボルは、（ｉ）第１トーン間隔を用い、（ｉｉ）全体として第１帯域幅に亘る第１の数の非ゼロトーンを含み、
前記方法は、第２物理層モード（第２ＰＨＹモード）に対応する第２データユニットを生成する段階をさらに備え、
前記第２データユニットを生成する段階は、
（ａ）前記複数の相対的なスループットレベルのうち最も低い相対的なスループットレベル以下の相対的なスループットレベルに対応する第２ＭＣＳに従って、一部が前記第２データユニットのデータ部分に対応し、他の一部が前記第２データユニットのプリアンブルの信号フィールドに対応する第２の複数の情報ビットをＦＥＣエンコードする段階と、
（ｂ）ＦＥＣエンコードされた前記第２の複数の情報ビットをそれぞれがｎ個の情報ビットから成る複数のブロックにパーティション化する段階と、
（ｃ）それぞれがｎ個の情報ビットから成るブロックを２回繰り返し、２×ｎ個の情報ビットを生成する段階と、
（ｄ）パーティション化され繰り返された前記第２の複数の情報ビットを、前記第２ＭＣＳに従って第２の複数のコンスタレーションシンボルにマッピングする段階と、
（ｅ）前記第２の複数のコンスタレーションシンボルを含む第２の複数のＯＦＤＭシンボルを生成する段階と
を有し、
前記第２の複数のＯＦＤＭシンボルは、（ｉ）前記第１トーン間隔を用い、（ｉｉ）全体として第２帯域幅に亘る第２の数の非ゼロトーンを含み、
前記非ゼロトーンの前記第２の数は前記非ゼロトーンの前記第１の数の半分以下であり、
前記第２帯域幅は前記第１帯域幅の半分以下である、方法。
【請求項２４】
前記第１の複数のＯＦＤＭシンボルを生成する段階は、６４ポイントの離散逆フーリエ変換（ＩＤＦＴ）を用いる段階を含み、
前記第２の複数のＯＦＤＭシンボルを生成する段階は、（ｉ）６４ポイントのＩＤＦＴを用い、結果として得られるトーンの少なくとも半分をゼロ設定する段階、または、（ｉｉ）３２ポイントのＩＤＦＴを用いる段階を含む、請求項２３に記載の方法。
【請求項２５】
前記第１の複数の情報ビットをＦＥＣエンコードする段階は、前記第１の複数の情報ビットを２値畳み込み符号（ＢＣＣ）エンコードする段階を含み、
前記第２の複数の情報ビットをＦＥＣエンコードする段階は、前記第２の複数の情報ビットをＢＣＣエンコードする段階を含む、請求項２３または２４に記載の方法。
【請求項２６】
装置であり、
前記装置はネットワークインタフェースを備え、
前記ネットワークインタフェースは第１物理層モード（第１ＰＨＹモード）に対応する第１データユニットを生成し、
前記ネットワークインタフェースは、
（ａ）複数の相対的なスループットレベルに対応する複数の変調符号化方式（ＭＣＳ）から選択される第１ＭＣＳに従って、一部が前記第１データユニットのデータ部分に対応し、他の一部が前記第１データユニットのプリアンブルの信号フィールドに対応する第１の複数の情報ビットを順方向誤り訂正（ＦＥＣ）エンコードし、
（ｂ）ＦＥＣエンコードされた前記第１の複数の情報ビットを、前記第１ＭＣＳに従って第１の複数のコンスタレーションシンボルにマッピングし、
（ｃ）前記第１の複数のコンスタレーションシンボルを含む第１の複数の直交周波数分割多重シンボル（ＯＦＤＭシンボル）を生成する
ことに少なくとも一部基づいて前記第１データユニットを生成し
前記第１の複数のＯＦＤＭシンボルは、（ｉ）第１トーン間隔を用い、（ｉｉ）全体として第１帯域幅に亘る第１の数の非ゼロトーンを含み、
前記ネットワークインタフェースは、第２物理層モード（第２ＰＨＹモード）に対応する第２データユニットを生成し、
前記ネットワークインタフェースは、
（ａ）前記複数の相対的なスループットレベルのうち最も低い相対的なスループットレベル以下の相対的なスループットレベルに対応する第２ＭＣＳに従って、一部が前記第２データユニットのデータ部分に対応し、他の一部が前記第２データユニットのプリアンブルの信号フィールドに対応する第２の複数の情報ビットをＦＥＣエンコードし、
（ｂ）ＦＥＣエンコードされた前記第２の複数の情報ビットをそれぞれがｎ個の情報ビットから成る複数のブロックにパーティション化し、
（ｃ）それぞれがｎ個の情報ビットから成るブロックを２回繰り返し、２×ｎ個の情報ビットを生成し、
（ｄ）パーティション化され繰り返された前記第２の複数の情報ビットを、前記第２ＭＣＳに従って第２の複数のコンスタレーションシンボルにマッピングし、
（ｅ）前記第２の複数のコンスタレーションシンボルを含む第２の複数のＯＦＤＭシンボルを生成する
ことに少なくとも一部基づいて前記第２データユニットを生成し、
前記第２の複数のＯＦＤＭシンボルは、（ｉ）前記第１トーン間隔を用い、（ｉｉ）全体として第２帯域幅に亘る第２の数の非ゼロトーンを含み、
前記非ゼロトーンの前記第２の数は前記非ゼロトーンの前記第１の数の半分以下であり、
前記第２帯域幅は前記第１帯域幅の半分以下である、装置。
【請求項２７】
前記ネットワークインタフェースは、
少なくとも、６４ポイントの離散逆フーリエ変換（ＩＤＦＴ）を用いることにより前記第１の複数のＯＦＤＭシンボルを生成し、
少なくとも、（ｉ）６４ポイントのＩＤＦＴを用い、結果として得られるトーンの少なくとも半分をゼロ設定すること、または、（ｉｉ）３２ポイントのＩＤＦＴを用いることにより前記第２の複数のＯＦＤＭシンボルを生成する、
請求項２６に記載の装置。
【請求項２８】
前記ネットワークインタフェースは、
少なくとも、前記第１の複数の情報ビットを２値畳み込み符号（ＢＣＣ）エンコードすることにより前記第１の複数の情報ビットをＦＥＣエンコードし、
少なくとも、前記第２の複数の情報ビットをＢＣＣエンコードすることにより前記第２の複数の情報ビットをＦＥＣエンコードする、
請求項２６または２７に記載の装置。
【手続補正２】
【補正対象書類名】明細書
【補正対象項目名】０２１１
【補正方法】変更
【補正の内容】
【０２１１】
例示のみを目的とし本願発明を限定しない特定の例を参照し本願発明を説明してきたが、本願発明の範囲から逸脱することなく、開示される実施形態の変更、追加、および／または削除などが可能である。本発明の例を下記の各項目として示す。
［項目１］
方法であり、
第１物理層モード（第１ＰＨＹモード）に対応する第１データユニットを生成する段階を備え、
上記第１データユニットを生成する段階は、
（ａ）第１の複数の情報ビットを順方向誤り訂正（ＦＥＣ）エンコードする段階と、
（ｂ）ＦＥＣエンコードされた上記第１の複数の情報ビットを第１の複数のコンスタレーションシンボルにマッピングする段階と、
（ｃ）上記第１の複数のコンスタレーションシンボルを含む第１の複数の直交周波数分割多重シンボル（ＯＦＤＭシンボル）を生成する段階と
を有し、
上記第１の複数のＯＦＤＭシンボルは、（ｉ）第１トーン間隔を用い、（ｉｉ）全体として第１帯域幅に亘る第１の数の非ゼロトーンを含み、
上記方法は、第２物理層モード（第２ＰＨＹモード）に対応する第２データユニットを生成する段階をさらに備え、
上記第２データユニットを生成する段階は、
（ａ）第２の複数の情報ビットをＦＥＣエンコードする段階と、
（ｂ）ＦＥＣエンコードされた上記第２の複数の情報ビットをブロックエンコードする段階と、
（ｃ）ブロックエンコードされた上記第２の複数の情報ビットを第２の複数のコンスタレーションシンボルにマッピングする段階と、
（ｄ）上記第２の複数のコンスタレーションシンボルを含む第２の複数のＯＦＤＭシンボルを生成する段階と
を有し、
上記第２の複数のＯＦＤＭシンボルは、（ｉ）上記第１トーン間隔を用い、（ｉｉ）全体として第２帯域幅に亘る第２の数の非ゼロトーンを含み、
上記非ゼロトーンの上記第２の数は上記非ゼロトーンの上記第１の数未満であり、
上記第２帯域幅は上記第１帯域幅よりも小さい、方法。
［項目２］
上記ＦＥＣエンコードされた第２の複数の情報ビットをブロックエンコードする段階は、
上記第２の複数の情報ビットを、それぞれがｎ個の情報ビットから成る複数のブロックへパーティション化する段階と、
それぞれがｎ個の情報ビットから成るブロックをｍ回繰り返し、ｍ×ｎ個の情報ビットを生成する段階と
を含む、項目１に記載の方法。
［項目３］
上記第２データユニットを生成する段階は、上記ｍ×ｎ個の情報ビットをインターリービングする段階をさらに有する、項目２に記載の方法。
［項目４］
上記非ゼロトーンの上記第２の数は上記非ゼロトーンの上記第１の数の半分以下であり、
上記第２帯域幅は上記第１帯域幅の半分以下である、項目１から３のいずれか１項に記載の方法。
［項目５］
上記第１の複数のＯＦＤＭシンボルを生成する段階は、６４ポイントの離散逆フーリエ変換（ＩＤＦＴ）を利用する段階を含み、
上記第２の複数のＯＦＤＭシンボルを生成する段階は、（ｉ）６４ポイントのＩＤＦＴを用い、結果として得られるトーンの少なくとも半分をゼロ設定する段階、または、（ｉｉ）３２ポイントのＩＤＦＴを用いる段階を含む、項目４に記載の方法。
［項目６］
上記第１の複数の情報ビットをＦＥＣエンコードする段階は、複数の相対的なスループットレベルに対応する複数の変調符号化方式（ＭＣＳ）から選択される第１ＭＣＳに従って実行され、
上記ＦＥＣエンコードされた第１の複数の情報ビットを上記第１の複数のコンスタレーションシンボルにマッピングする段階は、上記第１ＭＣＳに従って実行され、
上記第２の複数の情報ビットをＦＥＣエンコードする段階は、上記複数の相対的なスループットレベルのうち最も低い相対的なスループットレベル以下の相対的なスループットレベルに対応する第２ＭＣＳに従って実行され、
上記ブロックエンコードされた上記第２の複数の情報ビットを上記第２の複数のコンスタレーションシンボルにマッピングする段階は、上記第２ＭＣＳに従って実行される、項目１から５のいずれか１項に記載の方法。
［項目７］
上記第１の複数の情報ビットの少なくとも一部は、上記第１データユニットのデータ部分に対応し、
上記第２の複数の情報ビットの少なくとも一部は、上記第２データユニットのデータ部分に対応する、項目１から６のいずれか１項に記載の方法。
［項目８］
上記第１の複数の情報ビットの他の一部は、上記第１データユニットのプリアンブルの信号フィールドに対応し、
上記第２の複数の情報ビットの他の一部は、上記第２データユニットのプリアンブルの信号フィールドに対応する、項目７に記載の方法。
［項目９］
上記第１の複数の情報ビットをＦＥＣエンコードする段階は、上記第１の複数の情報ビットを２値畳み込み符号（ＢＣＣ）エンコードする段階を含み、
上記第２の複数の情報ビットをＦＥＣエンコードする段階は、上記第２の複数の情報ビットをＢＣＣエンコードする段階を含む、項目１から８のいずれか１項に記載の方法。
［項目１０］
上記第１の複数の情報ビットをＦＥＣエンコードする段階は、上記第１の複数の情報ビットを低密度パリティチェック（ＬＤＰＣ）エンコードする段階を含み、
上記第２の複数の情報ビットをＦＥＣエンコードする段階は、上記第２の複数の情報ビットをＬＤＰＣエンコードする段階を含む、項目１から９のいずれか１項に記載の方法。
［項目１１］
上記第２の複数のコンスタレーションシンボルは上記第１の複数のコンスタレーションシンボルとは異なる、項目１から１０のいずれか１項に記載の方法。
［項目１２］
装置であり、
上記装置はネットワークインタフェースを備え、
上記ネットワークインタフェースは、第１物理層モード（第１ＰＨＹモード）に対応する第１データユニットを生成し、
上記ネットワークインタフェースは、
（ａ）第１の複数の情報ビットを順方向誤り訂正（ＦＥＣ）エンコードし、
（ｂ）ＦＥＣエンコードされた上記第１の複数の情報ビットを第１の複数のコンスタレーションシンボルにマッピングし、
（ｃ）上記第１の複数のコンスタレーションシンボルを含む第１の複数の直交周波数分割多重シンボル（ＯＦＤＭシンボル）を生成する
ことに少なくとも一部基づいて上記第１データユニットを生成し、
上記第１の複数のＯＦＤＭシンボルは、（ｉ）第１トーン間隔を用い、（ｉｉ）全体として第１帯域幅に亘る第１の数の非ゼロトーンを含み、
上記ネットワークインタフェースはさらに、第２物理層モード（第２ＰＨＹモード）に対応する第２データユニットを生成し、
上記ネットワークインタフェースは、
（ａ）第２の複数の情報ビットをＦＥＣエンコードし、
（ｂ）ＦＥＣエンコードされた上記第２の複数の情報ビットをブロックエンコードし、
（ｃ）ブロックエンコードされた上記第２の複数の情報ビットを第２の複数のコンスタレーションシンボルにマッピングし、
（ｄ）上記第２の複数のコンスタレーションシンボルを含む第２の複数のＯＦＤＭシンボルを生成する
ことに少なくとも一部基づいて上記第２データユニットを生成し、
上記第２の複数のＯＦＤＭシンボルは、（ｉ）上記第１トーン間隔を用い、（ｉｉ）全体として第２帯域幅に亘る第２の数の非ゼロトーンを含み、
上記非ゼロトーンの上記第２の数は上記非ゼロトーンの上記第１の数未満であり、
上記第２帯域幅は上記第１帯域幅よりも小さい、装置。
［項目１３］
上記ネットワークインタフェースは少なくとも、
上記第２の複数の情報ビットを、それぞれがｎ個の情報ビットから成る複数のブロックへパーティション化し、
それぞれがｎ個の情報ビットから成るブロックをｍ回繰り返し、ｍ×ｎ個の情報ビットを生成する
ことにより、上記ＦＥＣエンコードされた第２の複数の情報ビットをブロックエンコードする、項目１２に記載の装置。
［項目１４］
上記ネットワークインタフェースはさらに、上記ｍ×ｎ個の情報ビットをインターリービングすることにより上記第２データユニットを生成する、項目１３に記載の装置。
［項目１５］
上記非ゼロトーンの上記第２の数は上記非ゼロトーンの上記第１の数の半分以下であり、
上記第２帯域幅は上記第１帯域幅の半分以下である、項目１２から１４のいずれか１項に記載の装置。
［項目１６］
上記ネットワークインタフェースは、
少なくとも、６４ポイントの離散逆フーリエ変換（ＩＤＦＴ）を用いることにより上記第１の複数のＯＦＤＭシンボルを生成し、
少なくとも、（ｉ）６４ポイントのＩＤＦＴを用い、結果として得られるトーンの少なくとも半分をゼロ設定すること、または、（ｉｉ）３２ポイントのＩＤＦＴを用いることにより上記第２の複数のＯＦＤＭシンボルを生成する、
項目１５に記載の装置。
［項目１７］
上記ネットワークインタフェースは、
複数の相対的なスループットレベルに対応する複数の変調符号化方式（ＭＣＳ）から選択される第１ＭＣＳに従って、上記第１の複数の情報ビットをＦＥＣエンコードし、
上記ＦＥＣエンコードされた第１の複数の情報ビットを、上記第１ＭＣＳに従って上記第１の複数のコンスタレーションシンボルにマッピングし、
上記複数の相対的なスループットレベルのうち最も低い相対的なスループットレベル以下の相対的なスループットレベルに対応する第２ＭＣＳに従って、上記第２の複数の情報ビットをＦＥＣエンコードし、
上記ブロックエンコードされた上記第２の複数の情報ビットを、上記第２ＭＣＳに従って上記第２の複数のコンスタレーションシンボルにマッピングする、
項目１２から１６のいずれか１項に記載の装置。
［項目１８］
上記第１の複数の情報ビットの少なくとも一部は、上記第１データユニットのデータ部分に対応し、
上記第２の複数の情報ビットの少なくとも一部は、上記第２データユニットのデータ部分に対応する、項目１２から１７のいずれか１項に記載の装置。
［項目１９］
上記第１の複数の情報ビットの他の一部は、上記第１データユニットのプリアンブルの信号フィールドに対応し、
上記第２の複数の情報ビットの他の一部は、上記第２データユニットのプリアンブルの信号フィールドに対応する、項目１８に記載の装置。
［項目２０］
上記ネットワークインタフェースは、
少なくとも、上記第１の複数の情報ビットを２値畳み込み符号（ＢＣＣ）エンコードすることにより上記第１の複数の情報ビットをＦＥＣエンコードし、
少なくとも、上記第２の複数の情報ビットをＢＣＣエンコードすることにより上記第２の複数の情報ビットをＦＥＣエンコードする、
項目１２から１９のいずれか１項に記載の装置。
［項目２１］
上記ネットワークインタフェースは、
少なくとも、上記第１の複数の情報ビットを低密度パリティチェック（ＬＤＰＣ）エンコードすることにより上記第１の複数の情報ビットをＦＥＣエンコードし、
少なくとも、上記第２の複数の情報ビットをＬＤＰＣエンコードすることにより上記第２の複数の情報ビットをＦＥＣエンコードする、
項目１２から２０のいずれか１項に記載の装置。
［項目２２］
上記第２の複数のコンスタレーションシンボルは上記第１の複数のコンスタレーションシンボルとは異なる、項目１２から２１のいずれか１項に記載の装置。
［項目２３］
方法であり、
第１物理層モード（第１ＰＨＹモード）に対応する第１データユニットを生成する段階を備え、
上記第１データユニットを生成する段階は、
（ａ）複数の相対的なスループットレベルに対応する複数の変調符号化方式（ＭＣＳ）から選択される第１ＭＣＳに従って、一部が上記第１データユニットのデータ部分に対応し、他の一部が上記第１データユニットのプリアンブルの信号フィールドに対応する第１の複数の情報ビットを順方向誤り訂正（ＦＥＣ）エンコードする段階と、
（ｂ）ＦＥＣエンコードされた上記第１の複数の情報ビットを、上記第１ＭＣＳに従って第１の複数のコンスタレーションシンボルにマッピングする段階と、
（ｃ）上記第１の複数のコンスタレーションシンボルを含む第１の複数の直交周波数分割多重シンボル（ＯＦＤＭシンボル）を生成する段階と
を有し、
上記第１の複数のＯＦＤＭシンボルは、（ｉ）第１トーン間隔を用い、（ｉｉ）全体として第１帯域幅に亘る第１の数の非ゼロトーンを含み、
上記方法は、第２物理層モード（第２ＰＨＹモード）に対応する第２データユニットを生成する段階をさらに備え、
上記第２データユニットを生成する段階は、
（ａ）上記複数の相対的なスループットレベルのうち最も低い相対的なスループットレベル以下の相対的なスループットレベルに対応する第２ＭＣＳに従って、一部が上記第２データユニットのデータ部分に対応し、他の一部が上記第２データユニットのプリアンブルの信号フィールドに対応する第２の複数の情報ビットをＦＥＣエンコードする段階と、
（ｂ）ＦＥＣエンコードされた上記第２の複数の情報ビットをそれぞれがｎ個の情報ビットから成る複数のブロックにパーティション化する段階と、
（ｃ）それぞれがｎ個の情報ビットから成るブロックを２回繰り返し、２×ｎ個の情報ビットを生成する段階と、
（ｄ）パーティション化され繰り返された上記第２の複数の情報ビットを、上記第２ＭＣＳに従って第２の複数のコンスタレーションシンボルにマッピングする段階と、
（ｅ）上記第２の複数のコンスタレーションシンボルを含む第２の複数のＯＦＤＭシンボルを生成する段階と
を有し、
上記第２の複数のＯＦＤＭシンボルは、（ｉ）上記第１トーン間隔を用い、（ｉｉ）全体として第２帯域幅に亘る第２の数の非ゼロトーンを含み、
上記非ゼロトーンの上記第２の数は上記非ゼロトーンの上記第１の数の半分以下であり、
上記第２帯域幅は上記第１帯域幅の半分以下である、方法。
［項目２４］
上記第１の複数のＯＦＤＭシンボルを生成する段階は、６４ポイントの離散逆フーリエ変換（ＩＤＦＴ）を用いる段階を含み、
上記第２の複数のＯＦＤＭシンボルを生成する段階は、（ｉ）６４ポイントのＩＤＦＴを用い、結果として得られるトーンの少なくとも半分をゼロ設定する段階、または、（ｉｉ）３２ポイントのＩＤＦＴを用いる段階を含む、項目２３に記載の方法。
［項目２５］
上記第１の複数の情報ビットをＦＥＣエンコードする段階は、上記第１の複数の情報ビットを２値畳み込み符号（ＢＣＣ）エンコードする段階を含み、
上記第２の複数の情報ビットをＦＥＣエンコードする段階は、上記第２の複数の情報ビットをＢＣＣエンコードする段階を含む、項目２３または２４に記載の方法。
［項目２６］
装置であり、
上記装置はネットワークインタフェースを備え、
上記ネットワークインタフェースは第１物理層モード（第１ＰＨＹモード）に対応する第１データユニットを生成し、
上記ネットワークインタフェースは、
（ａ）複数の相対的なスループットレベルに対応する複数の変調符号化方式（ＭＣＳ）から選択される第１ＭＣＳに従って、一部が上記第１データユニットのデータ部分に対応し、他の一部が上記第１データユニットのプリアンブルの信号フィールドに対応する第１の複数の情報ビットを順方向誤り訂正（ＦＥＣ）エンコードし、
（ｂ）ＦＥＣエンコードされた上記第１の複数の情報ビットを、上記第１ＭＣＳに従って第１の複数のコンスタレーションシンボルにマッピングし、
（ｃ）上記第１の複数のコンスタレーションシンボルを含む第１の複数の直交周波数分割多重シンボル（ＯＦＤＭシンボル）を生成する
ことに少なくとも一部基づいて上記第１データユニットを生成し
上記第１の複数のＯＦＤＭシンボルは、（ｉ）第１トーン間隔を用い、（ｉｉ）全体として第１帯域幅に亘る第１の数の非ゼロトーンを含み、
上記ネットワークインタフェースは、第２物理層モード（第２ＰＨＹモード）に対応する第２データユニットを生成し、
上記ネットワークインタフェースは、
（ａ）上記複数の相対的なスループットレベルのうち最も低い相対的なスループットレベル以下の相対的なスループットレベルに対応する第２ＭＣＳに従って、一部が上記第２データユニットのデータ部分に対応し、他の一部が上記第２データユニットのプリアンブルの信号フィールドに対応する第２の複数の情報ビットをＦＥＣエンコードし、
（ｂ）ＦＥＣエンコードされた上記第２の複数の情報ビットをそれぞれがｎ個の情報ビットから成る複数のブロックにパーティション化し、
（ｃ）それぞれがｎ個の情報ビットから成るブロックを２回繰り返し、２×ｎ個の情報ビットを生成し、
（ｄ）パーティション化され繰り返された上記第２の複数の情報ビットを、上記第２ＭＣＳに従って第２の複数のコンスタレーションシンボルにマッピングし、
（ｅ）上記第２の複数のコンスタレーションシンボルを含む第２の複数のＯＦＤＭシンボルを生成する
ことに少なくとも一部基づいて上記第２データユニットを生成し、
上記第２の複数のＯＦＤＭシンボルは、（ｉ）上記第１トーン間隔を用い、（ｉｉ）全体として第２帯域幅に亘る第２の数の非ゼロトーンを含み、
上記非ゼロトーンの上記第２の数は上記非ゼロトーンの上記第１の数の半分以下であり、
上記第２帯域幅は上記第１帯域幅の半分以下である、装置。
［項目２７］
上記ネットワークインタフェースは、
少なくとも、６４ポイントの離散逆フーリエ変換（ＩＤＦＴ）を用いることにより上記第１の複数のＯＦＤＭシンボルを生成し、
少なくとも、（ｉ）６４ポイントのＩＤＦＴを用い、結果として得られるトーンの少なくとも半分をゼロ設定すること、または、（ｉｉ）３２ポイントのＩＤＦＴを用いることにより上記第２の複数のＯＦＤＭシンボルを生成する、
項目２６に記載の装置。
［項目２８］
上記ネットワークインタフェースは、
少なくとも、上記第１の複数の情報ビットを２値畳み込み符号（ＢＣＣ）エンコードすることにより上記第１の複数の情報ビットをＦＥＣエンコードし、
少なくとも、上記第２の複数の情報ビットをＢＣＣエンコードすることにより上記第２の複数の情報ビットをＦＥＣエンコードする、
項目２６または２７に記載の装置。
［項目２９］
方法であり、
第１物理層モード（第１ＰＨＹモード）に対応する第１データユニットの第１プリアンブルを生成する段階を備え、
上記第１プリアンブルを生成する段階は、
第１期間を有し、繰り返しの第１シーケンスを含む第１ショートトレーニングフィールド（第１ＳＴＦ）を生成する段階と、
上記第１ＳＴＦに続く第１ロングトレーニングフィールド（第１ＬＴＦ）を生成する段階と、
上記第１ＬＴＦに続く第１信号フィールド（第１ＳＩＧフィールド）を生成する段階と
を有し、
上記第１ＳＩＧフィールドは、
上記第１データユニットを解釈するための情報を提供し、
上記第１データユニットが上記第１ＰＨＹモードに対応することを受信機に対して示すべく第１変調技術に従って変調された第１直交周波数分割多重シンボル（第１ＯＦＤＭシンボル）を含み、
上記第１ＯＦＤＭシンボルは、
（ｉ）上記第１ＬＴＦが開始した後、第１時間間隔をおいて開始し、
（ｉｉ）上記第１ＬＴＦが開始した後、第２時間間隔をおいて終了し、
上記方法は、上記第１ＰＨＹモードと異なる第２物理層モード（第２ＰＨＹモード）に対応する第２データユニットの第２プリアンブルを生成する段階をさらに備え、
上記第２プリアンブルを生成する段階は、上記第１期間より長い第２期間を有する、上記繰り返しの第１シーケンスと異なる繰り返しの第２シーケンスを含む第２ＳＴＦを生成する段階を有し、
上記繰り返しの第２シーケンスの周期は、上記繰り返しの第１シーケンスの周期と等しく、
上記第２プリアンブルを生成する段階は、上記第２ＳＴＦに続く第２ロングトレーニングフィールド（第２ＬＴＦ）を生成する段階をさらに有し、
上記第２ＬＴＦは第２直交周波数分割多重シンボル（第２ＯＦＤＭシンボル）を含み、
上記第２ＯＦＤＭシンボルは、
上記第２データユニットが上記第２ＰＨＹモードに対応することを受信機に対して示すべく、上記第１変調技術と異なる第２変調技術に従って変調され、
上記第２プリアンブルの、
（ｉ）上記第２ＬＴＦが開始した後、第３時間間隔をおいて開始し、
（ｉｉ）上記第２ＬＴＦが開始した後、第４時間間隔をおいて終了する
一の位置を少なくとも部分的に占有し、
上記第３時間間隔は上記第１時間間隔と等しく、
上記第４時間間隔は上記第２時間間隔に等しい、方法。
［項目３０］
上記第１変調技術は、（ｉ）二位相偏移変調（ＢＰＳＫ）と（ｉｉ）四位相偏移変調（ｑｕａｔｅｒｎａｒｙ  ｂｉｎａｒｙ  ｐｈａｓｅ  ｓｈｉｆｔ  ｋｅｙｉｎｇ）（ＱＢＰＳＫ）とのうち一方であり、
上記第２変調技術は（ｉ）ＢＰＳＫと（ｉｉ）ＱＢＰＳＫとのうち他方である、項目２９に記載の方法。
［項目３１］
上記第２ＯＦＤＭシンボルは、上記第２ＬＴＦが開始した後、上記第３時間間隔をおいて開始し、上記第２ＬＴＦが開始した後、上記第４時間間隔をおいて終了する、項目２９に記載の方法。
［項目３２］
上記第１プリアンブルを生成する段階は、上記第１ＳＩＧフィールドに続く第２信号フィールド（第２ＳＩＧフィールド）を生成する段階をさらに有し、
上記第２ＳＩＧフィールドは、（ｉ）上記第１データユニットがシングルユーザデータユニットであることを受信機に対して示すべく第３変調技術、または、（ｉｉ）上記第３変調技術とは異なる、上記第１データユニットがマルチユーザデータユニットであることを受信機に対して示すべく第４変調技術に従って変調された第３直交周波数分割多重シンボル（第３ＯＦＤＭシンボル）を含む、項目２９に記載の方法。
［項目３３］
上記第３変調技術は、（ｉ）二位相偏移変調（ＢＰＳＫ）と（ｉｉ）四位相偏移変調（ＱＢＰＳＫ）とのうち一方であり、
上記第４変調技術は、（ｉ）ＢＰＳＫと（ｉｉ）ＱＢＰＳＫとのうち他方である、項目３２に記載の方法。
［項目３４］
上記第１プリアンブルは、上記第１ＯＦＤＭシンボルの直前の第１ガードインターバルを含み、
上記第２プリアンブルは、上記第２ＯＦＤＭシンボルの直前の第２ガードインターバルを含む、項目２９に記載の方法。
［項目３５］
上記第１ガードインターバルの期間は上記第２ガードインターバルの期間に等しい、項目３４に記載の方法。
［項目３６］
装置であり、
上記装置はネットワークインタフェースを備え、
上記ネットワークインタフェースは、第１物理層モード（第１ＰＨＹモード）に対応する第１データユニットの第１プリアンブルを生成し、
上記ネットワークインタフェースは、
第１期間を有し、繰り返しの第１シーケンスを含む第１ショートトレーニングフィールド（第１ＳＴＦ）を生成し、
上記第１ＳＴＦに続く第１ロングトレーニングフィールド（第１ＬＴＦ）を生成し、
上記第１ＬＴＦに続く第１信号フィールド（第１ＳＩＧフィールド）を生成する
ことに少なくとも一部基づいて上記第１プリアンブルを生成し、
上記第１ＳＩＧフィールドは、
上記第１データユニットを解釈するための情報を提供し、
上記第１データユニットが上記第１ＰＨＹモードに対応することを受信機に対して示すべく第１変調技術に従って変調された第１直交周波数分割多重シンボル（第１ＯＦＤＭシンボル）を含み、
上記第１ＯＦＤＭシンボルは、
（ｉ）上記第１ＬＴＦが開始した後、第１時間間隔をおいて開始し、
（ｉｉ）上記第１ＬＴＦが開始した後、第２時間間隔をおいて終了し、
上記ネットワークインタフェースは、上記第１ＰＨＹモードと異なる第２物理層モード（第２ＰＨＹモード）に対応する第２データユニットの第２プリアンブルをさらに生成し、
上記ネットワークインタフェースは、上記第１期間より長い第２期間を有する、上記繰り返しの第１シーケンスと異なる繰り返しの第２シーケンスを含む第２ＳＴＦを生成することに少なくとも一部基づいて上記第２プリアンブルを生成し、
上記繰り返しの第２シーケンスの周期は、上記繰り返しの第１シーケンスの周期と等しく、
上記ネットワークインタフェースはさらに、上記第２ＳＴＦに続く第２ロングトレーニングフィールド（第２ＬＴＦ）を生成することに少なくとも一部基づいて上記第２プリアンブルを生成し、
上記第２ＬＴＦは第２直交周波数分割多重シンボル（第２ＯＦＤＭシンボル）を含み、
上記第２ＯＦＤＭシンボルは、
上記第２データユニットが上記第２ＰＨＹモードに対応することを受信機に対して示すべく、上記第１変調技術と異なる第２変調技術に従って変調され、
上記第２プリアンブルの、
（ｉ）上記第２ＬＴＦが開始した後、第３時間間隔をおいて開始し、
（ｉｉ）上記第２ＬＴＦが開始した後、第４時間間隔をおいて終了する
一の位置を少なくとも部分的に占有し、
上記第３時間間隔は上記第１時間間隔と等しく、
上記第４時間間隔は上記第２時間間隔に等しい、装置。
［項目３７］
上記第１変調技術は、（ｉ）二位相偏移変調（ＢＰＳＫ）と（ｉｉ）四位相偏移変調（ＱＢＰＳＫ）とのうち一方であり、
上記第２変調技術は、（ｉ）ＢＰＳＫと（ｉｉ）ＱＢＰＳＫとのうち他方である、項目３６に記載の装置。
［項目３８］
上記第２ＯＦＤＭシンボルは、上記第２ＬＴＦが開始した後、上記第３時間間隔をおいて開始し、上記第２ＬＴＦが開始した後、上記第４時間間隔をおいて終了する、項目３６に記載の装置。
［項目３９］
上記ネットワークインタフェースは、上記第１プリアンブルを生成することの一部として、上記第１ＳＩＧフィールドに続く第２信号フィールド（第２ＳＩＧフィールド）を生成し、
上記第２ＳＩＧフィールドは、（ｉ）上記第１データユニットがシングルユーザデータユニットであることを受信機に対して示すべく第３変調技術、または、（ｉｉ）上記第３変調技術とは異なる、上記第１データユニットがマルチユーザデータユニットであることを受信機に対して示すべく第４変調技術に従って変調された第３直交周波数分割多重シンボル（第３ＯＦＤＭシンボル）を含む、項目３６に記載の装置。
［項目４０］
上記第３変調技術は、（ｉ）二位相偏移変調（ＢＰＳＫ）と（ｉｉ）四位相偏移変調（ＱＢＰＳＫ）とのうち一方であり、
上記第４変調技術は、（ｉ）ＢＰＳＫと（ｉｉ）ＱＢＰＳＫとのうち他方である、項目３９に記載の装置。
［項目４１］
上記ネットワークインタフェースは、
上記第１プリアンブルを生成することの一部として、上記第１ＯＦＤＭシンボルの直前の第１ガードインターバルを含め、
上記第２プリアンブルを生成することの一部として、上記第２ＯＦＤＭシンボルの直前の第２ガードインターバルを含める、
項目３６に記載の装置。
［項目４２］
上記第１ガードインターバルの期間は上記第２ガードインターバルの期間に等しい、項目４１に記載の装置。
［項目４３］
方法であり、
第１物理層モード（第１ＰＨＹモード）に対応する第１データユニットの第１プリアンブルを生成する段階を備え、
上記第１プリアンブルを生成する段階は、
第１ロングトレーニングフィールド（第１ＬＴＦ）を生成する段階と、
上記第１ＬＴＦに続く第１信号フィールド（第１ＳＩＧフィールド）を生成する段階と
を有し、
上記第１ＳＩＧフィールドは、
上記第１データユニットを解釈するための情報を提供し、
上記第１データユニットが上記第１ＰＨＹモードに対応することを受信機に対して示すべく第１変調技術に従って変調された第１直交周波数分割多重シンボル（第１ＯＦＤＭシンボル）を含み、
上記第１ＯＦＤＭシンボルは、
（ｉ）上記第１ＬＴＦが開始した後、第１時間間隔をおいて開始し、
（ｉｉ）上記第１ＬＴＦが開始した後、第２時間間隔をおいて終了し、
上記第１プリアンブルを生成する段階は、上記第１ＳＩＧフィールドに続く第２信号フィールド（第２ＳＩＧフィールド）を生成する段階をさらに有し、
上記第２ＳＩＧフィールドは、
上記第１データユニットを解釈するための情報を提供し、
（ｉ）上記第１データユニットがシングルユーザデータユニットであることを受信機に対して示すべく第２変調技術、または（ｉｉ）上記第２変調技術とは異なる、上記第１データユニットがマルチユーザデータユニットであることを受信機に対して示すべく第３変調技術に従って変調された第２直交周波数分割多重シンボル（第２ＯＦＤＭシンボル）を含み、
上記方法は、上記第１ＰＨＹモードと異なる第２物理層モード（第２ＰＨＹモード）に対応する第２データユニットの第２プリアンブルを生成する段階をさらに備え、
上記第２プリアンブルを生成する段階は、第２ロングトレーニングフィールド（第２ＬＴＦ）を生成する段階をさらに有し、
上記第２ＬＴＦは第３直交周波数分割多重シンボル（第３ＯＦＤＭシンボル）を含み、
上記第３ＯＦＤＭシンボルは、
上記第２データユニットが上記第２ＰＨＹモードに対応することを受信機に対して示すべく、上記第１変調技術と異なる第４変調技術に従って変調され、
上記第２プリアンブルの、
（ｉ）上記第２ＬＴＦが開始した後、第３時間間隔をおいて開始し、
（ｉｉ）上記第２ＬＴＦが開始した後、第４時間間隔をおいて終了する
一の位置を少なくとも部分的に占有し、
上記第３時間間隔は上記第１時間間隔と等しく、
上記第４時間間隔は上記第２時間間隔に等しい、方法。
［項目４４］
上記第１変調技術は、（ｉ）二位相偏移変調（ＢＰＳＫ）と（ｉｉ）四位相偏移変調（ＱＢＰＳＫ）とのうち一方であり、
上記第４変調技術は、（ｉ）ＢＰＳＫと（ｉｉ）ＱＢＰＳＫとのうち他方であり、
上記第２変調技術は、（ｉ）ＢＰＳＫと（ｉｉ）ＱＢＰＳＫとのうち一方であり、
上記第３変調技術は、（ｉ）ＢＰＳＫと（ｉｉ）ＱＢＰＳＫとのうち他方である、項目４３に記載の方法。
［項目４５］
上記第３ＯＦＤＭシンボルは、上記第２ＬＴＦが開始した後、上記第３時間間隔をおいて開始し、上記第２ＬＴＦが開始した後、上記第４時間間隔をおいて終了する、項目４３に記載の方法。
［項目４６］
装置であり、
上記装置はネットワークインタフェースを備え、
上記ネットワークインタフェースは、第１物理層モード（第１ＰＨＹモード）に対応する第１データユニットの第１プリアンブルを生成し、
上記ネットワークインタフェースは、
第１ロングトレーニングフィールド（第１ＬＴＦ）を生成し、
上記第１ＬＴＦに続く第１信号フィールド（第１ＳＩＧフィールド）を生成する
ことに少なくとも一部基づいて上記第１プリアンブルを生成し、
上記第１ＳＩＧフィールドは、
上記第１データユニットを解釈するための情報を提供し、
上記第１データユニットが上記第１ＰＨＹモードに対応することを受信機に対して示すべく第１変調技術に従って変調された第１直交周波数分割多重シンボル（第１ＯＦＤＭシンボル）を含み、
上記第１ＯＦＤＭシンボルは、
（ｉ）上記第１ＬＴＦが開始した後、第１時間間隔をおいて開始し、
（ｉｉ）上記第１ＬＴＦが開始した後、第２時間間隔をおいて終了し、
上記ネットワークインタフェースはさらに、上記第１ＳＩＧフィールドに続く第２信号フィールド（第２ＳＩＧフィールド）を生成することに少なくとも一部基づいて上記第１プリアンブルを生成し、
上記第２ＳＩＧフィールドは、
上記第１データユニットを解釈するための情報を提供し、
（ｉ）上記第１データユニットがシングルユーザデータユニットであることを受信機に対して示すべく第２変調技術、または（ｉｉ）上記第２変調技術とは異なる、上記第１データユニットがマルチユーザデータユニットであることを受信機に対して示すべく第３変調技術に従って変調された第２直交周波数分割多重シンボル（第２ＯＦＤＭシンボル）を含み、
上記ネットワークインタフェースは、上記第１ＰＨＹモードと異なる第２物理層モード（第２ＰＨＹモード）に対応する第２データユニットの第２プリアンブルをさらに生成し、
上記ネットワークインタフェースは、第２ロングトレーニングフィールド（第２ＬＴＦ）を生成することに少なくとも一部基づいて上記第２プリアンブルを生成し、
上記第２ＬＴＦは第３直交周波数分割多重シンボル（第３ＯＦＤＭシンボル）を含み、
上記第３ＯＦＤＭシンボルは、
上記第２データユニットが上記第２ＰＨＹモードに対応することを受信機に対して示すべく、上記第１変調技術と異なる第４変調技術に従って変調され、
上記第２プリアンブルの、
（ｉ）上記第２ＬＴＦが開始した後、第３時間間隔をおいて開始し、
（ｉｉ）上記第２ＬＴＦが開始した後、第４時間間隔をおいて終了する
一の位置を少なくとも部分的に占有し、
上記第３時間間隔は上記第１時間間隔と等しく、
上記第４時間間隔は上記第２時間間隔に等しい、装置。
［項目４７］
上記第１変調技術は、（ｉ）二位相偏移変調（ＢＰＳＫ）と（ｉｉ）四位相偏移変調（ＱＢＰＳＫ）とのうち一方であり、
上記第４変調技術は、（ｉ）ＢＰＳＫと（ｉｉ）ＱＢＰＳＫとのうち他方であり、
上記第２変調技術は、（ｉ）ＢＰＳＫと（ｉｉ）ＱＢＰＳＫとのうち一方であり、
上記第３変調技術は、（ｉ）ＢＰＳＫと（ｉｉ）ＱＢＰＳＫとのうち他方である、項目４６に記載の装置。
［項目４８］
上記第３ＯＦＤＭシンボルは、上記第２ＬＴＦが開始した後、上記第３時間間隔をおいて開始し、上記第２ＬＴＦが開始した後、上記第４時間間隔をおいて終了する、項目４６に記載の装置。
［項目４９］
第１物理層モード（第１ＰＨＹモード）に準拠するデータユニットと、上記第１ＰＨＹモードと異なる第２物理層モード（第２ＰＨＹモード）に準拠するデータユニットとを生成し、送信されるようにする、上記第１ＰＨＹモードに準拠する上記データユニットを送信するために、それぞれが第１帯域幅を有する複数のチャネルを用いる通信システムにおける方法であり、
上記第１ＰＨＹモードに準拠する第１データユニットを生成する段階を備え、
上記第１データユニットを生成する段階は、第１シリーズの直交周波数分割多重シンボル（ＯＦＤＭシンボル）を生成する段階を有し、
上記方法は、
上記複数のチャネルのうち一のチャネルを介して上記第１データユニットが送信されるようにする段階と、
上記第２ＰＨＹモードに準拠する第２データユニットを生成する段階と
をさらに備え、
上記第２データユニットを生成する段階は、第２シリーズのＯＦＤＭシンボルを生成する段階を有し、
上記第２シリーズのＯＦＤＭシンボルの少なくとも一部は、（ｉ）下縁のガードトーンよりも多くの上縁のガードトーン、または、（ｉｉ）上縁のガードトーンよりも多くの下縁のガードトーンを含み、
上記方法は、上記第２データユニットを送信するための周波数帯域を決定する段階をさらに備え、
上記周波数帯域は、上記第１帯域幅をｎ≧２である整数ｎにより除算して得られる帯域幅に等しい第２帯域幅を有し、
上記第２データユニットを送信するための上記周波数帯域を決定する段階は、
（ｉ）上記第２シリーズのＯＦＤＭシンボルの上記少なくとも一部が下縁のガードトーンよりも多くの上縁のガードトーンを含む場合、上記複数のチャネルのうち１以上のチャネルのそれぞれの最も低い副帯域を、または、
（ｉｉ）上記第２シリーズのＯＦＤＭシンボルの上記少なくとも一部が上縁のガードトーンよりも多くの下縁のガードトーンを含む場合、上記複数のチャネルのうち上記１以上のチャネルのそれぞれの最も高い副帯域を
除外する段階を有し、
上記複数のチャネルのうち各チャネルの各副帯域は上記第２帯域幅を有し、
上記方法は、決定された上記周波数帯域を介して上記第２データユニットが送信されるようにする段階をさらに備える、方法。
［項目５０］
上記整数ｎは２に等しい、項目４９に記載の方法。
［項目５１］
上記第１シリーズのＯＦＤＭシンボルを生成する段階は、６４ポイントの高速逆フーリエ変換（ＩＤＦＴ）を利用する段階を含み、
上記第２シリーズのＯＦＤＭシンボルを生成する段階は、３２ポイントのＩＤＦＴを利用する段階を含む、項目５０に記載の方法。
［項目５２］
上記第１シリーズのＯＦＤＭシンボルを生成する段階は、６４ポイントの高速逆フーリエ変換（ＩＤＦＴ）を利用する段階を含み、
上記第２シリーズのＯＦＤＭシンボルを生成する段階は、６４ポイントのＩＤＦＴを利用し、生成されるトーンの合計数の少なくとも半分をゼロに設定する段階を含む、項目５０に記載の方法。
［項目５３］
上記第１シリーズのＯＦＤＭシンボルを生成する段階は、第１クロックレートを利用する段階を含み、
上記第２シリーズのＯＦＤＭシンボルを生成する段階は、上記第１クロックレートを利用する段階を含む、項目４９に記載の方法。
［項目５４］
上記第１ＰＨＹモードは第１データスループットに対応し、
上記第２ＰＨＹモードは、上記第１データスループットよりも低い第２データスループットに対応する、項目４９に記載の方法。
［項目５５］
上記第２シリーズのＯＦＤＭシンボルの上記一部は、上記第２シリーズのＯＦＤＭシンボルのデータ部分を含む、項目４９に記載の方法。
［項目５６］
上記第２シリーズのＯＦＤＭシンボルの上記少なくとも一部は、上縁のガードトーンよりも多くの下縁のガードトーンを含み、
上記第２データユニットを送信するための上記周波数帯域を決定する段階は、上記複数のチャネルのうち上記１以上のチャネルの上記最も高い副帯域を除外する段階を有する、項目４９に記載の方法。
［項目５７］
上記複数のチャネルのうちの上記１以上のチャネルは、上記複数のチャネルのうち全てのチャネルを含む、項目４９に記載の方法。
［項目５８］
装置であり、
上記装置はネットワークインタフェースを備え、
上記ネットワークインタフェースは、
第１シリーズの直交周波数分割多重シンボル（ＯＦＤＭシンボル）を生成することに少なくとも一部基づいて第１ＰＨＹモードに準拠する第１データユニットを生成し、
それぞれが第１帯域幅を有する複数のチャネルのうち一のチャネルを介して上記第１データユニットが送信されるようにし、
第２シリーズのＯＦＤＭシンボルを生成することに少なくとも一部基づいて、上記第１ＰＨＹモードとは異なる第２物理層モード（第２ＰＨＹモード）に準拠する第２データユニットを生成し、
上記第２シリーズのＯＦＤＭシンボルの少なくとも一部は、（ｉ）下縁のガードトーンよりも多くの上縁のガードトーン、または、（ｉｉ）上縁のガードトーンよりも多くの下縁のガードトーンを含み、
上記ネットワークインタフェースは、上記第２データユニットを送信するための周波数帯域をさらに決定し、
上記周波数帯域は、上記第１帯域幅をｎ≧２である整数ｎにより除算して得られる帯域幅に等しい第２帯域幅を有し、
上記ネットワークインタフェースは、
（ｉ）上記第２シリーズのＯＦＤＭシンボルの上記少なくとも一部が下縁のガードトーンよりも多くの上縁のガードトーンを含む場合、上記複数のチャネルのうち１以上のチャネルのそれぞれの最も低い副帯域を、
（ｉｉ）上記第２シリーズのＯＦＤＭシンボルの上記少なくとも一部が上縁のガードトーンよりも多くの下縁のガードトーンを含む場合、上記複数のチャネルのうち上記１以上のチャネルのそれぞれの最も高い副帯域を
除外することに少なくとも一部基づいて上記第２データユニットを送信するための上記周波数帯域を決定し、
上記複数のチャネルのうち各チャネルの各副帯域は上記第２帯域幅を有し、
上記ネットワークインタフェースは、決定された上記周波数帯域を介して上記第２データユニットが送信されるようにする、装置。
［項目５９］
上記整数ｎは２に等しい、項目５８に記載の装置。
［項目６０］
上記ネットワークインタフェースは、
６４ポイントの高速逆フーリエ変換（ＩＤＦＴ）を利用することに少なくとも一部基づいて上記第１シリーズのＯＦＤＭシンボルを生成し、
３２ポイントのＩＤＦＴを利用することに少なくとも一部基づいて上記第２シリーズのＯＦＤＭシンボルを生成する、
項目５９に記載の装置。
［項目６１］
上記ネットワークインタフェースは、
６４ポイントの高速逆フーリエ変換（ＩＤＦＴ）を利用することに少なくとも一部基づいて上記第１シリーズのＯＦＤＭシンボルを生成し、
６４ポイントのＩＤＦＴを利用し、生成されるトーンの合計数の少なくとも半分をゼロに設定することに少なくとも一部基づいて上記第２シリーズのＯＦＤＭシンボルを生成する、
項目５９に記載の装置。
［項目６２］
上記ネットワークインタフェースは、
第１クロックレートを利用することに少なくとも一部基づいて上記第１シリーズのＯＦＤＭシンボルを生成し、
上記第１クロックレートを利用することに少なくとも一部基づいて上記第２シリーズのＯＦＤＭシンボルを生成する、
項目５８に記載の装置。
［項目６３］
上記第１ＰＨＹモードは第１データスループットに対応し、
上記第２ＰＨＹモードは、上記第１データスループットよりも低い第２データスループットに対応する、項目５８に記載の装置。
［項目６４］
上記第２シリーズのＯＦＤＭシンボルの上記少なくとも一部は、上記第２シリーズのＯＦＤＭシンボルのデータ部分を含む、項目５８に記載の装置。
［項目６５］
上記第２シリーズのＯＦＤＭシンボルの上記一部は、上縁のガードトーンよりも多くの下縁のガードトーンを含み、
上記ネットワークインタフェースは、上記複数のチャネルのうち上記１以上のチャネルの上記最も高い副帯域を除外することに少なくとも一部基づいて上記第２データユニットを送信するための上記周波数帯域を決定する、項目５８に記載の装置。
［項目６６］
上記複数のチャネルのうちの上記１以上のチャネルは、上記複数のチャネルのうち全てのチャネルを含む、項目５８に記載の装置。
［項目６７］
通信システムにおいて、第１物理層モード（第１ＰＨＹモード）に準拠するデータユニットと、上記第１ＰＨＹモードと異なる第２物理層モード（第２ＰＨＹモード）に準拠するデータユニットとを生成し、送信されるようにする方法であり、
上記通信システムは、上記第１ＰＨＹモードに準拠する上記データユニットを送信するために、それぞれが第１帯域幅を有する複数のチャネルを用い、
上記方法は、
上記第１ＰＨＹモードに準拠する第１データユニットを生成する段階を備え、
上記第１データユニットを生成する段階は、クロックレートを利用して第１シリーズの直交周波数分割多重シンボル（ＯＦＤＭシンボル）を生成する段階を有し、
上記方法は、
上記複数のチャネルのうち一のチャネルを介して上記第１データユニットが送信されるようにする段階と、
上記第２ＰＨＹモードに準拠する第２データユニットを生成する段階と
をさらに備え、
上記第２データユニットを生成する段階は、上記クロックレートを利用して第２シリーズのＯＦＤＭシンボルを生成する段階を有し、
上記第２シリーズのＯＦＤＭシンボルの少なくとも１つのデータ部は、上縁のガードトーンよりも多くの下縁のガードトーンを含み、
上記方法は、上記第２データユニットを送信するための周波数帯域を決定する段階をさらに備え、
上記周波数帯域は、上記第１帯域幅の半分に等しい第２帯域幅を有し、
上記第２データユニットを送信するための上記周波数帯域を決定する段階は、上記複数のチャネルのうち１以上のチャネルのそれぞれの上側波帯を除外する段階を有し、
上記方法は、決定された上記周波数帯域を介して上記第２データユニットが送信されるようにする段階をさらに備える、方法。
［項目６８］
装置であり、
上記装置はネットワークインタフェースを備え、
上記ネットワークインタフェースは、
クロックレートを利用して第１シリーズの直交周波数分割多重シンボル（ＯＦＤＭシンボル）を生成することに少なくとも一部基づいて第１物理層モード（第１ＰＨＹモード）に準拠する第１データユニットを生成し、
それぞれが第１帯域幅を有する複数のチャネルのうち一のチャネルを介して上記第１データユニットが送信されるようにし、
上記クロックレートを利用して第２シリーズのＯＦＤＭシンボルを生成することに少なくとも一部基づいて、上記第１ＰＨＹモードとは異なる第２物理層モード（第２ＰＨＹモード）に準拠する第２データユニットを生成し、
上記第２シリーズのＯＦＤＭシンボルの少なくとも１つのデータ部は、上縁のガードトーンよりも多くの下縁のガードトーンを含み、
上記ネットワークインタフェースは、上記第２データユニットを送信するための周波数帯域をさらに決定し、
上記周波数帯域は、上記第１帯域幅の半分に等しい第２帯域幅を有し、
上記ネットワークインタフェースは、
上記複数のチャネルのうち上記１以上のチャネルのそれぞれの上側波帯を除外することに少なくとも一部基づいて上記第２データユニットを送信するための上記周波数帯域を決定し、
決定された上記周波数帯域を介して上記第２データユニットが送信されるようにする、
装置。
【国際調査報告】
2014523152.tif 000032
2014523152.tif 000033
2014523152.tif 000034
2014523152.tif 000035
2014523152.tif 000036